(57)【特許請求の範囲】
【請求項１】
圧迫圧力を発生する圧迫機構が、被検体の血流からの脈波を検出する脈波検出回路の検出する脈波の振幅が所定値以下となるように圧迫圧力を昇圧し、前記脈波検出回路が、所定値以下の脈波の振幅を降圧時高圧状態振幅値として測定する降圧時初期値測定手順と、
前記降圧時初期値測定手順の後、前記圧迫機構が、５ｍｍＨｇ／秒以上５０ｍｍＨｇ／秒以下の圧力変動速度で圧迫圧力を降圧し、前記圧迫機構の圧迫圧力を測定する圧力計が、前記脈波検出回路の検出する脈波の振幅が増大し始めるときの圧迫圧力を第一降圧時収縮期血圧値として測定する第一降圧時収縮期血圧値測定手順と、
前記第一降圧時収縮期血圧値測定手順の後、前記圧迫機構が、５ｍｍＨｇ／秒以上５０ｍｍＨｇ／秒以下の圧力変動速度で圧迫圧力を降圧し、前記脈波検出回路が、圧迫圧力の降圧時において検出する脈波の最大振幅値を降圧時最大振幅値として測定する降圧時最大振幅値測定手順と、
前記降圧時最大振幅値測定手順の後、前記圧迫機構が、５ｍｍＨｇ／秒以上５０ｍｍＨｇ／秒以下の圧力変動速度で圧迫圧力を降圧し、前記圧力計が、前記脈波検出回路の検出する脈波の振幅が一定となるときの圧迫圧力を第一降圧時拡張期血圧値として測定及び前記脈波検出回路が、圧迫圧力が前記第一降圧時拡張期血圧値である時の脈波の振幅を降圧時低圧状態振幅値として測定する第一降圧時拡張期血圧値測定手順と、
前記第一降圧時拡張期血圧値測定手順の後、前記脈波検出回路が検出する脈波の振幅値を比較する比較演算部が、前記降圧時初期値測定手順で測定した前記降圧時高圧状態振幅値と前記降圧時最大振幅値測定手順で測定した前記降圧時最大振幅値とを、及び前記第一降圧時拡張期血圧値測定手順で測定した前記降圧時低圧状態振幅値と前記降圧時最大振幅値測定手順で測定した前記降圧時最大振幅値とを比較する降圧時比較手順と、
前記圧迫機構が、前記第一降圧時収縮期血圧値測定手順における前記圧力変動速度の絶対値よりも小さい圧力変動速度で圧迫圧力を降圧し、前記圧力計が、前記脈波検出回路の検出する脈波の振幅が増大し始めるときの圧迫圧力を第二降圧時収縮期血圧値として測定する第二降圧時収縮期血圧値測定手順と、
前記第二降圧時収縮期血圧値測定手順の後、前記圧迫機構が、前記第一降圧時拡張期血圧値測定手順における前記圧力変動速度の絶対値よりも小さい圧力変動速度で圧迫圧力を降圧し、前記圧力計が、前記脈波検出回路の検出する脈波の振幅が一定となるときの圧迫圧力を第二降圧時拡張期血圧値として測定する第二降圧時拡張期血圧値測定手順と、
を備える血圧計制御方法であって、
前記降圧時比較手順において、前記降圧時初期値測定手順で測定した前記降圧時高圧状態振幅値が前記降圧時最大振幅値測定手順で測定した前記降圧時最大振幅値の５０％以上又は前記第一降圧時拡張期血圧値測定手順で測定した前記降圧時低圧状態振幅値が前記降圧時最大振幅値測定手順で測定した前記降圧時最大振幅値の８５％以上のときに、前記降圧時初期値測定手順から前記降圧時比較手順までを再度行い、
前記降圧時初期値測定手順で測定した前記降圧時高圧状態振幅値が前記降圧時最大振幅値測定手順で測定した前記降圧時最大振幅値の５０％未満で且つ前記第一降圧時拡張期血圧値測定手順で測定した前記降圧時低圧状態振幅値が前記降圧時最大振幅値測定手順で測定した前記降圧時最大振幅値の８５％未満のときに、前記圧迫機構が、前記第一降圧時収縮期血圧値測定手順で測定した前記第一降圧時収縮期血圧値よりも高い圧迫圧力まで昇圧した後に前記第二降圧時収縮期血圧値測定手順と前記第二降圧時拡張期血圧値測定手順とを行うことを特徴とする血圧計制御方法。
【請求項２】
前記第一降圧時収縮期血圧値測定手順、前記降圧時最大振幅値測定手順及び前記第一降圧時拡張期血圧値測定手順の少なくとも一つの手順において、前記圧迫機構が、０．１ｍｍＨｇ以上１０ｍｍＨｇ以下の第一圧力変動量づつ階段状に圧迫圧力を降圧することを特徴とする請求項１に記載の血圧計制御方法。
【請求項３】
前記第二降圧時収縮期血圧値測定手順及び前記第二降圧時拡張期血圧値測定手順の少なくとも一つの手順において、前記圧迫機構が、０．１ｍｍＨｇ以上１０ｍｍＨｇ以下の第二圧力変動量づつ階段状に圧迫圧力を降圧することを特徴とする請求項１に記載の血圧計制御方法。
【請求項４】
前記第二降圧時収縮期血圧値測定手順において、前記圧迫機構が、０．１ｍｍＨｇ以上１０ｍｍＨｇ以下の範囲にあって、前記第一降圧時収縮期血圧値測定手順における前記第一圧力変動量より小さい圧力変動量づつ階段状に圧迫圧力を降圧又は／及び前記第二降圧時拡張期血圧値測定手順において、前記圧迫機構が、０．１ｍｍＨｇ以上１０ｍｍＨｇ以下の範囲にあって、前記第一降圧時拡張期血圧値測定手順における前記第一圧力変動量より小さい圧力変動量づつ階段状に圧迫圧力を降圧することを特徴とする請求項２に記載の血圧計制御方法。
【請求項５】
被検体の血流からの脈波を検出する脈波検出回路が、脈波の振幅を昇圧時低圧状態振幅値として測定する昇圧時初期値測定手順と、
前記昇圧時初期値測定手順の後、圧迫圧力を発生する圧迫機構が、５ｍｍＨｇ／秒以上５０ｍｍＨｇ／秒以下の圧力変動速度で圧迫圧力を昇圧し、前記圧迫機構の圧迫圧力を測定する圧力計が、前記脈波検出回路の検出する脈波の振幅が増大し始めるときの圧迫圧力を第一昇圧時拡張期血圧値として測定する第一昇圧時拡張期血圧値測定手順と、
前記第一昇圧時拡張期血圧値測定手順の後、前記圧迫機構が、５ｍｍＨｇ／秒以上５０ｍｍＨｇ／秒以下の圧力変動速度で圧迫圧力を昇圧し、前記脈波検出回路が、圧迫圧力の昇圧時において検出する脈波の最大振幅値を昇圧時最大振幅値として測定する昇圧時最大振幅値測定手順と、
前記昇圧時最大振幅値測定手順の後、前記圧迫機構が、５ｍｍＨｇ／秒以上５０ｍｍＨｇ／秒以下の圧力変動速度で圧迫圧力を昇圧し、前記圧力計が、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手順と、
前記第一昇圧時収縮期血圧値測定手順の後、前記脈波検出回路が検出する脈波の振幅値を比較する比較演算部が、前記第一昇圧時収縮期血圧値測定手順で測定した前記昇圧時高圧状態振幅値と前記昇圧時最大振幅値測定手順で測定した前記昇圧時最大振幅値とを、及び前記昇圧時初期値測定手順で測定した前記昇圧時低圧状態振幅値と前記昇圧時最大振幅値測定手順で測定した前記昇圧時最大振幅値とを比較する昇圧時比較手順と、
前記圧迫機構が、前記第一昇圧時収縮期血圧値測定手順における前記圧力変動速度の絶対値よりも遅い圧力変動速度で圧迫圧力を降圧し、前記圧力計が、前記脈波検出回路の検出する脈波の振幅が増大し始めるときの圧迫圧力を第二降圧時収縮期血圧値として測定する第二降圧時収縮期血圧値測定手順と、
前記第二降圧時収縮期血圧値測定手順の後、前記圧迫機構が、前記第一昇圧時拡張期血圧値測定手順における前記圧力変動速度の絶対値よりも遅い圧力変動速度で圧迫圧力を降圧し、前記圧力計が、前記脈波検出回路の検出する脈波の振幅が一定となるときの圧迫圧力を第二降圧時拡張期血圧値として測定する第二降圧時拡張期血圧値測定手順と、
を備える血圧計制御方法であって、
前記昇圧時比較手順において、前記第一昇圧時収縮期血圧値測定手順で測定した前記昇圧時高圧状態振幅値が前記昇圧時最大振幅値測定手順で測定した前記昇圧時最大振幅値の５０％以上又は前記昇圧時初期値測定手順で測定した前記昇圧時低圧状態振幅値が前記昇圧時最大振幅値測定手順で測定した前記昇圧時最大振幅値の８５％以上のときに、前記脈波検出回路の検出する脈波の振幅が所定値以下となるように前記圧迫機構の圧迫圧力を降圧し、前記昇圧時初期値測定手順から前記昇圧時比較手順までを再度行い、
前記第一昇圧時収縮期血圧値測定手順で測定した前記昇圧時高圧状態振幅値が前記昇圧時最大振幅値測定手順で測定した前記昇圧時最大振幅値の５０％未満で且つ前記昇圧時初期値測定手順で測定した前記昇圧時低圧状態振幅値が前記昇圧時最大振幅値測定手順で測定した前記昇圧時最大振幅値の８５％未満のときに、前記第一昇圧時収縮期血圧値測定手順で測定した前記第一昇圧時収縮期血圧値よりも高い圧迫圧力から前記第二降圧時収縮期血圧値測定手順と前記第二降圧時拡張期血圧値測定手順とを行うことを特徴とする血圧計制御方法。
【請求項６】
前記第一昇圧時拡張期血圧値測定手順、前記昇圧時最大振幅値測定手順及び前記第一昇圧時収縮期血圧値測定手順の少なくとも一つの手順において、前記圧迫機構が、０．１ｍｍＨｇ以上１０ｍｍＨｇ以下の第一圧力変動量づつ階段状に圧迫圧力を昇圧することを特徴とする請求項５に記載の血圧計制御方法。
【請求項７】
前記第二降圧時収縮期血圧値測定手順及び前記第二降圧時拡張期血圧値測定手順の少なくとも一つの手順において、前記圧迫機構が、０．１ｍｍＨｇ以上１０ｍｍＨｇ以下の第二圧力変動量づつ階段状に圧迫圧力を降圧することを特徴とする請求項５に記載の血圧計制御方法。
【請求項８】
前記第二降圧時拡張期血圧値測定手順において、前記圧迫機構が、０．１ｍｍＨｇ以上１０ｍｍＨｇ以下の範囲にあって、前記第一昇圧時拡張期血圧値測定手順における前記第一圧力変動量より小さい圧力変動量づつ階段状に圧迫圧力を降圧又は／及び前記第二降圧時収縮期血圧値測定手順において、前記圧迫機構が、０．１ｍｍＨｇ以上１０ｍｍＨｇ以下の範囲にあって、前記第一昇圧時収縮期血圧値測定手順における前記第一圧力変動量より小さい圧力変動量づつ階段状に圧迫圧力を降圧することを特徴とする請求項６に記載の血圧計制御方法。
【請求項９】
圧迫圧力を発生する圧迫機構が、被検体の血流からの脈波を検出する脈波検出回路の検出する脈波の振幅が所定値以下となるように圧迫圧力を昇圧し、前記脈波検出回路が、所定値以下の脈波の振幅を降圧時高圧状態振幅値として測定する降圧時初期値測定手順と、
前記降圧時初期値測定手順の後、前記圧迫機構が、５ｍｍＨｇ／秒以上５０ｍｍＨｇ／秒以下の圧力変動速度で圧迫圧力を降圧し、前記圧迫機構の圧迫圧力を測定する圧力計が、前記脈波検出回路の検出する脈波の振幅が増大し始めるときの圧迫圧力を第一降圧時収縮期血圧値として測定する第一降圧時収縮期血圧値測定手順と、
前記第一降圧時収縮期血圧値測定手順の後、前記圧迫機構が、５ｍｍＨｇ／秒以上５０ｍｍＨｇ／秒以下の圧力変動速度で圧迫圧力を降圧し、前記脈波検出回路が、圧迫圧力の降圧時において検出する脈波の最大振幅値を降圧時最大振幅値として測定する降圧時最大振幅値測定手順と、
前記降圧時最大振幅値測定手順の後、前記圧迫機構が、５ｍｍＨｇ／秒以上５０ｍｍＨｇ／秒以下の圧力変動速度で圧迫圧力を降圧し、前記圧力計が、前記脈波検出回路の検出する脈波の振幅が一定となるときの圧迫圧力を第一降圧時拡張期血圧値として測定及び前記脈波検出回路が、圧迫圧力が前記第一降圧時拡張期血圧値である時の脈波の振幅を降圧時低圧状態振幅値として測定する第一降圧時拡張期血圧値測定手順と、
前記第一降圧時拡張期血圧値測定手順の後、前記脈波検出回路が検出する脈波の振幅値を比較する比較演算部が、前記降圧時初期値測定手順で測定した前記降圧時高圧状態振幅値と前記降圧時最大振幅値測定手順で測定した前記降圧時最大振幅値とを、及び前記第一降圧時拡張期血圧値測定手順で測定した前記降圧時低圧状態振幅値と前記降圧時最大振幅値測定手順で測定した前記降圧時最大振幅値とを比較する降圧時比較手順と、
前記圧迫機構が、前記第一降圧時拡張期血圧値測定手順における圧力変動速度の絶対値よりも遅い圧力変動速度で圧迫圧力を昇圧し、前記圧力計が、前記脈波検出回路の検出する脈波の振幅が増大し始めるときの圧迫圧力を第二昇圧時拡張期血圧値として測定する第二昇圧時拡張期血圧値測定手順と、
前記第二昇圧時拡張期血圧値測定手順の後、前記圧迫機構が、前記第一降圧時収縮期血圧値測定手順における圧力変動速度の絶対値よりも遅い圧力変動速度で圧迫圧力を昇圧し、前記圧力計が、前記脈波検出回路の検出する脈波の振幅が一定となるときの圧迫圧力を第二昇圧時収縮期血圧値として測定する第二昇圧時収縮期血圧値測定手順と、
を備える血圧計制御方法であって、
前記降圧時比較手順において、前記降圧時初期値測定手順で測定した前記降圧時高圧状態振幅値が前記降圧時最大振幅値測定手順で測定した前記降圧時最大振幅値の５０％以上又は前記第一降圧時拡張期血圧値測定手順で測定した前記降圧時低圧状態振幅値が前記降圧時最大振幅値測定手順で測定した前記降圧時最大振幅値の８５％以上のときに、前記降圧時初期値測定手順から前記降圧時比較手順までを再度行い、
前記降圧時初期値測定手順で測定した前記降圧時高圧状態振幅値が前記降圧時最大振幅値測定手順で測定した前記降圧時最大振幅値の５０％未満で且つ前記第一降圧時拡張期血圧値測定手順で測定した前記降圧時低圧状態振幅値が前記降圧時最大振幅値測定手順で測定した前記降圧時最大振幅値の８５％未満のときに、前記第一降圧時拡張期血圧値測定手順で測定した前記第一降圧時拡張期血圧値より低い圧迫圧力から前記第二昇圧時拡張期血圧値測定手順と前記第二昇圧時収縮期血圧値測定手順とを行うことを特徴とする血圧計制御方法。
【請求項１０】
前記第一降圧時収縮期血圧値測定手順、前記降圧時最大振幅値測定手順及び前記第一降圧時拡張期血圧値測定手順の少なくとも一つの手順において、前記圧迫機構が、０．１ｍｍＨｇ以上１０ｍｍＨｇ以下の第一圧力変動量づつ階段状に圧迫圧力を降圧することを特徴とする請求項９に記載の血圧計制御方法。
【請求項１１】
前記第二昇圧時拡張期血圧値測定手順及び前記第二昇圧時収縮期血圧値測定手順の少なくとも一つの手順において、前記圧迫機構が、０．１ｍｍＨｇ以上１０ｍｍＨｇ以下の第二圧力変動量づつ階段状に圧迫圧力を昇圧することを特徴とする請求項９に記載の血圧計制御方法。
【請求項１２】
前記第二昇圧時収縮期血圧値測定手順において、前記圧迫機構が、０．１ｍｍＨｇ以上１０ｍｍＨｇ以下の範囲にあって、前記第一降圧時収縮期血圧値測定手順における前記第一圧力変動量より小さい圧力変動量づつ階段状に圧迫圧力を昇圧又は／及び前記第二昇圧時拡張期血圧値測定手順において、前記圧迫機構が、０．１ｍｍＨｇ以上１０ｍｍＨｇ以下の範囲にあって、前記第一降圧時拡張期血圧値測定手順における前記第一圧力変動量より小さい圧力変動量づつ階段状に圧迫圧力を昇圧することを特徴とする請求項１０に記載の血圧計制御方法。
【請求項１３】
被検体の血流からの脈波を検出する脈波検出回路が脈波の振幅を昇圧時低圧状態振幅値として測定する昇圧時初期値測定手順と、
前記昇圧時初期値測定手順の後、圧迫圧力を発生する圧迫機構が、５ｍｍＨｇ／秒以上５０ｍｍＨｇ／秒以下の圧力変動速度で圧迫圧力を昇圧し、前記圧迫機構の圧迫圧力を測定する圧力計が、前記脈波検出回路の検出する脈波の振幅が増大し始めるときの圧迫圧力を第一昇圧時拡張期血圧値として測定する第一昇圧時拡張期血圧値測定手順と、
前記第一昇圧時拡張期血圧値測定手順の後、前記圧迫機構が、５ｍｍＨｇ／秒以上５０ｍｍＨｇ／秒以下の圧力変動速度で圧迫圧力を昇圧し、前記脈波検出回路が、圧迫圧力の昇圧時において検出する脈波の最大振幅値を昇圧時最大振幅値として測定する昇圧時最大振幅値測定手順と、
前記昇圧時最大振幅値測定手順の後、前記圧迫機構が、５ｍｍＨｇ／秒以上５０ｍｍＨｇ／秒以下の圧力変動速度で圧迫圧力を昇圧し、前記圧力計が、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手順と、
前記第一昇圧時収縮期血圧値測定手順の後、前記脈波検出回路が検出する脈波の振幅値を比較する比較演算部が、前記第一昇圧時収縮期血圧値測定手順で測定した前記昇圧時高圧状態振幅値と前記昇圧時最大振幅値測定手順で測定した前記昇圧時最大振幅値とを、及び前記昇圧時初期値測定手順で測定した前記昇圧時低圧状態振幅値と前記昇圧時最大振幅値測定手順で測定した前記昇圧時最大振幅値とを比較する昇圧時比較手順と、
前記圧迫機構が、前記第一昇圧時拡張期血圧値測定手順における圧力変動速度の絶対値よりも遅い圧力変動速度で圧迫圧力を昇圧し、前記圧力計が、前記脈波検出回路の検出する脈波の振幅が増大し始めるときの圧迫圧力を第二昇圧時拡張期血圧値として測定する第二昇圧時拡張期血圧値測定手順と、
前記第二昇圧時拡張期血圧値測定手順の後、前記圧迫機構が、前記第一昇圧時収縮期血圧値測定手順における圧力変動速度の絶対値よりも遅い圧力変動速度で圧迫圧力を昇圧し、前記圧力計が、前記脈波検出回路の検出する振幅が一定となるときの圧迫圧力を第二昇圧時収縮期血圧値として測定する第二昇圧時収縮期血圧値測定手順と、
を備える血圧計制御方法であって、
前記昇圧時比較手順において、前記第一昇圧時収縮期血圧値測定手順で測定した前記昇圧時高圧状態振幅値が前記昇圧時最大振幅値測定手順で測定した前記昇圧時最大振幅値の５０％以上又は前記昇圧時初期値測定手順で測定した前記昇圧時低圧状態振幅値が前記昇圧時最大振幅値測定手順で測定した前記昇圧時最大振幅値の８５％以上のときに、前記脈波検出回路の検出する脈波の振幅が所定値以下となるように前記圧迫機構の圧迫圧力を降圧し、前記昇圧時初期値測定手順から前記昇圧時比較手順までを再度行い、
前記第一昇圧時収縮期血圧値測定手順で測定した前記昇圧時高圧状態振幅値が前記昇圧時最大振幅値測定手順で測定した前記昇圧時最大振幅値の５０％未満で且つ前記昇圧時初期値測定手順で測定した前記昇圧時低圧状態振幅値が前記昇圧時最大振幅値測定手順で測定した前記昇圧時最大振幅値の８５％未満のときに、前記圧迫機構が、前記第一昇圧時拡張期血圧値よりも低い圧迫圧力まで降圧した後に前記第二昇圧時拡張期血圧値測定手順から前記第二昇圧時収縮期血圧値測定手順までを行うことを特徴とする血圧計制御方法。
【請求項１４】
前記第一昇圧時拡張期血圧値測定手順、前記昇圧時最大振幅値測定手順及び前記第一昇圧時収縮期血圧値測定手順の少なくとも一つの手順において、前記圧迫機構が、０．１ｍｍＨｇ以上１０ｍｍＨｇ以下の第一圧力変動量づつ階段状に圧迫圧力を昇圧することを特徴とする請求項１３に記載の血圧計制御方法。
【請求項１５】
前記第二昇圧時拡張期血圧値測定手順及び前記第二昇圧時収縮期血圧値測定手順の少なくとも一つの手順において、前記圧迫機構が、０．１ｍｍＨｇ以上１０ｍｍＨｇ以下の第二圧力変動量づつ階段状に圧迫圧力を昇圧することを特徴とする請求項１３に記載の血圧計制御方法。
【請求項１６】
前記第二昇圧時拡張期血圧値測定手順において、前記圧迫機構が、０．１ｍｍＨｇ以上１０ｍｍＨｇ以下の範囲にあって、前記第一昇圧時拡張期血圧値測定手順における前記第一圧力変動量より小さい圧力変動量づつ階段状に圧迫圧力を昇圧又は／及び前記第二昇圧時収縮期血圧値測定手順において、前記圧迫機構が、０．１ｍｍＨｇ以上１０ｍｍＨｇ以下の範囲にあって、前記第一昇圧時収縮期血圧値測定手順における前記第一圧力変動量より小さい圧力変動量づつ階段状に圧迫圧力を昇圧することを特徴とする請求項１４に記載の血圧計制御方法。
【請求項１７】
前記第一降圧時収縮期血圧値測定手順、前記降圧時最大振幅値測定手順及び前記第一降圧時拡張期血圧値測定手順において、前記圧力計が１０ｍ秒以上２００ｍ秒以下の時間毎に前記圧迫機構の圧迫圧力を測定することを特徴とする請求項１から４及び請求項９から１２に記載のいずれかの血圧計制御方法。
【請求項１８】
前記第一昇圧時収縮期血圧値測定手順、前記昇圧時最大振幅値測定手順及び前記第一昇圧時拡張期血圧値測定手順において、前記圧力計が１０ｍ秒以上２００ｍ秒以下の時間毎に前記圧迫機構の圧迫圧力を測定することを特徴とする請求項５から８及び請求項１３から１６に記載のいずれかの血圧計制御方法。
【請求項１９】
圧迫圧力を発生する圧迫機構によって、被検体の血流からの脈波を検出する脈波検出回路の検出する脈波の振幅が所定値以下となるように圧迫圧力を昇圧し、前記脈波検出回路によって、所定値以下の脈波の振幅を降圧時高圧状態振幅値として測定する降圧時初期測定手段と、
前記圧迫機構によって、前記降圧時初期測定手段における圧迫圧力を５ｍｍＨｇ／秒以上５０ｍｍＨｇ／秒以下の圧力変動速度で降圧し、前記圧迫機構の圧迫圧力を測定する圧力計によって、前記脈波検出回路の検出する脈波の振幅が増大し始めるときの圧迫圧力を第一降圧時収縮期血圧値として測定する第一降圧時収縮期血圧値測定手段と、
前記圧迫機構によって、前記第一降圧時収縮期血圧値測定手段で測定した前記第一降圧時収縮期血圧値の圧迫圧力を５ｍｍＨｇ／秒以上５０ｍｍＨｇ／秒以下の圧力変動速度で降圧し、前記脈波検出回路によって、圧迫圧力の降圧時において検出する脈波の最大振幅値を降圧時最大振幅値として測定する降圧時最大振幅値測定手段と、
前記圧迫機構によって、前記降圧時最大振幅値測定手段で前記降圧時最大振幅値を測定した時に前記圧力計が測定する圧迫圧力を５ｍｍＨｇ／秒以上５０ｍｍＨｇ／秒以下の圧力変動速度で降圧し、前記圧力計によって、前記脈波検出回路の検出する脈波の振幅が一定となるときの圧迫圧力を第一降圧時拡張期血圧値として測定及び前記脈波検出回路によって、圧迫圧力が前記第一降圧時拡張期血圧値である時の脈波の振幅を降圧時低圧状態振幅値として測定する第一降圧時拡張期血圧値測定手段と、
前記脈波検出回路が検出する脈波の振幅値を比較する比較演算部によって、前記降圧時初期測定手段で測定した前記降圧時高圧状態振幅値と前記降圧時最大振幅値測定手段で測定した前記降圧時最大振幅値とを、及び前記第一降圧時拡張期血圧値測定手段で測定した前記降圧時低圧状態振幅値と前記降圧時最大振幅値測定手段で測定した前記降圧時最大振幅値とを比較する降圧時比較手段と、
前記圧迫機構によって、前記第一降圧時収縮期血圧値測定手段で測定した前記第一降圧時収縮期血圧値よりも高い圧迫圧力を前記第一降圧時収縮期血圧値測定手段における前記圧力変動速度の絶対値よりも小さい圧力変動速度で降圧し、前記圧力計によって、前記脈波検出回路の検出する脈波の振幅が増大し始めるときの圧迫圧力を第二降圧時収縮期血圧値として測定する第二降圧時収縮期血圧値測定手段と、
前記圧迫機構によって、前記第二降圧時収縮期血圧値測定手段で測定した前記第二降圧時収縮期血圧値の圧迫圧力を前記第一降圧時拡張期血圧値測定手段における前記圧力変動速度の絶対値よりも小さい圧力変動速度で降圧し、前記圧力計によって、前記脈波検出回路の検出する脈波の振幅が一定となるときの圧迫圧力を第二降圧時拡張期血圧値として測定する第二降圧時拡張期血圧値測定手段と、
を有する制御回路を備える血圧計であって、
前記制御回路は、
前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを測定させた後、
前記降圧時比較手段において、前記降圧時初期測定手段で測定した前記降圧時高圧状態振幅値が前記降圧時最大振幅値測定手段で測定した前記降圧時最大振幅値の５０％以上又は前記第一降圧時拡張期血圧値測定手段で測定した前記降圧時低圧状態振幅値が前記降圧時最大振幅値測定手段で測定した前記降圧時最大振幅値の８５％以上のときに、前記制御回路は前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを再度測定させ、
前記降圧時初期測定手段で測定した前記降圧時高圧状態振幅値が前記降圧時最大振幅値測定手段で測定した前記降圧時最大振幅値の５０％未満で且つ前記第一降圧時拡張期血圧値測定手段で測定した前記降圧時低圧状態振幅値が前記降圧時最大振幅値測定手段で測定した前記降圧時最大振幅値の８５％未満のときに、前記制御回路は前記第二降圧時収縮期血圧値測定手段に第二降圧時収縮期血圧値を、ならびに前記第二降圧時拡張期血圧値測定手段に第二降圧時拡張期血圧値を測定させることを特徴とする血圧計。
【請求項２０】
前記第一降圧時収縮期血圧値測定手段、前記降圧時最大振幅値測定手段及び前記第一降圧時拡張期血圧値測定手段の少なくとも一つの手段は、前記圧迫機構によって、０．１ｍｍＨｇ以上１０ｍｍＨｇ以下の第一圧力変動量づつ階段状に圧迫圧力を降圧することを特徴とする請求項１９に記載の血圧計。
【請求項２１】
前記第二降圧時収縮期血圧値測定手段及び前記第二降圧時拡張期血圧値測定手段の少なくとも一つの手段は、前記圧迫機構によって、０．１ｍｍＨｇ以上１０ｍｍＨｇ以下の第二圧力変動量づつ階段状に圧迫圧力を降圧することを特徴とする請求項１９に記載の血圧計。
【請求項２２】
前記第二降圧時収縮期血圧値測定手段は、前記圧迫機構によって、０．１ｍｍＨｇ以上１０ｍｍＨｇ以下の範囲にあって、前記第一降圧時収縮期血圧値測定手段の前記第一圧力変動量より小さい圧力変動量づつ階段状に圧迫圧力を降圧又は／及び前記第二降圧時拡張期血圧値測定手段は、前記圧迫機構によって、０．１ｍｍＨｇ以上１０ｍｍＨｇ以下の範囲にあって、前記第一降圧時拡張期血圧値測定手段の前記第一圧力変動量より小さい圧力変動量づつ階段状に圧迫圧力を降圧することを特徴とする請求項２０に記載の血圧計。
【請求項２３】
被検体の血流からの脈波を検出する脈波検出回路によって、脈波の振幅を昇圧時低圧状態振幅値として測定する昇圧時初期測定手段と、
圧迫圧力を発生する圧迫機構によって、前記昇圧時初期測定手段における圧迫圧力を５ｍｍＨｇ／秒以上５０ｍｍＨｇ／秒以下の圧力変動速度で昇圧し、前記圧迫機構の圧迫圧力を測定する圧力計によって、前記脈波検出回路の検出する脈波の振幅が増大し始めるときの圧迫圧力を第一昇圧時拡張期血圧値として測定する第一昇圧時拡張期血圧値測定手段と、
前記圧迫機構によって、前記第一昇圧時拡張期血圧値測定手段で測定した前記第一昇圧時拡張期血圧値の圧迫圧力を５ｍｍＨｇ／秒以上５０ｍｍＨｇ／秒以下の圧力変動速度で昇圧し、前記脈波検出回路によって、圧迫圧力の昇圧時において検出する脈波の最大振幅値を昇圧時最大振幅値として測定する昇圧時最大振幅値測定手段と、
前記圧迫機構によって、前記昇圧時最大振幅値測定手段で前記昇圧時最大振幅値を測定した時に前記圧力計が測定する圧迫圧力を５ｍｍＨｇ／秒以上５０ｍｍＨｇ／秒以下の圧力変動速度で昇圧し、前記圧力計によって、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手段と、
前記脈波検出回路が検出する脈波の振幅値を比較する比較演算部によって、前記第一昇圧時収縮期血圧値測定手段で測定した前記昇圧時高圧状態振幅値と前記昇圧時最大振幅値測定手段で測定した前記昇圧時最大振幅値とを、及び前記昇圧時初期測定手段で測定した前記昇圧時低圧状態振幅値と前記昇圧時最大振幅値測定手段で測定した前記昇圧時最大振幅値とを比較する昇圧時比較手段と、
前記圧迫機構によって、前記第一昇圧時収縮期血圧値測定手段で測定した前記第一昇圧時収縮期血圧値よりも高い圧迫圧力を前記第一昇圧時収縮期血圧値測定手段における前記圧力変動速度の絶対値よりも遅い圧力変動速度で降圧し、前記圧力計によって、前記脈波検出回路の検出する脈波の振幅が増大し始めるときの圧迫圧力を第二降圧時収縮期血圧値として測定する第二降圧時収縮期血圧値測定手段と、
前記圧迫機構によって、前記第二降圧時収縮期血圧値測定手段で測定した前記第二降圧時収縮期血圧値の圧迫圧力を前記第一昇圧時拡張期血圧値測定手段における前記圧力変動速度の絶対値よりも遅い圧力変動速度で降圧し、前記圧力計が、前記脈波検出回路の検出する脈波の振幅が一定となるときの圧迫圧力を第二降圧時拡張期血圧値として測定する第二降圧時拡張期血圧値測定手段と、
を有する制御回路を備える血圧計であって、
前記制御回路は、
前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを測定させた後、
前記昇圧時比較手段において、前記第一昇圧時収縮期血圧値測定手段で測定した前記昇圧時高圧状態振幅値が前記昇圧時最大振幅値測定手段で測定した前記昇圧時最大振幅値の５０％以上又は前記昇圧時初期測定手段で測定した前記昇圧時低圧状態振幅値が前記昇圧時最大振幅値測定手段で測定した前記昇圧時最大振幅値の８５％以上のときに、前記制御回路は前記脈波検出回路の検出する脈波の振幅が所定値以下となるように前記圧迫機構の圧迫圧力を降圧させ、前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを再度測定させ、
前記第一昇圧時収縮期血圧値測定手段で測定した前記昇圧時高圧状態振幅値が前記昇圧時最大振幅値測定手段で測定した前記昇圧時最大振幅値の５０％未満で且つ前記昇圧時初期測定手段で測定した前記昇圧時低圧状態振幅値が前記昇圧時最大振幅値測定手段で測定した前記昇圧時最大振幅値の８５％未満のときに、前記制御回路は前記第二降圧時収縮期血圧値測定手段に前記第二降圧時収縮期血圧値を、ならびに前記第二降圧時拡張期血圧値測定手段に第二降圧時拡張期血圧値を測定させることを特徴とする血圧計。
【請求項２４】
前記第一昇圧時拡張期血圧値測定手段、前記昇圧時最大振幅値測定手段及び前記第一昇圧時収縮期血圧値測定手段の少なくとも一つの手段は、前記圧迫機構によって、０．１ｍｍＨｇ以上１０ｍｍＨｇ以下の第一圧力変動量づつ階段状に圧迫圧力を昇圧することを特徴とする請求項２３に記載の血圧計。
【請求項２５】
前記第二降圧時収縮期血圧値測定手段及び前記第二降圧時拡張期血圧値測定手段の少なくとも一つの手段は、前記圧迫機構によって、０．１ｍｍＨｇ以上１０ｍｍＨｇ以下の第二圧力変動量づつ階段状に圧迫圧力を降圧することを特徴とする請求項２３に記載の血圧計。
【請求項２６】
前記第二降圧時拡張期血圧値測定手段は、前記圧迫機構によって、０．１ｍｍＨｇ以上１０ｍｍＨｇ以下の範囲にあって、前記第一昇圧時拡張期血圧値測定手段の前記第一圧力変動量より小さい圧力変動量づつ階段状に圧迫圧力を降圧又は／及び前記第二降圧時収縮期血圧値測定手段は、前記圧迫機構によって、０．１ｍｍＨｇ以上１０ｍｍＨｇ以下の範囲にあって、前記第一昇圧時収縮期血圧値測定手段の前記第一圧力変動量より小さい圧力変動量づつ階段状に圧迫圧力を降圧することを特徴とする請求項２４に記載の血圧計。
【請求項２７】
圧迫圧力を発生する圧迫機構によって、被検体の血流からの脈波を検出する脈波検出回路の検出する脈波の振幅が所定値以下となるように圧迫圧力を昇圧し、前記脈波検出回路によって、所定値以下の脈波の振幅を降圧時高圧状態振幅値として測定する降圧時初期測定手段と、
前記圧迫機構によって、前記降圧時初期測定手段における圧迫圧力を５ｍｍＨｇ／秒以上５０ｍｍＨｇ／秒以下の圧力変動速度で降圧し、前記圧迫機構の圧迫圧力を測定する圧力計によって、前記脈波検出回路の検出する脈波の振幅が増大し始めるときの圧迫圧力を第一降圧時収縮期血圧値として測定する第一降圧時収縮期血圧値測定手段と、
前記圧迫機構によって、前記第一降圧時収縮期血圧値測定手段で測定した前記第一降圧時収縮期血圧値の圧迫圧力を５ｍｍＨｇ／秒以上５０ｍｍＨｇ／秒以下の圧力変動速度で降圧し、前記脈波検出回路によって、圧迫圧力の降圧時において検出する脈波の最大振幅値を降圧時最大振幅値として測定する降圧時最大振幅値測定手段と、
前記圧迫機構によって、前記降圧時最大振幅値測定手段で前記降圧時最大振幅値を測定した時に前記圧力計が測定する圧迫圧力を５ｍｍＨｇ／秒以上５０ｍｍＨｇ／秒以下の圧力変動速度で降圧し、前記圧力計によって、前記脈波検出回路の検出する脈波の振幅が一定となるときの圧迫圧力を第一降圧時拡張期血圧値として測定及び前記脈波検出回路によって、圧迫圧力が前記第一降圧時拡張期血圧値である時の脈波の振幅を降圧時低圧状態振幅値として測定する第一降圧時拡張期血圧値測定手段と、
前記脈波検出回路が検出する脈波の振幅値を比較する比較演算部によって、前記降圧時初期測定手段で測定した前記降圧時高圧状態振幅値と前記降圧時最大振幅値測定手段で測定した前記降圧時最大振幅値とを、及び前記第一降圧時拡張期血圧値測定手段で測定した前記降圧時低圧状態振幅値と前記降圧時最大振幅値測定手段で測定した前記降圧時最大振幅値とを比較する降圧時比較手段と、
前記圧迫機構によって、前記第一降圧時拡張期血圧値測定手段で測定した前記第一降圧時拡張期血圧値より低い圧迫圧力を前記第一降圧時拡張期血圧値測定手段における圧力変動速度の絶対値よりも遅い圧力変動速度で昇圧し、前記圧力計によって、前記脈波検出回路の検出する脈波の振幅が増大し始めるときの圧迫圧力を第二昇圧時拡張期血圧値として測定する第二昇圧時拡張期血圧値測定手段と、
前記圧迫機構によって、前記第二昇圧時拡張期血圧値測定手段で測定した前記第二昇圧時拡張期血圧値の圧迫圧力を前記第一降圧時収縮期血圧値測定手段における圧力変動速度の絶対値よりも遅い圧力変動速度で昇圧し、前記圧力計によって、前記脈波検出回路の検出する脈波の振幅が一定となるときの圧迫圧力を第二昇圧時収縮期血圧値として測定する第二昇圧時収縮期血圧値測定手段と、
を有する制御回路を備える血圧計であって、
前記制御回路は、
前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを測定させた後、
前記降圧時比較手段において、前記降圧時初期測定手段で測定した前記降圧時高圧状態振幅値が前記降圧時最大振幅値測定手段で測定した前記降圧時最大振幅値の５０％以上又は前記第一降圧時拡張期血圧値測定手段で測定した前記降圧時低圧状態振幅値が前記降圧時最大振幅値測定手段で測定した前記降圧時最大振幅値の８５％以上のときに、前記制御回路は前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを再度測定させ、
前記降圧時初期測定手段で測定した前記降圧時高圧状態振幅値が前記降圧時最大振幅値測定手段で測定した前記降圧時最大振幅値の５０％未満で且つ前記第一降圧時拡張期血圧値測定手段で測定した前記降圧時低圧状態振幅値が前記降圧時最大振幅値測定手段で測定した前記降圧時最大振幅値の８５％未満のときに、前記制御回路は前記第二昇圧時拡張期血圧値測定手段に第二昇圧時拡張期血圧値を、ならびに前記第二昇圧時収縮期血圧値測定手段に第二昇圧時収縮期血圧値を測定させることを特徴とする血圧計。
【請求項２８】
前記第一降圧時収縮期血圧値測定手段、前記降圧時最大振幅値測定手段及び前記第一降圧時拡張期血圧値測定手段の少なくとも一つの手段は、前記圧迫機構によって、０．１ｍｍＨｇ以上１０ｍｍＨｇ以下の第一圧力変動量づつ階段状に圧迫圧力を降圧することを特徴とする請求項２７に記載の血圧計。
【請求項２９】
前記第二昇圧時拡張期血圧値測定手段及び前記第二昇圧時収縮期血圧値測定手段の少なくとも一つの手段は、前記圧迫機構によって、０．１ｍｍＨｇ以上１０ｍｍＨｇ以下の第二圧力変動量づつ階段状に圧迫圧力を昇圧することを特徴とする請求項２７に記載の血圧計。
【請求項３０】
前記第二昇圧時収縮期血圧値測定手段は、前記圧迫機構によって、０．１ｍｍＨｇ以上１０ｍｍＨｇ以下の範囲にあって、前記第一降圧時収縮期血圧値測定手段の前記第一圧力変動量より小さい圧力変動量づつ階段状に圧迫圧力を昇圧又は／及び前記第二昇圧時拡張期血圧値測定手段は、前記圧迫機構によって、０．１ｍｍＨｇ以上１０ｍｍＨｇ以下の範囲にあって、前記第一降圧時拡張期血圧値測定手段の前記第一圧力変動量より小さい圧力変動量づつ階段状に圧迫圧力を昇圧することを特徴とする請求項２８に記載の血圧計。
【請求項３１】
被検体の血流からの脈波を検出する脈波検出回路によって、脈波の振幅を昇圧時低圧状態振幅値として測定する昇圧時初期測定手段と、
圧迫圧力を発生する圧迫機構によって、前記昇圧時初期測定手段における圧迫圧力を５ｍｍＨｇ／秒以上５０ｍｍＨｇ／秒以下の圧力変動速度で昇圧し、前記圧迫機構の圧迫圧力を測定する圧力計によって、前記脈波検出回路の検出する脈波の振幅が増大し始めるときの圧迫圧力を第一昇圧時拡張期血圧値として測定する第一昇圧時拡張期血圧値測定手段と、
前記圧迫機構によって、前記第一昇圧時拡張期血圧値測定手段で測定した前記第一昇圧時拡張期血圧値の圧迫圧力を５ｍｍＨｇ／秒以上５０ｍｍＨｇ／秒以下の圧力変動速度で昇圧し、前記脈波検出回路によって、圧迫圧力の昇圧時において検出する脈波の最大振幅値を昇圧時最大振幅値として測定する昇圧時最大振幅値測定手段と、
前記圧迫機構によって、前記昇圧時最大振幅値測定手段で前記昇圧時最大振幅値を測定した時に前記圧力計が測定する圧迫圧力を５ｍｍＨｇ／秒以上５０ｍｍＨｇ／秒以下の圧力変動速度で昇圧し、前記圧力計によって、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手段と、
前記脈波検出回路が検出する脈波の振幅値を比較する比較演算部によって、前記第一昇圧時収縮期血圧値測定手段で測定した前記昇圧時高圧状態振幅値と前記昇圧時最大振幅値測定手段で測定した前記昇圧時最大振幅値とを、及び前記昇圧時初期測定手段で測定した前記昇圧時低圧状態振幅値と前記昇圧時最大振幅値測定手段で測定した前記昇圧時最大振幅値とを比較する昇圧時比較手段と、
前記圧迫機構によって、前記第一昇圧時拡張期血圧値測定手段で測定した第一昇圧時拡張期血圧値より低い圧迫圧力を前記第一昇圧時拡張期血圧値測定手段における圧力変動速度の絶対値よりも遅い圧力変動速度で昇圧し、前記圧力計によって、前記脈波検出回路の検出する脈波の振幅が増大し始めるときの圧迫圧力を第二昇圧時拡張期血圧値として測定する第二昇圧時拡張期血圧値測定手段と、
前記圧迫機構によって、前記第二昇圧時拡張期血圧値測定手段で測定した前記第二昇圧時拡張期血圧値の圧迫圧力を前記第一昇圧時収縮期血圧値測定手段における圧力変動速度の絶対値よりも遅い圧力変動速度で昇圧し、前記圧力計によって、前記脈波検出回路の検出する脈波の振幅が一定となるときの圧迫圧力を第二昇圧時収縮期血圧値として測定する第二昇圧時収縮期血圧値測定手段と、
を有する制御回路を備える血圧計であって、
前記制御回路は、
前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを測定させた後、
前記昇圧時比較手段において、前記第一昇圧時収縮期血圧値測定手段で測定した前記昇圧時高圧状態振幅値が前記昇圧時最大振幅値測定手段で測定した前記昇圧時最大振幅値の５０％以上又は前記昇圧時初期測定手段で測定した前記昇圧時低圧状態振幅値が前記昇圧時最大振幅値測定手段で測定した前記昇圧時最大振幅値の８５％以上のときに、前記制御回路は前記脈波検出回路の検出する脈波の振幅が所定値以下となるように前記圧迫機構の圧迫圧力を降圧させ、前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを再度測定させ、
前記第一昇圧時収縮期血圧値測定手段で測定した前記昇圧時高圧状態振幅値が前記昇圧時最大振幅値測定手段で測定した前記昇圧時最大振幅値の５０％未満で且つ前記昇圧時初期測定手段で測定した前記昇圧時低圧状態振幅値が前記昇圧時最大振幅値測定手段で測定した前記昇圧時最大振幅値の８５％未満のときに、前記制御回路は前記第二昇圧時拡張期血圧値測定手段に第二昇圧時拡張期血圧値を、ならびに前記第二昇圧時収縮期血圧値測定手段に第二昇圧時収縮期血圧値を測定させることを特徴とする血圧計。
【請求項３２】
前記第一昇圧時拡張期血圧値測定手段、前記昇圧時最大振幅値測定手段及び前記第一昇圧時収縮期血圧値測定手段の少なくとも一つの手段は、前記圧迫機構によって、０．１ｍｍＨｇ以上１０ｍｍＨｇ以下の第一圧力変動量づつ階段状に圧迫圧力を昇圧することを特徴とする請求項３１に記載の血圧計。
【請求項３３】
前記第二昇圧時拡張期血圧値測定手段及び前記第二昇圧時収縮期血圧値測定手段の少なくとも一つの手段は、前記圧迫機構によって、０．１ｍｍＨｇ以上１０ｍｍＨｇ以下の第二圧力変動量づつ階段状に圧迫圧力を昇圧することを特徴とする請求項３１に記載の血圧計。
【請求項３４】
前記第二昇圧時拡張期血圧値測定手段は、前記圧迫機構によって、０．１ｍｍＨｇ以上１０ｍｍＨｇ以下の範囲にあって、前記第一昇圧時拡張期血圧値測定手段の前記第一圧力変動量より小さい圧力変動量づつ階段状に圧迫圧力を昇圧又は／及び前記第二昇圧時収縮期血圧値測定手段は、前記圧迫機構によって、０．１ｍｍＨｇ以上１０ｍｍＨｇ以下の範囲にあって、前記第一昇圧時収縮期血圧値測定手段の前記第一圧力変動量より小さい圧力変動量づつ階段状に圧迫圧力を昇圧することを特徴とする請求項３２に記載の血圧計。
【請求項３５】
前記第一降圧時収縮期血圧値測定手段、前記降圧時最大振幅値測定手段及び前記第一降圧時拡張期血圧値測定手段における前記圧力計は１０ｍ秒以上２００ｍ秒以下の時間毎に前記圧迫機構の圧迫圧力を測定することを特徴とする請求項１９から２２及び請求項２７から３０に記載のいずれかの血圧計。
【請求項３６】
前記第一昇圧時収縮期血圧値測定手段、前記昇圧時最大振幅値測定手段及び前記第一昇圧時拡張期血圧値測定手段における前記圧力計は１０ｍ秒以上２００ｍ秒以下の時間毎に前記圧迫機構の圧迫圧力を測定することを特徴とする請求項２３から２６及び請求項３１から３４に記載のいずれかの血圧計。
【請求項３７】
前記脈波検出回路は、
出射光を発光する発光素子と、
前記発光素子からの前記出射光が被検体の血流により散乱、透過又は反射した測定光を受光し、電気信号に変換する受光素子と、
を搭載することを特徴とする請求項１から１８に記載のいずれかの血圧計制御方法。
【請求項３８】
前記脈波検出回路は、
出射光を発光する発光素子と、
前記発光素子からの前記出射光が被検体の血流により散乱、透過又は反射した測定光を受光し、電気信号に変換する受光素子と、
を搭載することを特徴とする請求項１９から３６に記載のいずれかの血圧計。
【発明の詳細な説明】
【技術分野】
【０００１】
本発明は、血圧測定前に血圧測定に適した血流の脈波が得られていることを確認し、血圧測定を行うように血圧計を制御する方法及びその制御回路を備えた血圧計に関するものである。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。最近、より小型な装置で簡便に脈波を検出し、高精度に血圧を測定する方法として、装置を耳介などの被検体の末梢部に常時装着し、装置内に備えた発光素子により被検体へ照射した照射光が被検体の血管あるいは血管内の血球により散乱された散乱光を、装置内に備えた受光素子により受光し、受光した散乱光から脈波を検出する光電型血圧測定手段が開発されている（例えば、特許文献１参照。）。この装置は外耳道又は外耳等の末梢部に装着され、脈拍、脈波、心電、体温、動脈血酸素飽和度及び血圧などを被検体内へ放射した赤外光、可視光の散乱光の受光量から計算するものである。
【特許文献１】特開平９−１２２０８３号公報
【発明の開示】
【発明が解決しようとする課題】
【０００３】
上記のような末梢部に装着する血圧計は微細な脈波を検出するために、血圧計を前記脈波が取得可能な位置、すなわち血圧測定に適した位置に装着する必要がある。しかし、従来の血圧計は血圧測定に適した位置に装着されているか否かの判断をすることができず測定した血圧値の精度に課題があった。
【０００４】
本発明は上記課題を解決するためになされたもので、血圧測定前に短時間で血圧計の装着位置の適否を判断し、精度よく血圧値を測定できる血圧計制御方法及びその制御回路を備えた血圧計を提供することを目的とする。
【課題を解決するための手段】
【０００５】
上記目的を達成するために、本発明に係る血圧計制御方法は、血圧測定前に被検体を圧迫したときの被検体内の血流の脈波を取得し、前記脈波の振幅の最大値、阻血状態の脈波の振幅値及び脈動状態の脈波の振幅値の比率から血圧計が血圧測定に適した位置に装着されているか否かの判断をすることとした。
【０００６】
具体的には、本発明に係る血圧計制御方法は、圧迫圧力を発生する圧迫機構が、被検体の血流からの脈波を検出する脈波検出回路の検出する脈波の振幅が所定値以下となるように圧迫圧力を昇圧し、前記脈波検出回路が、所定値以下の脈波の振幅を降圧時高圧状態振幅値として測定する降圧時初期値測定手順と、前記降圧時初期値測定手順の後、前記圧迫機構が、５ｍｍＨｇ／秒以上５０ｍｍＨｇ／秒以下の圧力変動速度で圧迫圧力を降圧し、前記圧迫機構の圧迫圧力を測定する圧力計が、前記脈波検出回路の検出する脈波の振幅が増大し始めるときの圧迫圧力を第一降圧時収縮期血圧値として測定する第一降圧時収縮期血圧値測定手順と、前記第一降圧時収縮期血圧値測定手順の後、前記圧迫機構が、５ｍｍＨｇ／秒以上５０ｍｍＨｇ／秒以下の圧力変動速度で圧迫圧力を降圧し、前記脈波検出回路が、圧迫圧力の降圧時において検出する脈波の最大振幅値を降圧時最大振幅値として測定する降圧時最大振幅値測定手順と、前記降圧時最大振幅値測定手順の後、前記圧迫機構が、５ｍｍＨｇ／秒以上５０ｍｍＨｇ／秒以下の圧力変動速度で圧迫圧力を降圧し、前記圧力計が、前記脈波検出回路の検出する脈波の振幅が一定となるときの圧迫圧力を第一降圧時拡張期血圧値として測定及び前記脈波検出回路が、圧迫圧力が前記第一降圧時拡張期血圧値である時の脈波の振幅を降圧時低圧状態振幅値として測定する第一降圧時拡張期血圧値測定手順と、前記第一降圧時拡張期血圧値測定手順の後、前記脈波検出回路が検出する脈波の振幅値を比較する比較演算部が、前記降圧時初期値測定手順で測定した前記降圧時高圧状態振幅値と前記降圧時最大振幅値測定手順で測定した前記降圧時最大振幅値とを、及び前記第一降圧時拡張期血圧値測定手順で測定した前記降圧時低圧状態振幅値と前記降圧時最大振幅値測定手順で測定した前記降圧時最大振幅値とを比較する降圧時比較手順と、前記圧迫機構が、前記第一降圧時収縮期血圧値測定手順における前記圧力変動速度の絶対値よりも小さい圧力変動速度で圧迫圧力を降圧し、前記圧力計が、前記脈波検出回路の検出する脈波の振幅が増大し始めるときの圧迫圧力を第二降圧時収縮期血圧値として測定する第二降圧時収縮期血圧値測定手順と、前記第二降圧時収縮期血圧値測定手順の後、前記圧迫機構が、前記第一降圧時拡張期血圧値測定手順における前記圧力変動速度の絶対値よりも小さい圧力変動速度で圧迫圧力を降圧し、前記圧力計が、前記脈波検出回路の検出する脈波の振幅が一定となるときの圧迫圧力を第二降圧時拡張期血圧値として測定する第二降圧時拡張期血圧値測定手順と、を備える血圧計制御方法であって、前記降圧時比較手順において、前記降圧時初期値測定手順で測定した前記降圧時高圧状態振幅値が前記降圧時最大振幅値測定手順で測定した前記降圧時最大振幅値の５０％以上又は前記第一降圧時拡張期血圧値測定手順で測定した前記降圧時低圧状態振幅値が前記降圧時最大振幅値測定手順で測定した前記降圧時最大振幅値の８５％以上のときに、前記降圧時初期値測定手順から前記第一降圧時拡張期血圧値測定手順までを再度行い、前記降圧時初期値測定手順で測定した前記降圧時高圧状態振幅値が前記降圧時最大振幅値測定手順で測定した前記降圧時最大振幅値の５０％未満で且つ前記第一降圧時拡張期血圧値測定手順で測定した前記降圧時低圧状態振幅値が前記降圧時最大振幅値測定手順で測定した前記降圧時最大振幅値の８５％未満のときに、前記圧迫機構が、前記第一降圧時収縮期血圧値測定手順で測定した前記第一降圧時収縮期血圧値よりも高い圧迫圧力まで昇圧した後に前記第二降圧時収縮期血圧値測定手順と前記第二降圧時拡張期血圧値測定手順とを行うことを特徴とする血圧計制御方法である。
【０００７】
本発明に係る血圧計制御方法は、被検体の血流からの脈波を検出する脈波検出回路が、脈波の振幅を昇圧時低圧状態振幅値として測定する昇圧時初期値測定手順と、前記昇圧時初期値測定手順の後、圧迫圧力を発生する圧迫機構が、５ｍｍＨｇ／秒以上５０ｍｍＨｇ／秒以下の圧力変動速度で圧迫圧力を昇圧し、前記圧迫機構の圧迫圧力を測定する圧力計が、前記脈波検出回路の検出する脈波の振幅が増大し始めるときの圧迫圧力を第一昇圧時拡張期血圧値として測定する第一昇圧時拡張期血圧値測定手順と、前記第一昇圧時拡張期血圧値測定手順の後、前記圧迫機構が、５ｍｍＨｇ／秒以上５０ｍｍＨｇ／秒以下の圧力変動速度で圧迫圧力を昇圧し、前記脈波検出回路が、圧迫圧力の昇圧時において検出する脈波の最大振幅値を昇圧時最大振幅値として測定する昇圧時最大振幅値測定手順と、前記昇圧時最大振幅値測定手順の後、前記圧迫機構が、５ｍｍＨｇ／秒以上５０ｍｍＨｇ／秒以下の圧力変動速度で圧迫圧力を昇圧し、前記圧力計が、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手順と、前記第一昇圧時収縮期血圧値測定手順の後、前記脈波検出回路が検出する脈波の振幅値を比較する比較演算部が、前記第一昇圧時収縮期血圧値測定手順で測定した前記昇圧時高圧状態振幅値と前記昇圧時最大振幅値測定手順で測定した前記昇圧時最大振幅値とを、及び前記昇圧時初期値測定手順で測定した前記昇圧時低圧状態振幅値と前記昇圧時最大振幅値測定手順で測定した前記昇圧時最大振幅値とを比較する昇圧時比較手順と、前記圧迫機構が、前記第一昇圧時収縮期血圧値測定手順における前記圧力変動速度の絶対値よりも遅い圧力変動速度で圧迫圧力を降圧し、前記圧力計が、前記脈波検出回路の検出する脈波の振幅が増大し始めるときの圧迫圧力を第二降圧時収縮期血圧値として測定する第二降圧時収縮期血圧値測定手順と、前記第二降圧時収縮期血圧値測定手順の後、前記圧迫機構が、前記第一昇圧時拡張期血圧値測定手順における前記圧力変動速度の絶対値よりも遅い圧力変動速度で圧迫圧力を降圧し、前記圧力計が、前記脈波検出回路の検出する脈波の振幅が一定となるときの圧迫圧力を第二降圧時拡張期血圧値として測定する第二降圧時拡張期血圧値測定手順と、を備える血圧計制御方法であって、前記昇圧時比較手順において、前記第一昇圧時収縮期血圧値測定手順で測定した前記昇圧時高圧状態振幅値が前記昇圧時最大振幅値測定手順で測定した前記昇圧時最大振幅値の５０％以上又は前記昇圧時初期値測定手順で測定した前記昇圧時低圧状態振幅値が前記昇圧時最大振幅値測定手順で測定した前記昇圧時最大振幅値の８５％以上のときに、前記脈波検出回路の検出する脈波の振幅が所定値以下となるように前記圧迫機構の圧迫圧力を降圧し、前記昇圧時初期値測定手順から前記第一昇圧時収縮期血圧値測定手順までを再度行い、前記第一昇圧時収縮期血圧値測定手順で測定した前記昇圧時高圧状態振幅値が前記昇圧時最大振幅値測定手順で測定した前記昇圧時最大振幅値の５０％未満で且つ前記昇圧時初期値測定手順で測定した前記昇圧時低圧状態振幅値が前記昇圧時最大振幅値測定手順で測定した前記昇圧時最大振幅値の８５％未満のときに、前記第一昇圧時収縮期血圧値測定手順で測定した前記第一昇圧時収縮期血圧値よりも高い圧迫圧力から前記第二降圧時収縮期血圧値測定手順と前記第二降圧時拡張期血圧値測定手順とを行うことを特徴とする血圧計制御方法である。
【０００８】
本発明に係る血圧計制御方法は、圧迫圧力を発生する圧迫機構が、被検体の血流からの脈波を検出する脈波検出回路の検出する脈波の振幅が所定値以下となるように圧迫圧力を昇圧し、前記脈波検出回路が、所定値以下の脈波の振幅を降圧時高圧状態振幅値として測定する降圧時初期値測定手順と、前記降圧時初期値測定手順の後、前記圧迫機構が、５ｍｍＨｇ／秒以上５０ｍｍＨｇ／秒以下の圧力変動速度で圧迫圧力を降圧し、前記圧迫機構の圧迫圧力を測定する圧力計が、前記脈波検出回路の検出する脈波の振幅が増大し始めるときの圧迫圧力を第一降圧時収縮期血圧値として測定する第一降圧時収縮期血圧値測定手順と、前記第一降圧時収縮期血圧値測定手順の後、前記圧迫機構が、５ｍｍＨｇ／秒以上５０ｍｍＨｇ／秒以下の圧力変動速度で圧迫圧力を降圧し、前記脈波検出回路が、圧迫圧力の降圧時において検出する脈波の最大振幅値を降圧時最大振幅値として測定する降圧時最大振幅値測定手順と、前記降圧時最大振幅値測定手順の後、前記圧迫機構が、５ｍｍＨｇ／秒以上５０ｍｍＨｇ／秒以下の圧力変動速度で圧迫圧力を降圧し、前記圧力計が、前記脈波検出回路の検出する脈波の振幅が一定となるときの圧迫圧力を第一降圧時拡張期血圧値として測定及び前記脈波検出回路が、圧迫圧力が前記第一降圧時拡張期血圧値である時の脈波の振幅を降圧時低圧状態振幅値として測定する第一降圧時拡張期血圧値測定手順と、前記第一降圧時拡張期血圧値測定手順の後、前記脈波検出回路が検出する脈波の振幅値を比較する比較演算部が、前記降圧時初期値測定手順で測定した前記降圧時高圧状態振幅値と前記降圧時最大振幅値測定手順で測定した前記降圧時最大振幅値とを、及び前記第一降圧時拡張期血圧値測定手順で測定した前記降圧時低圧状態振幅値と前記降圧時最大振幅値測定手順で測定した前記降圧時最大振幅値とを比較する降圧時比較手順と、前記圧迫機構が、前記第一降圧時拡張期血圧値測定手順における圧力変動速度の絶対値よりも遅い圧力変動速度で圧迫圧力を昇圧し、前記圧力計が、前記脈波検出回路の検出する脈波の振幅が増大し始めるときの圧迫圧力を第二昇圧時拡張期血圧値として測定する第二昇圧時拡張期血圧値測定手順と、前記第二昇圧時拡張期血圧値測定手順の後、前記圧迫機構が、前記第一降圧時収縮期血圧値測定手順における圧力変動速度の絶対値よりも遅い圧力変動速度で圧迫圧力を昇圧し、前記圧力計が、前記脈波検出回路の検出する脈波の振幅が一定となるときの圧迫圧力を第二昇圧時収縮期血圧値として測定する第二昇圧時収縮期血圧値測定手順と、を備える血圧計制御方法であって、前記降圧時比較手順において、前記降圧時初期値測定手順で測定した前記降圧時高圧状態振幅値が前記降圧時最大振幅値測定手順で測定した前記降圧時最大振幅値の５０％以上又は前記第一降圧時拡張期血圧値測定手順で測定した前記降圧時低圧状態振幅値が前記降圧時最大振幅値測定手順で測定した前記降圧時最大振幅値の８５％以上のときに、前記降圧時初期値測定手順から前記第一降圧時拡張期血圧値測定手順までを再度行い、前記降圧時初期値測定手順で測定した前記降圧時高圧状態振幅値が前記降圧時最大振幅値測定手順で測定した前記降圧時最大振幅値の５０％未満で且つ前記第一降圧時拡張期血圧値測定手順で測定した前記降圧時低圧状態振幅値が前記降圧時最大振幅値測定手順で測定した前記降圧時最大振幅値の８５％未満のときに、前記第一降圧時拡張期血圧値測定手順で測定した前記第一降圧時拡張期血圧値より低い圧迫圧力から前記第二昇圧時拡張期血圧値測定手順と前記第二昇圧時収縮期血圧値測定手順とを行うことを特徴とする血圧計制御方法である。
【０００９】
本発明に係る血圧計制御方法は、被検体の血流からの脈波を検出する脈波検出回路が脈波の振幅を昇圧時低圧状態振幅値として測定する昇圧時初期値測定手順と、前記昇圧時初期値測定手順の後、圧迫圧力を発生する圧迫機構が、５ｍｍＨｇ／秒以上５０ｍｍＨｇ／秒以下の圧力変動速度で圧迫圧力を昇圧し、前記圧迫機構の圧迫圧力を測定する圧力計が、前記脈波検出回路の検出する脈波の振幅が増大し始めるときの圧迫圧力を第一昇圧時拡張期血圧値として測定する第一昇圧時拡張期血圧値測定手順と、前記第一昇圧時拡張期血圧値測定手順の後、前記圧迫機構が、５ｍｍＨｇ／秒以上５０ｍｍＨｇ／秒以下の圧力変動速度で圧迫圧力を昇圧し、前記脈波検出回路が、圧迫圧力の昇圧時において検出する脈波の最大振幅値を昇圧時最大振幅値として測定する昇圧時最大振幅値測定手順と、前記昇圧時最大振幅値測定手順の後、前記圧迫機構が、５ｍｍＨｇ／秒以上５０ｍｍＨｇ／秒以下の圧力変動速度で圧迫圧力を昇圧し、前記圧力計が、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手順と、前記第一昇圧時収縮期血圧値測定手順の後、前記脈波検出回路が検出する脈波の振幅値を比較する比較演算部が、前記第一昇圧時収縮期血圧値測定手順で測定した前記昇圧時高圧状態振幅値と前記昇圧時最大振幅値測定手順で測定した前記昇圧時最大振幅値とを、及び前記昇圧時初期値測定手順で測定した前記昇圧時低圧状態振幅値と前記昇圧時最大振幅値測定手順で測定した前記昇圧時最大振幅値とを比較する昇圧時比較手順と、前記圧迫機構が、前記第一昇圧時拡張期血圧値測定手順における圧力変動速度の絶対値よりも遅い圧力変動速度で圧迫圧力を昇圧し、前記圧力計が、前記脈波検出回路の検出する脈波の振幅が増大し始めるときの圧迫圧力を第二昇圧時拡張期血圧値として測定する第二昇圧時拡張期血圧値測定手順と、前記第二昇圧時拡張期血圧値測定手順の後、前記圧迫機構が、前記第一昇圧時収縮期血圧値測定手順における圧力変動速度の絶対値よりも遅い圧力変動速度で圧迫圧力を昇圧し、前記圧力計が、前記脈波検出回路の検出する振幅が一定となるときの圧迫圧力を第二昇圧時収縮期血圧値として測定する第二昇圧時収縮期血圧値測定手順と、を備える血圧計制御方法であって、前記昇圧時比較手順において、前記第一昇圧時収縮期血圧値測定手順で測定した前記昇圧時高圧状態振幅値が前記昇圧時最大振幅値測定手順で測定した前記昇圧時最大振幅値の５０％以上又は前記昇圧時初期値測定手順で測定した前記昇圧時低圧状態振幅値が前記昇圧時最大振幅値測定手順で測定した前記昇圧時最大振幅値の８５％以上のときに、前記脈波検出回路の検出する脈波の振幅が所定値以下となるように前記圧迫機構の圧迫圧力を降圧し、前記昇圧時初期値測定手順から前記第一昇圧時収縮期血圧値測定手順までを再度行い、前記第一昇圧時収縮期血圧値測定手順で測定した前記昇圧時高圧状態振幅値が前記昇圧時最大振幅値測定手順で測定した前記昇圧時最大振幅値の５０％未満で且つ前記昇圧時初期値測定手順で測定した前記昇圧時低圧状態振幅値が前記昇圧時最大振幅値測定手順で測定した前記昇圧時最大振幅値の８５％未満のときに、前記圧迫機構が、前記第一昇圧時拡張期血圧値よりも低い圧迫圧力まで降圧した後に前記第二昇圧時拡張期血圧値測定手順から前記第二昇圧時収縮期血圧値測定手順までを行うことを特徴とする血圧計制御方法である。
【００１０】
本発明に係る血圧計制御方法は、血圧計に予め前記圧迫機構の前記被検体を圧迫する圧迫圧力を所定の圧力範囲で大まかに単調変化させ、前記脈波検出回路により前記被検体からの脈波を検出させる（以下、「予め前記圧迫機構の前記被検体を圧迫する圧迫圧力を所定の圧力範囲で大まかに単調変化させ、前記脈波検出回路により前記被検体からの脈波を検出すること」を「事前測定」と略記する。）。
【００１１】
前記血圧計制御方法は、前記事前測定において、血圧計に阻血状態である被検体内の血流の脈波の振幅値（阻血状態振幅値）、脈動状態である被検体内の血流の脈波の振幅値（脈動状態振幅値）及び阻血状態と脈動状態との間で被検体内の血流の脈波の振幅の最大値（最大振幅値）を測定させる。前記阻血状態振幅値、前記脈動状態振幅値及び前記最大振幅値は、血圧計の装着位置により変動するため、前記阻血状態振幅値と前記最大振幅値との比率及び前記脈動状態振幅値と前記最大振幅値との比率から血圧計の装着位置の適否を判断することができる。ゆえに、血圧計制御方法は血圧計が血圧測定に適した位置に装着されている場合に血圧計に血圧測定をさせることで精度よく血圧値を測定することができる。
【００１２】
また、前記事前測定は血圧計の装着位置が血圧測定に適しているか否かの判断のため、前記事前測定時の前記圧迫機構が被検体を圧迫する圧迫圧力は大まかな値でよい。ゆえに、前記血圧計制御方法は前記事前測定後の正確な血圧測定（以下、「前記事前測定後の正確な血圧測定」を「血圧本測定」と略記する。）時より前記事前測定時の圧迫圧力の圧力変動速度を速くすることができ、前記事前測定の時間を短縮することができる。
【００１３】
従って、本発明は血圧測定前に短時間で血圧計の装着位置の適否を判断でき、精度よく血圧値を測定することができる血圧計制御方法を提供することができる。
【００１４】
上記目的を達成するために、本願の発明に係る血圧計は、血圧測定前に被検体を圧迫したときの被検体内の血流の脈波を取得し、前記脈波の振幅の最大値、阻血状態の脈波の振幅値及び脈動状態の脈波の振幅値の比率から血圧測定に適した位置を良好に阻血しているか否かの判断をする制御回路を備えることとした。
【００１５】
具体的には、本発明に係る血圧計は、圧迫圧力を発生する圧迫機構によって、被検体の血流からの脈波を検出する脈波検出回路の検出する脈波の振幅が所定値以下となるように圧迫圧力を昇圧し、前記脈波検出回路によって、所定値以下の脈波の振幅を降圧時高圧状態振幅値として測定する降圧時初期測定手段と、前記圧迫機構によって、前記降圧時初期測定手段における圧迫圧力を５ｍｍＨｇ／秒以上５０ｍｍＨｇ／秒以下の圧力変動速度で降圧し、前記圧迫機構の圧迫圧力を測定する圧力計によって、前記脈波検出回路の検出する脈波の振幅が増大し始めるときの圧迫圧力を第一降圧時収縮期血圧値として測定する第一降圧時収縮期血圧値測定手段と、前記圧迫機構によって、前記第一降圧時収縮期血圧値測定手段で測定した前記第一降圧時収縮期血圧値の圧迫圧力を５ｍｍＨｇ／秒以上５０ｍｍＨｇ／秒以下の圧力変動速度で降圧し、前記脈波検出回路によって、圧迫圧力の降圧時において検出する脈波の最大振幅値を降圧時最大振幅値として測定する降圧時最大振幅値測定手段と、前記圧迫機構によって、前記降圧時最大振幅値測定手段で前記降圧時最大振幅値を測定した時に前記圧力計が測定する圧迫圧力を５ｍｍＨｇ／秒以上５０ｍｍＨｇ／秒以下の圧力変動速度で降圧し、前記圧力計によって、前記脈波検出回路の検出する脈波の振幅が一定となるときの圧迫圧力を第一降圧時拡張期血圧値として測定及び前記脈波検出回路によって、圧迫圧力が前記第一降圧時拡張期血圧値である時の脈波の振幅を降圧時低圧状態振幅値として測定する第一降圧時拡張期血圧値測定手段と、前記脈波検出回路が検出する脈波の振幅値を比較する比較演算部によって、前記降圧時初期測定手段で測定した前記降圧時高圧状態振幅値と前記降圧時最大振幅値測定手段で測定した前記降圧時最大振幅値とを、及び前記第一降圧時拡張期血圧値測定手段で測定した前記降圧時低圧状態振幅値と前記降圧時最大振幅値測定手段で測定した前記降圧時最大振幅値とを比較する降圧時比較手段と、前記圧迫機構によって、前記第一降圧時収縮期血圧値測定手段で測定した前記第一降圧時収縮期血圧値よりも高い圧迫圧力を前記第一降圧時収縮期血圧値測定手段における前記圧力変動速度の絶対値よりも小さい圧力変動速度で降圧し、前記圧力計によって、前記脈波検出回路の検出する脈波の振幅が増大し始めるときの圧迫圧力を第二降圧時収縮期血圧値として測定する第二降圧時収縮期血圧値測定手段と、前記圧迫機構によって、前記第二降圧時収縮期血圧値測定手段で測定した前記第二降圧時収縮期血圧値の圧迫圧力を前記第一降圧時拡張期血圧値測定手段における前記圧力変動速度の絶対値よりも小さい圧力変動速度で降圧し、前記圧力計によって、前記脈波検出回路の検出する脈波の振幅が一定となるときの圧迫圧力を第二降圧時拡張期血圧値として測定する第二降圧時拡張期血圧値測定手段と、を有する制御回路を備える血圧計であって、前記降圧時比較手段において、前記降圧時初期測定手段で測定した前記降圧時高圧状態振幅値が前記降圧時最大振幅値測定手段で測定した前記降圧時最大振幅値の５０％以上又は前記第一降圧時拡張期血圧値測定手段で測定した前記降圧時低圧状態振幅値が前記降圧時最大振幅値測定手段で測定した前記降圧時最大振幅値の８５％以上のときに、前記制御回路は前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを測定させ、前記降圧時初期測定手段で測定した前記降圧時高圧状態振幅値が前記降圧時最大振幅値測定手段で測定した前記降圧時最大振幅値の５０％未満で且つ前記第一降圧時拡張期血圧値測定手段で測定した前記降圧時低圧状態振幅値が前記降圧時最大振幅値測定手段で測定した前記降圧時最大振幅値の８５％未満のときに、前記制御回路は前記第二降圧時収縮期血圧値測定手段に第二降圧時収縮期血圧値を、ならびに前記第二降圧時拡張期血圧値測定手段に第二降圧時拡張期血圧値を測定させることを特徴とする血圧計である。
【００１６】
本発明に係る血圧計は、被検体の血流からの脈波を検出する脈波検出回路によって、脈波の振幅を昇圧時低圧状態振幅値として測定する昇圧時初期測定手段と、圧迫圧力を発生する圧迫機構によって、前記昇圧時初期測定手段における圧迫圧力を５ｍｍＨｇ／秒以上５０ｍｍＨｇ／秒以下の圧力変動速度で昇圧し、前記圧迫機構の圧迫圧力を測定する圧力計によって、前記脈波検出回路の検出する脈波の振幅が増大し始めるときの圧迫圧力を第一昇圧時拡張期血圧値として測定する第一昇圧時拡張期血圧値測定手段と、前記圧迫機構によって、前記第一昇圧時拡張期血圧値測定手段で測定した前記第一昇圧時拡張期血圧値の圧迫圧力を５ｍｍＨｇ／秒以上５０ｍｍＨｇ／秒以下の圧力変動速度で昇圧し、前記脈波検出回路によって、圧迫圧力の昇圧時において検出する脈波の最大振幅値を昇圧時最大振幅値として測定する昇圧時最大振幅値測定手段と、前記圧迫機構によって、前記昇圧時最大振幅値測定手段で前記昇圧時最大振幅値を測定した時に前記圧力計が測定する圧迫圧力を５ｍｍＨｇ／秒以上５０ｍｍＨｇ／秒以下の圧力変動速度で昇圧し、前記圧力計によって、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手段と、前記脈波検出回路が検出する脈波の振幅値を比較する比較演算部によって、前記第一昇圧時収縮期血圧値測定手段で測定した前記昇圧時高圧状態振幅値と前記昇圧時最大振幅値測定手段で測定した前記昇圧時最大振幅値とを、及び前記昇圧時初期測定手段で測定した前記昇圧時低圧状態振幅値と前記昇圧時最大振幅値測定手段で測定した前記昇圧時最大振幅値とを比較する昇圧時比較手段と、前記圧迫機構によって、前記第一昇圧時収縮期血圧値測定手段で測定した前記第一昇圧時収縮期血圧値よりも高い圧迫圧力を前記第一昇圧時収縮期血圧値測定手段における前記圧力変動速度の絶対値よりも遅い圧力変動速度で降圧し、前記圧力計によって、前記脈波検出回路の検出する脈波の振幅が増大し始めるときの圧迫圧力を第二降圧時収縮期血圧値として測定する第二降圧時収縮期血圧値測定手段と、前記圧迫機構によって、前記第二降圧時収縮期血圧値測定手段で測定した前記第二降圧時収縮期血圧値の圧迫圧力を前記第一昇圧時拡張期血圧値測定手段における前記圧力変動速度の絶対値よりも遅い圧力変動速度で降圧し、前記圧力計が、前記脈波検出回路の検出する脈波の振幅が一定となるときの圧迫圧力を第二降圧時拡張期血圧値として測定する第二降圧時拡張期血圧値測定手段と、を有する制御回路を備える血圧計であって、前記昇圧時比較手段において、前記第一昇圧時収縮期血圧値測定手段で測定した前記昇圧時高圧状態振幅値が前記昇圧時最大振幅値測定手段で測定した前記昇圧時最大振幅値の５０％以上又は前記昇圧時初期測定手段で測定した前記昇圧時低圧状態振幅値が前記昇圧時最大振幅値測定手段で測定した前記昇圧時最大振幅値の８５％以上のときに、前記制御回路は前記脈波検出回路の検出する脈波の振幅が所定値以下となるように前記圧迫機構の圧迫圧力を降圧させ、前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを測定させ、前記第一昇圧時収縮期血圧値測定手段で測定した前記昇圧時高圧状態振幅値が前記昇圧時最大振幅値測定手段で測定した前記昇圧時最大振幅値の５０％未満で且つ前記昇圧時初期測定手段で測定した前記昇圧時低圧状態振幅値が前記昇圧時最大振幅値測定手段で測定した前記昇圧時最大振幅値の８５％未満のときに、前記制御回路は前記第二降圧時収縮期血圧値測定手段に前記第二降圧時収縮期血圧値を、ならびに前記第二降圧時拡張期血圧値測定手段に第二降圧時拡張期血圧値を測定させることを特徴とする血圧計である。
【００１７】
本発明に係る血圧計は、圧迫圧力を発生する圧迫機構によって、被検体の血流からの脈波を検出する脈波検出回路の検出する脈波の振幅が所定値以下となるように圧迫圧力を昇圧し、前記脈波検出回路によって、所定値以下の脈波の振幅を降圧時高圧状態振幅値として測定する降圧時初期測定手段と、前記圧迫機構によって、前記降圧時初期測定手段における圧迫圧力を５ｍｍＨｇ／秒以上５０ｍｍＨｇ／秒以下の圧力変動速度で降圧し、前記圧迫機構の圧迫圧力を測定する圧力計によって、前記脈波検出回路の検出する脈波の振幅が増大し始めるときの圧迫圧力を第一降圧時収縮期血圧値として測定する第一降圧時収縮期血圧値測定手段と、前記圧迫機構によって、前記第一降圧時収縮期血圧値測定手段で測定した前記第一降圧時収縮期血圧値の圧迫圧力を５ｍｍＨｇ／秒以上５０ｍｍＨｇ／秒以下の圧力変動速度で降圧し、前記脈波検出回路によって、圧迫圧力の降圧時において検出する脈波の最大振幅値を降圧時最大振幅値として測定する降圧時最大振幅値測定手段と、前記圧迫機構によって、前記降圧時最大振幅値測定手段で前記降圧時最大振幅値を測定した時に前記圧力計が測定する圧迫圧力を５ｍｍＨｇ／秒以上５０ｍｍＨｇ／秒以下の圧力変動速度で降圧し、前記圧力計によって、前記脈波検出回路の検出する脈波の振幅が一定となるときの圧迫圧力を第一降圧時拡張期血圧値として測定及び前記脈波検出回路によって、圧迫圧力が前記第一降圧時拡張期血圧値である時の脈波の振幅を降圧時低圧状態振幅値として測定する第一降圧時拡張期血圧値測定手段と、前記脈波検出回路が検出する脈波の振幅値を比較する比較演算部によって、前記降圧時初期測定手段で測定した前記降圧時高圧状態振幅値と前記降圧時最大振幅値測定手段で測定した前記降圧時最大振幅値とを、及び前記第一降圧時拡張期血圧値測定手段で測定した前記降圧時低圧状態振幅値と前記降圧時最大振幅値測定手段で測定した前記降圧時最大振幅値とを比較する降圧時比較手段と、前記圧迫機構によって、前記第一降圧時拡張期血圧値測定手段で測定した前記第一降圧時拡張期血圧値より低い圧迫圧力を前記第一降圧時拡張期血圧値測定手段における圧力変動速度の絶対値よりも遅い圧力変動速度で昇圧し、前記圧力計によって、前記脈波検出回路の検出する脈波の振幅が増大し始めるときの圧迫圧力を第二昇圧時拡張期血圧値として測定する第二昇圧時拡張期血圧値測定手段と、前記圧迫機構によって、前記第二昇圧時拡張期血圧値測定手段で測定した前記第二昇圧時拡張期血圧値の圧迫圧力を前記第一降圧時収縮期血圧値測定手段における圧力変動速度の絶対値よりも遅い圧力変動速度で昇圧し、前記圧力計によって、前記脈波検出回路の検出する脈波の振幅が一定となるときの圧迫圧力を第二昇圧時収縮期血圧値として測定する第二昇圧時収縮期血圧値測定手段と、を有する制御回路を備える血圧計であって、前記降圧時比較手段において、前記降圧時初期測定手段で測定した前記降圧時高圧状態振幅値が前記降圧時最大振幅値測定手段で測定した前記降圧時最大振幅値の５０％以上又は前記第一降圧時拡張期血圧値測定手段で測定した前記降圧時低圧状態振幅値が前記降圧時最大振幅値測定手段で測定した前記降圧時最大振幅値の８５％以上のときに、前記制御回路は前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを測定させ、前記降圧時初期測定手段で測定した前記降圧時高圧状態振幅値が前記降圧時最大振幅値測定手段で測定した前記降圧時最大振幅値の５０％未満で且つ前記第一降圧時拡張期血圧値測定手段で測定した前記降圧時低圧状態振幅値が前記降圧時最大振幅値測定手段で測定した前記降圧時最大振幅値の８５％未満のときに、前記制御回路は前記第二昇圧時拡張期血圧値測定手段に第二昇圧時拡張期血圧値を、ならびに前記第二昇圧時収縮期血圧値測定手段に第二昇圧時収縮期血圧値を測定させることを特徴とする血圧計である。
【００１８】
本発明に係る血圧計は、被検体の血流からの脈波を検出する脈波検出回路によって、脈波の振幅を昇圧時低圧状態振幅値として測定する昇圧時初期測定手段と、圧迫圧力を発生する圧迫機構によって、前記昇圧時初期測定手段における圧迫圧力を５ｍｍＨｇ／秒以上５０ｍｍＨｇ／秒以下の圧力変動速度で昇圧し、前記圧迫機構の圧迫圧力を測定する圧力計によって、前記脈波検出回路の検出する脈波の振幅が増大し始めるときの圧迫圧力を第一昇圧時拡張期血圧値として測定する第一昇圧時拡張期血圧値測定手段と、前記圧迫機構によって、前記第一昇圧時拡張期血圧値測定手段で測定した前記第一昇圧時拡張期血圧値の圧迫圧力を５ｍｍＨｇ／秒以上５０ｍｍＨｇ／秒以下の圧力変動速度で昇圧し、前記脈波検出回路によって、圧迫圧力の昇圧時において検出する脈波の最大振幅値を昇圧時最大振幅値として測定する昇圧時最大振幅値測定手段と、前記圧迫機構によって、前記昇圧時最大振幅値測定手段で前記昇圧時最大振幅値を測定した時に前記圧力計が測定する圧迫圧力を５ｍｍＨｇ／秒以上５０ｍｍＨｇ／秒以下の圧力変動速度で昇圧し、前記圧力計によって、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手段と、前記脈波検出回路が検出する脈波の振幅値を比較する比較演算部によって、前記第一昇圧時収縮期血圧値測定手段で測定した前記昇圧時高圧状態振幅値と前記昇圧時最大振幅値測定手段で測定した前記昇圧時最大振幅値とを、及び前記昇圧時初期測定手段で測定した前記昇圧時低圧状態振幅値と前記昇圧時最大振幅値測定手段で測定した前記昇圧時最大振幅値とを比較する昇圧時比較手段と、前記圧迫機構によって、前記第一昇圧時拡張期血圧値測定手段で測定した第一昇圧時拡張期血圧値より低い圧迫圧力を前記第一昇圧時拡張期血圧値測定手段における圧力変動速度の絶対値よりも遅い圧力変動速度で昇圧し、前記圧力計によって、前記脈波検出回路の検出する脈波の振幅が増大し始めるときの圧迫圧力を第二昇圧時拡張期血圧値として測定する第二昇圧時拡張期血圧値測定手段と、前記圧迫機構によって、前記第二昇圧時拡張期血圧値測定手段で測定した前記第二昇圧時拡張期血圧値の圧迫圧力を前記第一昇圧時収縮期血圧値測定手段における圧力変動速度の絶対値よりも遅い圧力変動速度で昇圧し、前記圧力計によって、前記脈波検出回路の検出する脈波の振幅が一定となるときの圧迫圧力を第二昇圧時収縮期血圧値として測定する第二昇圧時収縮期血圧値測定手段と、を有する制御回路を備える血圧計であって、前記昇圧時比較手段において、前記第一昇圧時収縮期血圧値測定手段で測定した前記昇圧時高圧状態振幅値が前記昇圧時最大振幅値測定手段で測定した前記昇圧時最大振幅値の５０％以上又は前記昇圧時初期測定手段で測定した前記昇圧時低圧状態振幅値が前記昇圧時最大振幅値測定手段で測定した前記昇圧時最大振幅値の８５％以上のときに、前記制御回路は前記脈波検出回路の検出する脈波の振幅が所定値以下となるように前記圧迫機構の圧迫圧力を降圧させ、前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを測定させ、前記第一昇圧時収縮期血圧値測定手段で測定した前記昇圧時高圧状態振幅値が前記昇圧時最大振幅値測定手段で測定した前記昇圧時最大振幅値の５０％未満で且つ前記昇圧時初期測定手段で測定した前記昇圧時低圧状態振幅値が前記昇圧時最大振幅値測定手段で測定した前記昇圧時最大振幅値の８５％未満のときに、前記制御回路は前記第二昇圧時拡張期血圧値測定手段に第二昇圧時拡張期血圧値を、ならびに前記第二昇圧時収縮期血圧値測定手段に第二昇圧時収縮期血圧値を測定させることを特徴とする血圧計である。
【００１９】
本発明に係る血圧計が有する制御回路は事前測定を行い、前記阻血状態振幅値、前記脈動状態振幅値及び前記最大振幅値を取得する。前記阻血状態振幅値、前記脈動状態振幅値及び前記最大振幅値は、血圧計の装着位置により変動するため、制御回路は、前記阻血状態振幅値と前記最大振幅値との比率及び前記脈動状態振幅値と前記最大振幅値との比率から血圧計の装着位置の適否を判断することができる。ゆえに、前記制御回路は血圧計が血圧測定に適した位置に装着されている場合に血圧本測定をするように制御することで、血圧計は精度よく血圧値を測定することができる。
【００２０】
また、前記事前測定は血圧計の装着位置が血圧測定に適しているか否かの判断のため、前記事前測定時の前記圧迫機構が被検体を圧迫する圧迫圧力は大まかな値でよく、前記制御回路は血圧本測定時より前記事前測定時の圧力変動速度を速くすることができ、前記事前測定の時間を短縮することができる。
【００２１】
従って、本発明は血圧測定前に短時間で装着位置の適否を判断できる制御回路を備え、精度よく血圧値を測定することができる血圧計を提供することができる。
【００２２】
本発明に係る血圧計制御方法は、前記第一降圧時収縮期血圧値測定手順、前記降圧時最大振幅値測定手順及び前記第一降圧時拡張期血圧値測定手順の少なくとも一つの手順において、前記圧迫機構が、０．１ｍｍＨｇ以上１０ｍｍＨｇ以下の第一圧力変動量づつ階段状に圧迫圧力を降圧することが好ましい。
【００２３】
本発明に係る血圧計制御方法は、前記第一昇圧時拡張期血圧値測定手順、前記昇圧時最大振幅値測定手順及び前記第一昇圧時収縮期血圧値測定手順の少なくとも一つの手順において、前記圧迫機構が、０．１ｍｍＨｇ以上１０ｍｍＨｇ以下の第一圧力変動量づつ階段状に圧迫圧力を昇圧することが好ましい。
【００２４】
本発明に係る血圧計制御方法は、前記第一降圧時収縮期血圧値測定手順、前記降圧時最大振幅値測定手順及び前記第一降圧時拡張期血圧値測定手順の少なくとも一つの手順において、前記圧迫機構が、０．１ｍｍＨｇ以上１０ｍｍＨｇ以下の第一圧力変動量づつ階段状に圧迫圧力を降圧することが好ましい。
【００２５】
本発明に係る血圧計制御方法は、前記第一昇圧時拡張期血圧値測定手順、前記昇圧時最大振幅値測定手順及び前記第一昇圧時収縮期血圧値測定手順の少なくとも一つの手順において、前記圧迫機構が、０．１ｍｍＨｇ以上１０ｍｍＨｇ以下の第一圧力変動量づつ階段状に圧迫圧力を昇圧することが好ましい。
【００２６】
また、本発明に係る血圧計は、前記第一降圧時収縮期血圧値測定手段、前記降圧時最大振幅値測定手段及び前記第一降圧時拡張期血圧値測定手段の少なくとも一つの手段は、前記圧迫機構によって、０．１ｍｍＨｇ以上１０ｍｍＨｇ以下の第一圧力変動量づつ階段状に圧迫圧力を降圧することが好ましい。
【００２７】
本発明に係る血圧計は、前記第一昇圧時拡張期血圧値測定手段、前記昇圧時最大振幅値測定手段及び前記第一昇圧時収縮期血圧値測定手段の少なくとも一つの手段は、前記圧迫機構によって、０．１ｍｍＨｇ以上１０ｍｍＨｇ以下の第一圧力変動量づつ階段状に圧迫圧力を昇圧することが好ましい。
【００２８】
本発明に係る血圧計は、前記第一降圧時収縮期血圧値測定手段、前記降圧時最大振幅値測定手段及び前記第一降圧時拡張期血圧値測定手段の少なくとも一つの手段は、前記圧迫機構によって、０．１ｍｍＨｇ以上１０ｍｍＨｇ以下の第一圧力変動量づつ階段状に圧迫圧力を降圧することが好ましい。
【００２９】
本発明に係る血圧計は、前記第一昇圧時拡張期血圧値測定手段、前記昇圧時最大振幅値測定手段及び前記第一昇圧時収縮期血圧値測定手段の少なくとも一つの手段は、前記圧迫機構によって、０．１ｍｍＨｇ以上１０ｍｍＨｇ以下の第一圧力変動量づつ階段状に圧迫圧力を昇圧することが好ましい。
【００３０】
前記血圧計制御方法及び前記血圧計の前記制御回路は前記事前測定において前記圧迫機構に圧迫圧力を前記第一変動量の範囲で階段状に単調変化させる。一定時間同じ圧迫圧力が被検体に印加されるため、前記血圧計制御方法及び前記血圧計は前記阻血状態振幅値、前記脈動状態振幅値及び前記最大振幅値の測定精度を向上することができる。ゆえに、前記圧迫変動速度を速くしても、前記血圧計の装着位置の適否を判断することができるため、前記血圧計制御方法及び前記血圧計は前記事前測定の時間を短縮することができる。
【００３１】
従って、本発明は血圧測定前に短時間で血圧計の装着位置の適否を判断でき、精度よく血圧値を測定することができる血圧計制御方法及びその制御回路を備えた血圧計を提供することができる。
【００３２】
本発明に係る血圧計制御方法は、前記第二降圧時収縮期血圧値測定手順及び前記第二降圧時拡張期血圧値測定手順の少なくとも一つの手順において、前記圧迫機構が、０．１ｍｍＨｇ以上１０ｍｍＨｇ以下の第二圧力変動量づつ階段状に圧迫圧力を降圧することが好ましい。
【００３３】
本発明に係る血圧計制御方法は、前記第二降圧時収縮期血圧値測定手順及び前記第二降圧時拡張期血圧値測定手順の少なくとも一つの手順において、前記圧迫機構が、０．１ｍｍＨｇ以上１０ｍｍＨｇ以下の第二圧力変動量づつ階段状に圧迫圧力を降圧することが好ましい。
【００３４】
本発明に係る血圧計制御方法は、前記第二昇圧時拡張期血圧値測定手順及び前記第二昇圧時収縮期血圧値測定手順の少なくとも一つの手順において、前記圧迫機構が、０．１ｍｍＨｇ以上１０ｍｍＨｇ以下の第二圧力変動量づつ階段状に圧迫圧力を昇圧することが好ましい。
【００３５】
本発明に係る血圧計制御方法は、前記第二昇圧時拡張期血圧値測定手順及び前記第二昇圧時収縮期血圧値測定手順の少なくとも一つの手順において、前記圧迫機構が、０．１ｍｍＨｇ以上１０ｍｍＨｇ以下の第二圧力変動量づつ階段状に圧迫圧力を昇圧することが好ましい。
【００３６】
また、本発明に係る血圧計は、前記第二降圧時収縮期血圧値測定手段及び前記第二降圧時拡張期血圧値測定手段の少なくとも一つの手段は、前記圧迫機構によって、０．１ｍｍＨｇ以上１０ｍｍＨｇ以下の第二圧力変動量づつ階段状に圧迫圧力を降圧することが好ましい。
【００３７】
本発明に係る血圧計は、前記第二降圧時収縮期血圧値測定手段及び前記第二降圧時拡張期血圧値測定手段の少なくとも一つの手段は、前記圧迫機構によって、０．１ｍｍＨｇ以上１０ｍｍＨｇ以下の第二圧力変動量づつ階段状に圧迫圧力を降圧することが好ましい。
【００３８】
本発明に係る血圧計は、前記第二昇圧時拡張期血圧値測定手段及び前記第二昇圧時収縮期血圧値測定手段の少なくとも一つの手段は、前記圧迫機構によって、０．１ｍｍＨｇ以上１０ｍｍＨｇ以下の第二圧力変動量づつ階段状に圧迫圧力を昇圧することが好ましい。
【００３９】
本発明に係る血圧計は、前記第二昇圧時拡張期血圧値測定手段及び前記第二昇圧時収縮期血圧値測定手段の少なくとも一つの手段は、前記圧迫機構によって、０．１ｍｍＨｇ以上１０ｍｍＨｇ以下の第二圧力変動量づつ階段状に圧迫圧力を昇圧することが好ましい。
【００４０】
前記血圧計制御方法及び前記血圧計は、前記血圧本測定において圧迫圧力を前記第二変動量づつ階段状に単調変化させることで、一定時間同じ圧迫圧力を被検体に印加できるため、精度よく拡張期血圧値と収縮期血圧値を測定することができる。
【００４１】
従って、本発明は血圧測定前に短時間で血圧計の装着位置の適否を判断でき、精度よく血圧値を測定することができる血圧計制御方法及びその制御回路を備えた血圧計を提供することができる。
【００４２】
本発明に係る血圧計制御方法は、前記第二降圧時収縮期血圧値測定手順において、前記圧迫機構が、０．１ｍｍＨｇ以上１０ｍｍＨｇ以下の範囲にあって、前記第一降圧時収縮期血圧値測定手順における前記第一圧力変動量より小さい圧力変動量づつ階段状に圧迫圧力を降圧又は／及び前記第二降圧時拡張期血圧値測定手順において、前記圧迫機構が、０．１ｍｍＨｇ以上１０ｍｍＨｇ以下の範囲にあって、前記第一降圧時拡張期血圧値測定手順における前記第一圧力変動量より小さい圧力変動量づつ階段状に圧迫圧力を降圧することが好ましい。
【００４３】
本発明に係る血圧計制御方法は、前記第二降圧時拡張期血圧値測定手順において、前記圧迫機構が、０．１ｍｍＨｇ以上１０ｍｍＨｇ以下の範囲にあって、前記第一昇圧時拡張期血圧値測定手順における前記第一圧力変動量より小さい圧力変動量づつ階段状に圧迫圧力を降圧又は／及び前記第二降圧時収縮期血圧値測定手順において、前記圧迫機構が、０．１ｍｍＨｇ以上１０ｍｍＨｇ以下の範囲にあって、前記第一昇圧時収縮期血圧値測定手順における前記第一圧力変動量より小さい圧力変動量づつ階段状に圧迫圧力を降圧することが好ましい。
【００４４】
本発明に係る血圧計制御方法は、前記第二昇圧時収縮期血圧値測定手順において、前記圧迫機構が、０．１ｍｍＨｇ以上１０ｍｍＨｇ以下の範囲にあって、前記第一降圧時収縮期血圧値測定手順における前記第一圧力変動量より小さい圧力変動量づつ階段状に圧迫圧力を昇圧又は／及び前記第二昇圧時拡張期血圧値測定手順において、前記圧迫機構が、０．１ｍｍＨｇ以上１０ｍｍＨｇ以下の範囲にあって、前記第一降圧時拡張期血圧値測定手順における前記第一圧力変動量より小さい圧力変動量づつ階段状に圧迫圧力を昇圧することが好ましい。
【００４５】
本発明に係る血圧計制御方法は、前記第二昇圧時拡張期血圧値測定手順において、前記圧迫機構が、０．１ｍｍＨｇ以上１０ｍｍＨｇ以下の範囲にあって、前記第一昇圧時拡張期血圧値測定手順における前記第一圧力変動量より小さい圧力変動量づつ階段状に圧迫圧力を昇圧又は／及び前記第二昇圧時収縮期血圧値測定手順において、前記圧迫機構が、０．１ｍｍＨｇ以上１０ｍｍＨｇ以下の範囲にあって、前記第一昇圧時収縮期血圧値測定手順における前記第一圧力変動量より小さい圧力変動量づつ階段状に圧迫圧力を昇圧することが好ましい。
【００４６】
また、本発明に係る血圧計は、前記第二降圧時収縮期血圧値測定手段は、前記圧迫機構によって、０．１ｍｍＨｇ以上１０ｍｍＨｇ以下の範囲にあって、前記第一降圧時収縮期血圧値測定手段の前記第一圧力変動量より小さい圧力変動量づつ階段状に圧迫圧力を降圧又は／及び前記第二降圧時拡張期血圧値測定手段は、前記圧迫機構によって、０．１ｍｍＨｇ以上１０ｍｍＨｇ以下の範囲にあって、前記第一降圧時拡張期血圧値測定手段の前記第一圧力変動量より小さい圧力変動量づつ階段状に圧迫圧力を降圧することが好ましい。
【００４７】
本発明に係る血圧計は、前記第二降圧時拡張期血圧値測定手段は、前記圧迫機構によって、０．１ｍｍＨｇ以上１０ｍｍＨｇ以下の範囲にあって、前記第一昇圧時拡張期血圧値測定手段の前記第一圧力変動量より小さい圧力変動量づつ階段状に圧迫圧力を降圧又は／及び前記第二降圧時収縮期血圧値測定手段は、前記圧迫機構によって、０．１ｍｍＨｇ以上１０ｍｍＨｇ以下の範囲にあって、前記第一昇圧時収縮期血圧値測定手段の前記第一圧力変動量より小さい圧力変動量づつ階段状に圧迫圧力を降圧することが好ましい。
【００４８】
本発明に係る血圧計は、前記第二昇圧時収縮期血圧値測定手段は、前記圧迫機構によって、０．１ｍｍＨｇ以上１０ｍｍＨｇ以下の範囲にあって、前記第一降圧時収縮期血圧値測定手段の前記第一圧力変動量より小さい圧力変動量づつ階段状に圧迫圧力を昇圧又は／及び前記第二昇圧時拡張期血圧値測定手段は、前記圧迫機構によって、０．１ｍｍＨｇ以上１０ｍｍＨｇ以下の範囲にあって、前記第一降圧時拡張期血圧値測定手段の前記第一圧力変動量より小さい圧力変動量づつ階段状に圧迫圧力を昇圧することが好ましい。
【００４９】
本発明に係る血圧計は、前記第二昇圧時拡張期血圧値測定手段は、前記圧迫機構によって、０．１ｍｍＨｇ以上１０ｍｍＨｇ以下の範囲にあって、前記第一昇圧時拡張期血圧値測定手段の前記第一圧力変動量より小さい圧力変動量づつ階段状に圧迫圧力を昇圧又は／及び前記第二昇圧時収縮期血圧値測定手段は、前記圧迫機構によって、０．１ｍｍＨｇ以上１０ｍｍＨｇ以下の範囲にあって、前記第一昇圧時収縮期血圧値測定手段の前記第一圧力変動量より小さい圧力変動量づつ階段状に圧迫圧力を昇圧することが好ましい。
【００５０】
前記血圧計制御方法及び前記血圧計は、前記事前測定、前記血圧本測定共に圧迫圧力を階段状に単調変化させる場合において、前記第一圧力変動量より前記本測定時の圧力変動量を小さくすることで、精度よく拡張期血圧値と収縮期血圧値を測定することができる。
【００５１】
従って、本発明は血圧測定前に短時間で血圧計の装着位置の適否を判断でき、精度よく血圧値を測定することができる血圧計制御方法及びその制御回路を備えた血圧計を提供することができる。
【００５２】
本発明に係る血圧計制御方法は前記第一降圧時収縮期血圧値測定手順、前記降圧時最大振幅値測定手順及び前記第一降圧時拡張期血圧値測定手順において、前記圧力計が１０ｍ秒以上２００ｍ秒以下の時間毎に前記圧迫機構の圧迫圧力を測定することが好ましい。
【００５３】
本発明に係る血圧計制御方法は前記第一昇圧時収縮期血圧値測定手順、前記昇圧時最大振幅値測定手順及び前記第一昇圧時拡張期血圧値測定手順において、前記圧力計が１０ｍ秒以上２００ｍ秒以下の時間毎に前記圧迫機構の圧迫圧力を測定することが好ましい。
【００５４】
本発明に係る血圧計は前記第一降圧時収縮期血圧値測定手段、前記降圧時最大振幅値測定手段及び前記第一降圧時拡張期血圧値測定手段における前記圧力計は１０ｍ秒以上２００ｍ秒以下の時間毎に前記圧迫機構の圧迫圧力を測定することが好ましい。
【００５５】
本発明に係る血圧計は前記第一昇圧時収縮期血圧値測定手段、前記昇圧時最大振幅値測定手段及び前記第一昇圧時拡張期血圧値測定手段における前記圧力計は１０ｍ秒以上２００ｍ秒以下の時間毎に前記圧迫機構の圧迫圧力を測定することが好ましい。
【００５６】
前記事前測定において圧迫圧力を前記所定時間測定して、測定した時間の圧迫圧力を平均化することによりノイズ成分を排除できるため、前記血圧計制御方法及び前記血圧計は精度の良い圧迫圧力を測定できる。
【００５７】
従って、本発明は血圧測定前に短時間で血圧計の装着位置の適否を判断でき、精度よく血圧値を測定することができる血圧計制御方法及びその制御回路を備えた血圧計を提供することができる。
【００５８】
本発明に係る血圧計制御方法における前記脈波検出回路は、出射光を発光する発光素子と、前記発光素子からの前記出射光が被検体の血流により散乱、透過又は反射した測定光を受光し、電気信号に変換する受光素子と、を搭載することが好ましい。
【００５９】
本発明に係る血圧計における前記脈波検出回路は、出射光を発光する発光素子と、前記発光素子からの前記出射光が被検体の血流により散乱、透過又は反射した測定光を受光し、電気信号に変換する受光素子と、を搭載することが好ましい。
【００６０】
前記脈波検出回路が前記発光素子及び前記受光素子を搭載することで、前記被検体の血流の微小な脈波を光電測定により検出することができる。
【００６１】
従って、本発明は血圧測定前に短時間で血圧計の装着位置の適否を判断でき、精度よく血圧値を測定することができる血圧計制御方法及びその制御回路を備えた血圧計を提供することができる。
【発明の効果】
【００６２】
本願発明は血圧測定前に短時間で血圧計の装着位置の適否を判断し、精度よく血圧を測定できる血圧計制御方法及びその制御回路を備えた血圧計を提供することができる。
【発明を実施するための最良の形態】
【００６３】
添付の図面を参照して本願発明の実施の形態を説明する。以下に説明する実施の形態は本願発明の構成の例であり、本願発明は、以下の実施の形態に制限されるものではない。
【００６４】
（血圧計）
本実施形態に係る血圧計１０の構成を示したブロック図を図１に示す。血圧計１０は圧迫機構１１、圧力計１２、脈波検出回路１３、比較演算部１５及び制御回路１８を含む。
【００６５】
圧迫機構１１は、接触する被検体９００の測定部を圧迫する手段である。被検体９００を圧迫する圧迫圧力５１を強くすることで、被検体９００内の血管は圧迫圧力５１を受けて閉塞し、被検体９００内の血流が遮られた状態である阻血状態とすることができる。また、圧迫圧力５１を弱くすることで、被検体９００内の血管は圧迫圧力５１を受けずに、被検体９００内の血液が通常通り流れる状態である脈動状態とすることができる。さらに、圧迫圧力５１を調整することで被検体９００内の血流は前記阻血状態から前記脈動状態までのいずれの状態も作り出すことができる。圧迫機構１１は被検体９００を圧迫できる構造のものであれば特に特定はしないが、気体又は液体の供給及び排出により伸縮する袋状カフであることが好ましい。前記袋状カフを使用することで従来技術を用いることができ、図示しない供給源から前記気体又は液体の供給圧を制御することで、被検体９００の測定部を圧迫する圧迫圧力５１を制御することができる。
【００６６】
また、電力で駆動するモーター、ボイスコイル等のアクチュエータを使用した電動カフでも良い。図示しない電源からの電圧もしくは電流を制御することで被検体９００の測定部を圧迫する圧迫圧力５１を制御することができ、小型のアクチュエータを使用することで血圧計１０の小型化を図ることができる。
【００６７】
圧力計１２は圧迫機構１１が被検体９００を圧迫する圧迫圧力５１の圧力値を測定し、圧力値信号５６を出力する。圧迫機構１１を前記袋状カフの場合、圧力計１２は前記袋状カフ内の気体又は液体の圧力を測定する圧力計とすることができる。
【００６８】
脈波検出回路１３は、被検体９００と接触し、被検体９００内の血流の脈波５３を検出し、脈波５３の振幅値を測定し、振幅値信号５５を出力する。被検体９００内部の血流は心拍に応じて脈動しており、前記脈動を捉えることで脈波５３を検出することができる。前記脈動を捉える手段としては、例えば光電測定手段が例示される。光電測定手段は発光素子が出射光を発光し、前記出射光が被検体９００内の血流により散乱、透過又は反射した測定光を受光素子が受光して電気信号に変換することで被検体９００内の血流の脈動を捉え、脈波を検出する手段である。
【００６９】
具体的には前記脈波検出回路は、出射光を発光する発光素子と、前記発光素子からの前記出射光が被検体の血流により散乱、透過又は反射した測定光を受光し、電気信号に変換する受光素子と、を搭載する。
【００７０】
前記発光素子からの出射光は被検体９００の血管の脈動に伴う被測定部分の血液の増減、すなわち血液中のヘモグロビン量の増減によって散乱、透過又は反射する。前記出射光として３００ｎｍ以上１５００ｎｍ以下の波長の光を使用することができる。このような波長で発光する前記発光素子としてＧａＰ系（赤）ＬＥＤ又はＧａＡｓ系ＬＥＤを使用することができる。さらに、前記出射光として血液中のヘモグロビンに吸収されやすい４００ｎｍ以上６５０ｎｍ以下の波長の光を使用することがより好ましい。このような波長で発光する前記発光素子としてＧａＰ系（緑）ＬＥＤ又はＧａＡｓＰ系ＬＥＤを使用することができる。
【００７１】
前記受光素子の種類は、前記出射光を発光する前記発光素子の種類で定まる。前記発光素子にＧａＰ系（赤）ＬＥＤ又はＧａＡｓ系ＬＥＤを使用した場合、前記受光素子にはＳｉフォトトランジスタを使用することが好ましい。また、前記発光素子にＧａＰ系（緑）ＬＥＤ又はＧａＡｓＰ系ＬＥＤを使用した場合、前記受光素子にはブルーセンシティブフォトダイオードを使用することが好ましい。
【００７２】
前記光電測定手段により脈波を検出することで微小な脈動も検出でき、脈波検出回路１３の小型化を図ることができる。
【００７３】
前記出射光の強度変化により前記受光素子が出力する電気信号の振幅が変化する。脈波検出回路１３は電位計等の測定器で前記電気信号の振幅値を測定し、振幅値信号５５を出力する。例えば、脈波検出回路１３は一定時間内の前記電気信号の最大電位と最低電位との差を脈波５３の振幅値とすることができ、前記電気信号の周波数を被検体９００の脈拍とすることができる。
【００７４】
比較演算部１５は被検体９００が脈動状態時の脈波５３の振幅値である脈動状態振幅値と脈波５３の振幅の最大値である最大振幅値との比率及び被検体９００が阻血状態時の脈波５３の振幅値である阻血状態振幅値と前記最大振幅値との比率を計算する比較回路である。計算した比率の結果を応答信号５９として出力する。
【００７５】
制御回路１８は圧迫圧力５１の圧力値及び前記圧力変動速度を制御する圧力制御信号５７を出力する制御回路である。
【００７６】
圧迫機構１１、圧力計１２、脈波検出回路１３、比較演算部１５及び制御回路１８は図１のように接続される。すなわち、圧迫機構１１、圧力計１２、脈波検出回路１３及び比較演算部１５は制御回路１８に接続される。制御回路１８は圧迫機構１１に圧力制御信号５７を出力し、圧迫機構１１は圧力制御信号５７により指示された大きさの圧迫圧力５１で被検体９００を圧迫し、圧力制御信号５７により指示された圧力変動速度で圧迫圧力５１を単調変化させる。また、制御回路１８は振幅値信号５５が通知され、通知された振幅値信号５５が前記脈動状態振幅値、前記阻血状態振幅値及び前記最大振幅値であることを判断することができる。制御回路１８の前記判断の手段は後述する。さらに、制御回路１８は圧力値信号５６が通知されるため、前記判断をしたときの圧迫圧力５１を圧力値信号５６から取得することができる。また、制御回路１８は前記脈動状態振幅値、前記阻血状態振幅値及び前記最大振幅値を比較信号５８として比較演算部１５へ通知する。さらに、制御回路１８は比較演算部１５からの応答信号５９により、再度事前測定を行うか、血圧本測定を行うかを判断して、圧迫機構１１に圧力制御信号５７を出力する。
【００７７】
なお、以下の説明において圧迫機構１１は前記袋状カフとして、脈波検出回路１３は光電測定手段で脈波５３を検出するとして説明する。また、以下の説明において、随時、図１で用いた符号を用いて説明する。
【００７８】
（血圧計制御方法１）
本実施形態に係る血圧計１０の血圧計制御方法は、圧迫圧力を発生する圧迫機構が、被検体の血流からの脈波を検出する脈波検出回路の検出する脈波の振幅が所定値以下となるように圧迫圧力を昇圧し、前記脈波検出回路が、所定値以下の脈波の振幅を降圧時高圧状態振幅値として測定する降圧時初期値測定手順と、前記降圧時初期値測定手順の後、前記圧迫機構が、５ｍｍＨｇ／秒以上５０ｍｍＨｇ／秒以下の圧力変動速度で圧迫圧力を降圧し、前記圧迫機構の圧迫圧力を測定する圧力計が、前記脈波検出回路の検出する脈波の振幅が増大し始めるときの圧迫圧力を第一降圧時収縮期血圧値として測定する第一降圧時収縮期血圧値測定手順と、前記第一降圧時収縮期血圧値測定手順の後、前記圧迫機構が、５ｍｍＨｇ／秒以上５０ｍｍＨｇ／秒以下の圧力変動速度で圧迫圧力を降圧し、前記脈波検出回路が、圧迫圧力の降圧時において検出する脈波の最大振幅値を降圧時最大振幅値として測定する降圧時最大振幅値測定手順と、前記降圧時最大振幅値測定手順の後、前記圧迫機構が、５ｍｍＨｇ／秒以上５０ｍｍＨｇ／秒以下の圧力変動速度で圧迫圧力を降圧し、前記圧力計が、前記脈波検出回路の検出する脈波の振幅が一定となるときの圧迫圧力を第一降圧時拡張期血圧値として測定及び前記脈波検出回路が、圧迫圧力が前記第一降圧時拡張期血圧値である時の脈波の振幅を降圧時低圧状態振幅値として測定する第一降圧時拡張期血圧値測定手順と、前記第一降圧時拡張期血圧値測定手順の後、前記脈波検出回路が検出する脈波の振幅値を比較する比較演算部が、前記降圧時初期値測定手順で測定した前記降圧時高圧状態振幅値と前記降圧時最大振幅値測定手順で測定した前記降圧時最大振幅値とを、及び前記第一降圧時拡張期血圧値測定手順で測定した前記降圧時低圧状態振幅値と前記降圧時最大振幅値測定手順で測定した前記降圧時最大振幅値とを比較する降圧時比較手順と、前記圧迫機構が、前記第一降圧時収縮期血圧値測定手順における前記圧力変動速度の絶対値よりも小さい圧力変動速度で圧迫圧力を降圧し、前記圧力計が、前記脈波検出回路の検出する脈波の振幅が増大し始めるときの圧迫圧力を第二降圧時収縮期血圧値として測定する第二降圧時収縮期血圧値測定手順と、前記第二降圧時収縮期血圧値測定手順の後、前記圧迫機構が、前記第一降圧時拡張期血圧値測定手順における前記圧力変動速度の絶対値よりも小さい圧力変動速度で圧迫圧力を降圧し、前記圧力計が、前記脈波検出回路の検出する脈波の振幅が一定となるときの圧迫圧力を第二降圧時拡張期血圧値として測定する第二降圧時拡張期血圧値測定手順と、を備える血圧計制御方法であって、前記降圧時比較手順において、前記降圧時初期値測定手順で測定した前記降圧時高圧状態振幅値が前記降圧時最大振幅値測定手順で測定した前記降圧時最大振幅値の５０％以上又は前記第一降圧時拡張期血圧値測定手順で測定した前記降圧時低圧状態振幅値が前記降圧時最大振幅値測定手順で測定した前記降圧時最大振幅値の８５％以上のときに、前記降圧時初期値測定手順から前記第一降圧時拡張期血圧値測定手順までを再度行い、前記降圧時初期値測定手順で測定した前記降圧時高圧状態振幅値が前記降圧時最大振幅値測定手順で測定した前記降圧時最大振幅値の５０％未満で且つ前記第一降圧時拡張期血圧値測定手順で測定した前記降圧時低圧状態振幅値が前記降圧時最大振幅値測定手順で測定した前記降圧時最大振幅値の８５％未満のときに、前記圧迫機構が、前記第一降圧時収縮期血圧値測定手順で測定した前記第一降圧時収縮期血圧値よりも高い圧迫圧力まで昇圧した後に前記第二降圧時収縮期血圧値測定手順と前記第二降圧時拡張期血圧値測定手順とを行うことを特徴とする血圧計制御方法である。
【００７９】
本実施形態に係る血圧計１０の血圧計制御方法のフローチャートを図２に示す。前記血圧計制御方法は前記事前測定として降圧時初期値測定手順１１１（図面及び以下の説明において「降圧時初期値」を「ａ（−）」と略記する。）、第一降圧時収縮期血圧値測定手順１２１（図面及び以下の説明において「第一降圧時収縮期血圧値」を「Ａ１（−）」と略記する。）、降圧時最大振幅値測定手順１３１（図面及び以下の説明において「降圧時最大振幅値」を「ｂ（−）」と略記する。）、第一降圧時拡張期血圧値測定手順１４１（図面及び以下の説明において「第一降圧時拡張期血圧値」を「Ｃ１（−）」と略記する。）及び降圧時比較手順１５１を、血圧本測定として昇圧手順１６１、第二降圧時収縮期血圧値測定手順１７１（図面及び以下の説明において「第二降圧時収縮期血圧値」を「Ａ２（−）」と略記する。）及び第二降圧時拡張期血圧値測定手順１８１（図面及び以下の説明において「第二降圧時拡張期血圧値」を「Ｃ２（−）」と略記する。）を備える。
【００８０】
ａ（−）測定手順１１１は圧迫機構１１に圧迫圧力５１が所定値になるまで昇圧させて被検体９００内の血流を阻血状態とする。例えば、被検体９００を阻血状態とするために圧迫圧力５１を２００ｍｍＨｇ以上４００ｍｍＨｇ以下とすることができる。阻血状態においては、圧迫圧力５１の変動に対して脈波５３の振幅は一定となるため、血圧計１０は被検体９００が阻血状態になったことを判断することができる。また、血圧計１０は脈波５３の振幅が予め設定された所定値以下となったことで被検体９００が阻血状態になったことを判断してもよい。次いで、ａ（−）測定手順１１１は降圧時高圧状態振幅値（図面及び以下の説明において「降圧時高圧状態振幅値」を「α（−）」と略記する。）として脈波検出回路１３に阻血状態の被検体９００の脈波５３の振幅を測定させる。
【００８１】
Ａ１（−）測定手順１２１は圧迫機構１１に被検体９００を圧迫した圧迫圧力５１を５ｍｍＨｇ／秒以上５０ｍｍＨｇ／秒以下の圧力変動速度で降圧させる。圧迫圧力５１が降圧することで被検体９００内は再び血液が流れ始め、脈波５３の振幅値信号５５が増大し始める。例えば、制御回路１８は脈波検出回路１３に脈波５３の振幅を単位時間毎に監視させておき、単位時間毎の脈波５３の振幅の平均値が続けて２回増加したことをもって脈波５３の振幅が増大し始めた第一降圧時振幅増大点であると判断することができる。Ａ１（−）測定手順１２１はＡ１（−）として前記第一降圧時振幅増大点の圧迫圧力５１を圧力計１２に測定させる。
【００８２】
ｂ（−）測定手順１３１は圧迫機構１１に被検体９００を圧迫した圧迫圧力５１を５ｍｍＨｇ／秒以上５０ｍｍＨｇ／秒以下の圧力変動速度で降圧させる。圧迫圧力５１の降圧中において被検体９００の血流が阻血状態から脈動状態へ移る際に脈波５３の振幅が最大となる時がある。例えば、制御回路１８は脈波検出回路１３に脈波５３の振幅を単位時間毎に監視させておき、単位時間毎の脈波５３の振幅の平均値が続けて２回減少したことをもって、２回減少し始める直前の脈波５３の振幅の測定時を脈波５３の振幅が最大値であったとして降圧時振幅最大点と判断することができる。ｂ（−）測定手順１３１は降圧時最大振幅値（図面及び以下の説明において「降圧時最大振幅値」を「β（−）」と略記する。）として前記降圧時振幅最大点の脈波５３の振幅値を脈波検出回路１３に測定させる。
【００８３】
Ｃ１（−）測定手順１４１は圧迫機構１１に被検体９００を圧迫した圧迫圧力５１を５ｍｍＨｇ／秒以上５０ｍｍＨｇ／秒以下の圧力変動速度で降圧させる。圧迫圧力５１が降圧することで、被検体９００は脈動状態となり、脈波５３の振幅値信号５５は圧迫圧力５１の変化に対して一定となる。例えば、制御回路１８は脈波検出回路１３に脈波５３の振幅を単位時間毎に監視させておき、単位時間毎の脈波５３の振幅値の平均の変動が続けて２回所定の値以内であったことをもって、被検体９００が脈動状態となる第一降圧時脈動点になったと判断してもよい。Ｃ１（−）測定手順１４１は圧力計１２に前記第一降圧時脈動点の圧迫圧力５１をＣ１（−）として測定させ、脈波検出回路１３に前記第一降圧時脈動点の脈波５３の振幅値信号５５を降圧時低圧状態振幅値（図面及び以下の説明において「降圧時低圧状態振幅値」を「γ（−）」と略記する。）として測定させる。
【００８４】
なお、Ａ１（−）測定手順１２１における圧力変動速度、ｂ（−）測定手順１３１における圧力変動速度及びＣ１（−）測定手順１４１における圧力変動速度は全て同一の速度であっても互いに異なる速度であってもよい。
【００８５】
また、事前測定の精度を向上させ、測定時間を短縮させるために事前測定における前記圧力変動速度を１０ｍｍＨｇ／秒以上４０ｍｍＨｇ／秒以下とすることが好ましく、２０ｍｍＨｇ／秒以上３０ｍｍＨｇ／秒以下とすることがより好ましい。
【００８６】
さらに、事前測定の精度を向上させるために事前測定において圧力計１２は１０ｍ秒以上２００ｍ秒以下、好ましくは２０ｍ秒以上１５０ｍ秒以下、より好ましくは３０ｍ秒以上１００ｍ秒以下の時間毎に圧迫機構１１が被検体９００を圧迫する圧迫圧力５１を測定してもよい。例えば、圧力計１２は前記時間内に測定した圧迫圧力５１の平均値を圧力値信号５６として出力してもよい。
【００８７】
降圧時比較手順１５１は比較演算部１５に前記α（−）と前記β（−）との比率及び前記γ（−）と前記β（−）との比率を計算させる。次いで、降圧時比較手順１５１は比較演算部１５が計算した結果に基づき、制御回路１８に血圧計１０の装着位置の適否を判断させる。
【００８８】
前記α（−）が前記β（−）の５０％以上又は前記γ（−）が前記β（−）の８５％以上の場合、制御回路１８は血圧計１０が装着された位置は血圧測定に不適であると判断する。一方、前記α（−）が前記β（−）の５０％未満で且つ前記γ（−）が前記β（−）の８５％未満の場合、制御回路１８は血圧計１０が装着された位置は血圧測定に適していると判断する。
【００８９】
昇圧手順１６１は圧迫機構１１に前記Ａ１（−）よりも高い圧迫圧力５１で被検体９００を圧迫させ、被検体９００を阻血状態とする。
【００９０】
Ａ２（−）測定手順１７１は圧迫機構１１にＡ１（−）測定手順１２１における圧力変動速度の絶対値よりも小さい圧力変動速度で圧迫圧力５１を降圧させる。前記Ａ１（−）より高い圧迫圧力５１では被検体９００は阻血状態となっており、圧迫圧力５１を降圧させることで血液が流れ始め脈波５３の振幅が増大し始める。制御回路１８はＡ１（−）測定手順１２１で説明したように脈波５３の振幅が増大し始めたことを判断することができ、Ａ２（−）測定手順１７１において脈波５３の振幅が増大し始めた点を第二降圧時振幅増大点とすることができる。Ａ２（−）測定手順１７１はＡ２（−）として前記第二降圧時振幅増大点の圧迫圧力５１を圧力計１２に測定させる。
【００９１】
Ｃ２（−）測定手順１８１は圧迫機構１１にＡ２（−）の圧迫圧力５１から被検体９００が脈動状態となるまでＣ１（−）測定手順１４１における圧力変動速度の絶対値よりも小さい圧力変動速度で降圧させる。制御回路１８はＣ１（−）測定手順１４１で説明したように脈波５３の振幅が一定となったことを判断することができ、Ｃ２（−）測定手順１８１において脈波５３の振幅が一定になった点を被検体９００が脈動状態である第二降圧時脈動点とすることができる。Ｃ２（−）測定手順１８１はＣ２（−）として前記第二降圧時脈動点の圧迫圧力５１を圧力計１２に測定させる。
【００９２】
血圧計１０は図２のフローチャートに従い血圧測定を行う。血圧計１０は事前測定においてａ（−）測定手順１１１、Ａ１（−）測定手順１２１、ｂ（−）測定手順１３１及びＣ１（−）測定手順１４１を順に行い、降圧時比較手順１５１において血圧測定に適した位置に装着されていると判断した場合に血圧本測定である昇圧手順１６１、Ａ２（−）測定手順１７１及びＣ２（−）測定手順１８１を順に行う。一方、血圧計１０は降圧時比較手順１５１において血圧測定に不適な位置に装着されていると判断した場合は再度事前測定を行う。
【００９３】
図２のフローチャートに従い血圧測定を行った血圧計１０の圧力計１２が測定した圧迫圧力５１の推移Ｒと脈波検出手段１３が検出した脈波５３の波形Ｐ及び波形Ｍとのタイミングチャートを図４に示す。図４の血圧測定においては再度の事前測定はなかったものである。図４のタイミングチャートの縦軸は推移Ｒについては圧迫圧力５１の圧力を、波形Ｐ及び波形Ｍについては振幅値を表している。また、図４のタイミングチャートの横軸は時間軸を表し、横軸に示した符号は血圧測定中に実施される図２で説明した血圧測定手順の符号である。以下、随時、図２に用いた符号も用いて説明する。
【００９４】
血圧計１０はａ（−）測定手順１１１によって圧迫圧力５１を圧力値１１７まで昇圧させ阻血時測定点１１３にてα（−）Ｓ１を測定する。次いで、血圧計１０はＡ１（−）測定手順１２１によって圧迫圧力５１を降圧させ第一降圧時振幅増大点１２３にてＡ１（−）１２７を測定する。次いで、血圧計１０はｂ（−）測定手順１３１によって圧迫圧力５１をさらに降圧させ降圧時振幅最大点１３３にてβ（−）Ｕ１を測定する。次いで、血圧計１０はＣ１（−）測定手順１４１によって圧迫圧力をさらに降圧させ第一降圧時脈動点１４３にてＣ１（−）１４７及びγ（−）Ｔ１を測定する。Ｃ１（−）測定手順１４１後、降圧時比較手順１５１でα（−）Ｓ１とβ（−）Ｕ１とを及びγ（−）Ｔ１とβ（−）Ｕ１とを比較する。次いで、血圧計１０は昇圧手順１６１によって圧力値１１７とＡ１（−）１２７との間の圧力値１６７まで昇圧させる。例えば、圧力値１６７は圧力値１１７とＡ１（−）１２７との平均値とすることができる。次いで、血圧計１０はＡ２（−）測定手順１７１によって圧迫圧力５１を降圧させ第二降圧時振幅増大点１７３にてＡ２（−）１７７を測定する。次いで、血圧計１０はＣ２（−）測定手順１８１によって圧迫圧力５１をさらに降圧させ第二降圧時脈動点１８３にてＣ２（−）１８７を測定する。
【００９５】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【００９６】
従って、本発明に係る血圧計制御方法は血圧測定前に短時間で血圧計の装着位置の適否を判断でき、精度よく血圧測定をすることができる。
【００９７】
さらに、本発明に係る血圧計制御方法は事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【００９８】
なお、血圧計１０の圧迫圧力５１を図５のタイミングチャートのように推移させてもよい。すなわち、血圧本測定において、Ｃ２（−）測定手順１８１は圧迫機構１１に圧迫圧力５１をＣ１（−）１４７と降圧時振幅最大点１３３のときの圧迫圧力５１の圧力値１３７との間の圧力値１９７まで急峻に降圧させ、圧迫圧力５１をＣ１（−）測定手順１４１における圧力変動速度の絶対値よりも小さい圧力変動速度でさらに降圧させ第二降圧時脈動点１８３にてＣ２（−）１８７を測定する。
【００９９】
血圧測定として必要なＡ２（−）１７７及びＣ２（−）１８７の近傍のみの圧迫圧力５１と脈波５３を正確に測定することで血圧本測定の測定時間を短縮することができる。
【０１００】
（血圧計制御方法２）
本実施形態に係る血圧計１０の血圧計制御方法は、前記第一降圧時収縮期血圧値測定手順、前記降圧時最大振幅値測定手順及び前記第一降圧時拡張期血圧値測定手順の少なくとも一つの手順において、前記圧迫機構が、０．１ｍｍＨｇ以上１０ｍｍＨｇ以下の第一圧力変動量づつ階段状に圧迫圧力を降圧してもよい。
【０１０１】
図２のフローチャートにおいて、Ａ１（−）測定手順１２１、ｂ（−）測定手順１３１及びＣ１（−）測定手順１４１の少なくとも一において前記第一圧力変動量づつ階段状に圧迫圧力５１を降圧してもよい。
【０１０２】
Ａ１（−）測定手順１２１、ｂ（−）測定手順１３１及びＣ１（−）測定手順１４１は圧迫機構１１に圧迫圧力５１を連続的に単調降圧させず、平均して５ｍｍＨｇ／秒以上５０ｍｍＨｇ／秒以下の圧力変動速度を保ちつつ、前記第一変動量づつ階段状に単調降圧させてもよい。第一変動量は０．１ｍｍＨｇ以上１０ｍｍＨｇ以下、好ましくは０．５ｍｍＨｇ以上５ｍｍＨｇ以下、さらに好ましくは１ｍｍＨｇ以上３ｍｍＨｇ以下である。なお、前記第一変動量はＡ１（−）測定手順１２１、ｂ（−）測定手順１３１及びＣ１（−）測定手順１４１で共通の値としてもよく、互いに異なる値としてもよい。
【０１０３】
図２のフローチャートに従い、Ａ１（−）測定手順１２１、ｂ（−）測定手順１３１及びＣ１（−）測定手順１４１において圧迫圧力５１を前記第一圧力変動量づつ階段状に降圧して血圧測定を行った血圧計１０の推移Ｒと波形Ｐ及び波形Ｍとのタイミングチャートを図６に示す。図６の血圧測定においては再度の事前測定はなかったものである。図６の縦軸及び横軸は図４の縦軸及び横軸と同じである。また、図６において図１、図２及び図４に用いた符号と同じ符号は同じ圧力、手順又は測定時点である。
【０１０４】
血圧計１０は図４のタイミングチャートと同様に阻血時測定点１１３にてα（−）Ｓ１を測定する。次いで、血圧計１０はＡ１（−）測定手順１２１に従い圧迫圧力５１を階段状に単調降圧し、第一降圧時振幅増大点１２３にてＡ１（−）１２７を測定する。次いで、血圧計１０はｂ（−）測定手順１３１に従い圧迫圧力５１をさらに階段状に単調降圧し、降圧時振幅最大点１３３にてβ（−）Ｕ１を測定する。次いで、血圧計１０はＣ１（−）測定手順１４１に従い圧迫圧力をさらに階段状に単調降圧し、第一降圧時脈動点１４３にてＣ１（−）１４７及びγ（−）Ｔ１を測定する。Ｃ１（−）測定手順１４１後、血圧計１０は図４のタイミングチャートで説明したように降圧時比較手順１５１を行い、血圧本測定においてＡ２（−）１７７及びＣ２（−）１８７を測定する。
【０１０５】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１０６】
従って、本発明に係る血圧計制御方法は事前測定において圧迫圧力を階段状に単調降圧させることで、血圧測定前に短時間で血圧計の装着位置の適否を判断でき、精度よく血圧測定をすることができる。
【０１０７】
（血圧計制御方法３）
本実施形態に係る血圧計１０の血圧計制御方法は、前記第二降圧時収縮期血圧値測定手順及び前記第二降圧時拡張期血圧値測定手順の少なくとも一つの手順において、前記圧迫機構が、０．１ｍｍＨｇ以上１０ｍｍＨｇ以下の第二圧力変動量づつ階段状に圧迫圧力を降圧してもよい。
【０１０８】
図２のフローチャートにおいて、Ａ２（−）測定手順１７１及びＣ２（−）測定手順１８１の少なくとも一において前記第二圧力変動量づつ階段状に圧迫圧力５１を降圧してもよい。
【０１０９】
Ａ２（−）測定手順１７１は圧迫機構１１に圧迫圧力５１を連続的に単調降圧させず、平均してＡ１（−）測定手順１２１の圧力変動速度の絶対値より遅い速度で、前記第二変動量づつ階段状に単調降圧させてもよい。さらにＣ２（−）測定手順１８１は圧迫機構１１に圧迫圧力５１を連続的に単調降圧させず、平均してＣ１（−）測定手順１４１の圧力変動速度の絶対値より遅い速度で、前記第二変動量づつ階段状に単調降圧させてもよい。前記第二変動量の範囲は０．１ｍｍＨｇ以上１０ｍｍＨｇ以下、好ましくは０．５ｍｍＨｇ以上５ｍｍＨｇ以下、さらに好ましくは１ｍｍＨｇ以上３ｍｍＨｇ以下である。なお、前記第二変動量はＡ２（−）測定手順１７１及びＣ２（−）測定手順１８１で共通の値としてもよく、互いに異なる値としてもよい。
【０１１０】
図２のフローチャートに従い、Ａ２（−）測定手順１７１及びＣ２（−）測定手順１８１において圧迫圧力５１を前記第二圧力変動量づつ階段状に降圧して血圧測定を行った血圧計１０の推移Ｒと波形Ｐ及び波形Ｍとのタイミングチャートを図７に示す。図７の血圧測定においては再度の事前測定はなかったものである。図７の縦軸及び横軸は図４の縦軸及び横軸と同じである。また、図７において図２及び図４に用いた符号と同じ符号は同じ圧力、手順又は測定時点である。
【０１１１】
血圧計１０は事前測定において図４のタイミングチャートで説明したようにα（−）Ｓ１、β（−）Ｕ１、γ（−）Ｔ１、Ａ１（−）１２７及びＣ１（−）１４７を測定する。次いで、降圧時比較手順１５１を行い、血圧計１０は図４のタイミングチャートで説明したように圧迫圧力５１を圧力値１６７まで昇圧させる。次いで、血圧計１０はＡ２（−）測定手順１７１に従い圧迫圧力５１を階段状に単調降圧させ、第二降圧時振幅増大点１７３にてＡ２（−）１７７を測定する。次いで、血圧計１０はＣ２（−）測定手順１８１に従い圧迫圧力５１をさらに階段状に単調降圧させ、第二降圧時脈動点１８３にてＣ２（−）１８７を測定する。
【０１１２】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１１３】
従って、本発明に係る血圧計制御方法は血圧本測定前に短時間で血圧計の装着位置の適否を判断することができ、血圧本測定において圧迫圧力を階段状に単調降圧させることで、精度よく短時間で血圧測定をすることができる。
【０１１４】
（血圧計制御方法４）
本実施形態に係る血圧計１０の血圧計制御方法は、前記第二降圧時収縮期血圧値測定手順において、前記圧迫機構が、０．１ｍｍＨｇ以上１０ｍｍＨｇ以下の範囲にあって、前記第一降圧時収縮期血圧値測定手順における前記第一圧力変動量より小さい圧力変動量づつ階段状に圧迫圧力を降圧又は／及び前記第二降圧時拡張期血圧値測定手順において、前記圧迫機構が、０．１ｍｍＨｇ以上１０ｍｍＨｇ以下の範囲にあって、前記第一降圧時拡張期血圧値測定手順における前記第一圧力変動量より小さい圧力変動量づつ階段状に圧迫圧力を降圧してもよい。
【０１１５】
図２のフローチャートにおいて、Ａ１（−）測定手順１２１、ｂ（−）測定手順１３１及びＣ１（−）測定手順１４１の少なくとも一において前記第一圧力変動量づつ階段状に圧迫圧力５１を降圧してもよい。さらに、Ａ１（−）測定手順１２１において前記第一圧力変動量づつ階段状に圧迫圧力５１を降圧した場合に、Ａ２（−）測定手順１７１において前記第一圧力変動量より小さい圧力変動量づつ階段状に圧迫圧力５１を降圧してもよく、Ｃ１（−）測定手順１４１において前記第一圧力変動量づつ階段状に圧迫圧力５１を降圧した場合に、Ｃ２（−）測定手順１８１において前記第一圧力変動量より小さい圧力変動量づつ階段状に圧迫圧力５１を降圧してもよい。
【０１１６】
図２のフローチャートに従い、Ａ１（−）測定手順１２１、ｂ（−）測定手順１３１、Ｃ１（−）測定手順１４１、Ａ２（−）測定手順１７１及びＣ２（−）測定手順１８１において圧迫圧力５１を階段状に降圧して血圧測定を行った血圧計１０の推移Ｒと波形Ｐ及び波形Ｍとのタイミングチャートを図８に示す。図８の血圧測定においては再度の事前測定はなかったものである。図８の縦軸及び横軸は図４の縦軸及び横軸と同じである。また、図８において図２、図４、図６及び図７に用いた符号と同じ符号は同じ圧力、手順又は測定時点である。
【０１１７】
血圧計１０は図６のタイミングチャートで説明したように事前測定でα（−）Ｓ１、β（−）Ｕ１、γ（−）Ｔ１、Ａ１（−）１２７及びＣ１（−）１４７を測定する。次いで、降圧時比較手順１５１を行い、血圧計１０は図７のタイミングチャートで説明したように血圧本測定でＡ２（−）１７７及びＣ２（−）１８７を測定する。
【０１１８】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１１９】
従って、本発明に係る血圧計制御方法は事前測定において圧迫圧力を階段状に単調降圧させることで、血圧本測定前に短時間で血圧計の装着位置の適否を判断することができ、血圧本測定において圧迫圧力を階段状に単調降圧させることで、精度よく短時間で血圧測定をすることができる。
【０１２０】
（制御手段１）
本実施形態に係る血圧計１０は、圧迫圧力を発生する圧迫機構によって、被検体の血流からの脈波を検出する脈波検出回路の検出する脈波の振幅が所定値以下となるように圧迫圧力を昇圧し、前記脈波検出回路によって、所定値以下の脈波の振幅を降圧時高圧状態振幅値として測定する降圧時初期測定手段と、前記圧迫機構によって、前記降圧時初期測定手段における圧迫圧力を５ｍｍＨｇ／秒以上５０ｍｍＨｇ／秒以下の圧力変動速度で降圧し、前記圧迫機構の圧迫圧力を測定する圧力計によって、前記脈波検出回路の検出する脈波の振幅が増大し始めるときの圧迫圧力を第一降圧時収縮期血圧値として測定する第一降圧時収縮期血圧値測定手段と、前記圧迫機構によって、前記第一降圧時収縮期血圧値測定手段で測定した前記第一降圧時収縮期血圧値の圧迫圧力を５ｍｍＨｇ／秒以上５０ｍｍＨｇ／秒以下の圧力変動速度で降圧し、前記脈波検出回路によって、圧迫圧力の降圧時において検出する脈波の最大振幅値を降圧時最大振幅値として測定する降圧時最大振幅値測定手段と、前記圧迫機構によって、前記降圧時最大振幅値測定手段で前記降圧時最大振幅値を測定した時に前記圧力計が測定する圧迫圧力を５ｍｍＨｇ／秒以上５０ｍｍＨｇ／秒以下の圧力変動速度で降圧し、前記圧力計によって、前記脈波検出回路の検出する脈波の振幅が一定となるときの圧迫圧力を第一降圧時拡張期血圧値として測定及び前記脈波検出回路によって、圧迫圧力が前記第一降圧時拡張期血圧値である時の脈波の振幅を降圧時低圧状態振幅値として測定する第一降圧時拡張期血圧値測定手段と、前記脈波検出回路が検出する脈波の振幅値を比較する比較演算部によって、前記降圧時初期測定手段で測定した前記降圧時高圧状態振幅値と前記降圧時最大振幅値測定手段で測定した前記降圧時最大振幅値とを、及び前記第一降圧時拡張期血圧値測定手段で測定した前記降圧時低圧状態振幅値と前記降圧時最大振幅値測定手段で測定した前記降圧時最大振幅値とを比較する降圧時比較手段と、前記圧迫機構によって、前記第一降圧時収縮期血圧値測定手段で測定した前記第一降圧時収縮期血圧値よりも高い圧迫圧力を前記第一降圧時収縮期血圧値測定手段における前記圧力変動速度の絶対値よりも小さい圧力変動速度で降圧し、前記圧力計によって、前記脈波検出回路の検出する脈波の振幅が増大し始めるときの圧迫圧力を第二降圧時収縮期血圧値として測定する第二降圧時収縮期血圧値測定手段と、前記圧迫機構によって、前記第二降圧時収縮期血圧値測定手段で測定した前記第二降圧時収縮期血圧値の圧迫圧力を前記第一降圧時拡張期血圧値測定手段における前記圧力変動速度の絶対値よりも小さい圧力変動速度で降圧し、前記圧力計によって、前記脈波検出回路の検出する脈波の振幅が一定となるときの圧迫圧力を第二降圧時拡張期血圧値として測定する第二降圧時拡張期血圧値測定手段と、を有する制御回路を備える血圧計であって、前記降圧時比較手段において、前記降圧時初期測定手段で測定した前記降圧時高圧状態振幅値が前記降圧時最大振幅値測定手段で測定した前記降圧時最大振幅値の５０％以上又は前記第一降圧時拡張期血圧値測定手段で測定した前記降圧時低圧状態振幅値が前記降圧時最大振幅値測定手段で測定した前記降圧時最大振幅値の８５％以上のときに、前記制御回路は前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを測定させ、前記降圧時初期測定手段で測定した前記降圧時高圧状態振幅値が前記降圧時最大振幅値測定手段で測定した前記降圧時最大振幅値の５０％未満で且つ前記第一降圧時拡張期血圧値測定手段で測定した前記降圧時低圧状態振幅値が前記降圧時最大振幅値測定手段で測定した前記降圧時最大振幅値の８５％未満のときに、前記制御回路は前記第二降圧時収縮期血圧値測定手段に第二降圧時収縮期血圧値を、ならびに前記第二降圧時拡張期血圧値測定手段に第二降圧時拡張期血圧値を測定させることを特徴とする血圧計である。
【０１２１】
本実施形態に係る血圧計１０の制御回路１８が有する血圧測定手段のブロック図を図３に示す。血圧計１０が血圧測定を行うため、制御回路１８は血圧測定手段としてａ（−）測定手段１１０、Ａ１（−）測定手段１２０、ｂ（−）測定手段１３０、Ｃ１（−）測定手段１４０、降圧時比較手段１５０、Ａ２（−）測定手段１７０及びＣ２（−）測定手段１８０を有する。以下の説明において、随時、図１、図２及び図４に用いた符号も用いて説明する。
【０１２２】
ａ（−）測定手段１１０はａ（−）測定手順１１１に従い、圧迫機構１１に圧迫され阻血状態となった被検体９００の脈波５３の振幅値をα（−）としてα（−）信号１１５を出力する。
【０１２３】
Ａ１（−）測定手段１２０はＡ１（−）測定手順１２１に従い、圧迫圧力５１が降圧して阻血されていた被検体９００内の血液が流れ始めるときの圧迫圧力５１をＡ１（−）として測定し、Ａ１（−）信号１２５を出力する。
【０１２４】
ｂ（−）測定手段１３０はｂ（−）測定手順１３１に従い、圧迫機構１１が被検体９００を圧迫した圧迫圧力５１の降圧中に脈波５３が最大となるときの振幅値をβ（−）として測定し、β（−）信号１３５を出力する。
【０１２５】
Ｃ１（−）測定手段１４０はＣ１（−）測定手順１４１に従い、圧迫圧力５１を降圧して被検体９００が脈動状態となったときの圧迫圧力５１であるＣ１（−）と脈動状態となったときの脈波５３の振幅値であるγ（−）とを測定し、Ｃ１（−）とγ（−）との測定信号１４５を出力する。
【０１２６】
降圧時比較手段１５０は降圧時比較手順１５１に従い、血圧本測定を行う血圧本測定信号１６５又は事前測定を再度行う再測定指示信号１５５を出力する。
【０１２７】
Ａ２（−）測定手段１７０はＡ２（−）測定手順１７１に従い、圧迫圧力５１が降圧して阻血されていた被検体９００内の血液が流れ始めるときの圧迫圧力５１であるＡ２（−）を測定する。
【０１２８】
Ｃ２（−）測定手段１８０はＣ２（−）測定手順１８１に従い、圧迫圧力５１を降圧して被検体９００が脈動状態となったときの圧迫圧力５１であるＣ２（−）を測定する。
【０１２９】
図３に示すように降圧時比較手段１５０はａ（−）測定手段１１０、Ａ１（−）測定手段１２０、ｂ（−）測定手段１３０、Ｃ１（−）測定手段１４０、Ａ２（−）測定手段１７０及びＣ２（−）測定手段１８０を接続する。降圧時比較手段１５０はａ（−）測定手段１１０からα（−）信号１１５、Ａ１（−）測定手段１２０からＡ１（−）信号１２５、ｂ（−）測定手段１３０からβ（−）信号１３５及びＣ１（−）測定手段１４０から測定信号１４５を受信する。降圧時比較手段１５０は血圧測定に不適と判断した場合はａ（−）測定手段１１０、Ａ１（−）測定手段１２０、ｂ（−）測定手段１３０及びＣ１（−）測定手段１４０に再測定指示信号１５５を出力する。従って、血圧計１０は再度事前測定を行う。一方、降圧時比較手段１５０は血圧測定に適していると判断した場合はＡ２（−）測定手段１７０及びＣ２（−）測定手段１８０に血圧本測定信号１６５を出力する。従って、血圧計１０は血圧本測定を行う。
【０１３０】
血圧計１０は図４のタイミングチャートで説明したように血圧測定を行う。また、血圧計１０は血圧本測定において図５のタイミングチャートで説明したように血圧測定を行うこともできる。
【０１３１】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１３２】
従って、本発明に係る血圧計は血圧測定前に短時間で血圧計の装着位置の適否を判断でき、精度よく血圧測定をすることができる。
【０１３３】
さらに、本発明に係る血圧計制御方法は事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０１３４】
（制御手段２）
本実施形態に係る血圧計１０は、前記第一降圧時収縮期血圧値測定手段、前記降圧時最大振幅値測定手段及び前記第一降圧時拡張期血圧値測定手段の少なくとも一つの手段は、前記圧迫機構によって、０．１ｍｍＨｇ以上１０ｍｍＨｇ以下の第一圧力変動量づつ階段状に圧迫圧力を降圧してもよい。
【０１３５】
血圧計１０の制御回路１８は図３のブロック図のＡ１（−）測定手段１２０、ｂ（−）測定手段１３０及びＣ１（−）測定手段１４０の少なくとも一において前記第一圧力変動量づつ階段状に圧迫圧力５１を降圧してもよい。
【０１３６】
例えば、Ａ１（−）測定手段１２０、ｂ（−）測定手段１３０及びＣ１（−）測定手段１４０において前記第一圧力変動量づつ階段状に圧迫圧力５１を降圧することで、血圧計１０は図６のタイミングチャートで説明したように血圧測定を行う。
【０１３７】
従って、本発明に係る血圧計は事前測定において圧迫圧力を階段状に単調降圧させることで、血圧測定前に短時間で装着位置の適否を判断でき、精度よく血圧測定をすることができる。
【０１３８】
（制御手段３）
本実施形態に係る血圧計１０は、前記第二降圧時収縮期血圧値測定手段及び前記第二降圧時拡張期血圧値測定手段の少なくとも一つの手段は、前記圧迫機構によって、０．１ｍｍＨｇ以上１０ｍｍＨｇ以下の第二圧力変動量づつ階段状に圧迫圧力を降圧してもよい。
【０１３９】
血圧計１０の制御回路１８は図３のブロック図のＡ２（−）測定手段１７０及びＣ２（−）測定手段１８０の少なくとも一において前記第二圧力変動量づつ階段状に圧迫圧力５１を降圧してもよい。
【０１４０】
例えば、Ａ２（−）測定手段１７０及びＣ２（−）測定手段１８０において前記第二圧力変動量づつ階段状に圧迫圧力５１を降圧することで、血圧計１０は図７のタイミングチャートで説明したように血圧測定を行う。
【０１４１】
従って、本発明に係る血圧計は血圧本測定前に短時間で装着位置の適否を判断することができ、血圧本測定において圧迫圧力を階段状に単調降圧させることで、精度よく短時間で血圧測定をすることができる。
【０１４２】
（制御手段４）
本実施形態に係る血圧計１０は、前記第二降圧時収縮期血圧値測定手段は、前記圧迫機構によって、０．１ｍｍＨｇ以上１０ｍｍＨｇ以下の範囲にあって、前記第一降圧時収縮期血圧値測定手段の前記第一圧力変動量より小さい圧力変動量づつ階段状に圧迫圧力を降圧又は／及び前記第二降圧時拡張期血圧値測定手段は、前記圧迫機構によって、０．１ｍｍＨｇ以上１０ｍｍＨｇ以下の範囲にあって、前記第一降圧時拡張期血圧値測定手段の前記第一圧力変動量より小さい圧力変動量づつ階段状に圧迫圧力を降圧してもよい。
【０１４３】
血圧計１０の制御回路１８は図３のブロック図のＡ１（−）測定手段１２０、ｂ（−）測定手段１３０及びＣ１（−）測定手段１４０の少なくとも一において前記第一圧力変動量づつ階段状に圧迫圧力５１を降圧してもよい。さらに、Ａ１（−）測定手段１２０において前記第一圧力変動量づつ階段状に圧迫圧力５１を降圧した場合に、Ａ２（−）測定手段１７０において前記第一圧力変動量より小さい圧力変動量づつ階段状に圧迫圧力５１を降圧してもよく、Ｃ１（−）測定手段１４０において前記第一圧力変動量づつ階段状に圧迫圧力５１を降圧した場合に、Ｃ２（−）測定手段１８０において前記第一圧力変動量より小さい圧力変動量づつ階段状に圧迫圧力５１を降圧してもよい。
【０１４４】
例えば、Ａ１（−）測定手段１２０、ｂ（−）測定手段１３０及びＣ１（−）測定手段１４０において前記第一圧力変動量づつ階段状に圧迫圧力５１を降圧し、Ａ２（−）測定手段１７０及びＣ２（−）測定手段１８０において前記第一変動量より小さい圧力変動づつ階段状に圧迫圧力５１を降圧することで、血圧計１０は図８のタイミングチャートで説明したように血圧測定を行う。
【０１４５】
本血圧計は事前測定において圧迫圧力を階段状に単調降圧させることで、血圧本測定前に短時間で装着位置の適否を判断することができ、血圧本測定において圧迫圧力を階段状に単調降圧させることで、精度よく短時間で血圧測定をすることができる。
【０１４６】
（血圧計制御方法５）
本実施形態に係る血圧計１０の血圧計制御方法は、被検体の血流からの脈波を検出する脈波検出回路が、脈波の振幅を昇圧時低圧状態振幅値として測定する昇圧時初期値測定手順と、前記昇圧時初期値測定手順の後、圧迫圧力を発生する圧迫機構が、５ｍｍＨｇ／秒以上５０ｍｍＨｇ／秒以下の圧力変動速度で圧迫圧力を昇圧し、前記圧迫機構の圧迫圧力を測定する圧力計が、前記脈波検出回路の検出する脈波の振幅が増大し始めるときの圧迫圧力を第一昇圧時拡張期血圧値として測定する第一昇圧時拡張期血圧値測定手順と、前記第一昇圧時拡張期血圧値測定手順の後、前記圧迫機構が、５ｍｍＨｇ／秒以上５０ｍｍＨｇ／秒以下の圧力変動速度で圧迫圧力を昇圧し、前記脈波検出回路が、圧迫圧力の昇圧時において検出する脈波の最大振幅値を昇圧時最大振幅値として測定する昇圧時最大振幅値測定手順と、前記昇圧時最大振幅値測定手順の後、前記圧迫機構が、５ｍｍＨｇ／秒以上５０ｍｍＨｇ／秒以下の圧力変動速度で圧迫圧力を昇圧し、前記圧力計が、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手順と、前記第一昇圧時収縮期血圧値測定手順の後、前記脈波検出回路が検出する脈波の振幅値を比較する比較演算部が、前記第一昇圧時収縮期血圧値測定手順で測定した前記昇圧時高圧状態振幅値と前記昇圧時最大振幅値測定手順で測定した前記昇圧時最大振幅値とを、及び前記昇圧時初期値測定手順で測定した前記昇圧時低圧状態振幅値と前記昇圧時最大振幅値測定手順で測定した前記昇圧時最大振幅値とを比較する昇圧時比較手順と、前記圧迫機構が、前記第一昇圧時収縮期血圧値測定手順における前記圧力変動速度の絶対値よりも遅い圧力変動速度で圧迫圧力を降圧し、前記圧力計が、前記脈波検出回路の検出する脈波の振幅が増大し始めるときの圧迫圧力を第二降圧時収縮期血圧値として測定する第二降圧時収縮期血圧値測定手順と、前記第二降圧時収縮期血圧値測定手順の後、前記圧迫機構が、前記第一昇圧時拡張期血圧値測定手順における前記圧力変動速度の絶対値よりも遅い圧力変動速度で圧迫圧力を降圧し、前記圧力計が、前記脈波検出回路の検出する脈波の振幅が一定となるときの圧迫圧力を第二降圧時拡張期血圧値として測定する第二降圧時拡張期血圧値測定手順と、を備える血圧計制御方法であって、前記昇圧時比較手順において、前記第一昇圧時収縮期血圧値測定手順で測定した前記昇圧時高圧状態振幅値が前記昇圧時最大振幅値測定手順で測定した前記昇圧時最大振幅値の５０％以上又は前記昇圧時初期値測定手順で測定した前記昇圧時低圧状態振幅値が前記昇圧時最大振幅値測定手順で測定した前記昇圧時最大振幅値の８５％以上のときに、前記脈波検出回路の検出する脈波の振幅が所定値以下となるように前記圧迫機構の圧迫圧力を降圧し、前記昇圧時初期値測定手順から前記第一昇圧時収縮期血圧値測定手順までを再度行い、前記第一昇圧時収縮期血圧値測定手順で測定した前記昇圧時高圧状態振幅値が前記昇圧時最大振幅値測定手順で測定した前記昇圧時最大振幅値の５０％未満で且つ前記昇圧時初期値測定手順で測定した前記昇圧時低圧状態振幅値が前記昇圧時最大振幅値測定手順で測定した前記昇圧時最大振幅値の８５％未満のときに、前記第一昇圧時収縮期血圧値測定手順で測定した前記第一昇圧時収縮期血圧値よりも高い圧迫圧力から前記第二降圧時収縮期血圧値測定手順と前記第二降圧時拡張期血圧値測定手順とを行うことを特徴とする血圧計制御方法である。
【０１４７】
本実施形態に係る血圧計１０の血圧計制御方法のフローチャートを図９に示す。前記血圧計制御方法は前記事前測定として昇圧時初期値測定手順２１１（図面及び以下の説明において「昇圧時初期値」を「ｃ（＋）」と略記する。）、第一昇圧時拡張期血圧値測定手順２２１（図面及び以下の説明において「第一昇圧時拡張期血圧値」を「Ｃ１（＋）」と略記する。）、昇圧時最大振幅値測定手順２３１（図面及び以下の説明において「昇圧時最大振幅値」を「ｂ（＋）」と略記する。）、第一昇圧時収縮期血圧値測定手順２４１（図面及び以下の説明において「第一昇圧時収縮期血圧値」を「Ａ１（＋）」と略記する。）及び昇圧時比較手順２５１を、血圧本測定としてＡ２（−）測定手順１７１及びＣ２（−）測定手順１８１を備える。図９において図２で用いた符号と同じ符号は同じ手順である。以下の説明において、随時、図１及び図２に用いた符号も用いて説明する。
【０１４８】
ｃ（＋）測定手順２１１は圧迫機構１１に圧迫圧力５１が所定値になるまで降圧させて被検体９００内の血流を脈動状態とする。例えば、被検体９００を脈動状態とするために圧迫圧力５１を０ｍｍＨｇ以上５０ｍｍＨｇ以下とすることができる。脈動状態においては、圧迫圧力５１の変動に対して脈波５３の振幅は一定となるため、血圧計１０は被検体９００が脈動状態になったことを判断することができる。また、血圧計１０は脈波５３の振幅が予め設定された所定値以下となったことで被検体９００が脈動状態になったことを判断してもよい。次いで、ｃ（＋）測定手順２１１は昇圧時低圧状態振幅値（図面及び以下の説明において「昇圧時低圧状態振幅値」を「γ（＋）」と略記する。）として脈波検出回路１３に脈動状態の被検体９００の脈波５３の振幅値を測定させる。
【０１４９】
Ｃ１（＋）測定手順２２１は圧迫機構１１に被検体９００を圧迫する圧迫圧力５１を５ｍｍＨｇ／秒以上５０ｍｍＨｇ／秒以下の圧力変動速度で昇圧させる。圧迫圧力５１が昇圧することで被検体９００内の血管は閉塞して血流が妨げられ、脈波５３の振幅値信号５５が増大し始める。例えば、制御回路１８は脈波検出回路１３に脈波５３の振幅を単位時間毎に監視させておき、単位時間毎の脈波５３の振幅の平均値が続けて２回増加したことをもって脈波５３の振幅が増大し始めた第一昇圧時振幅増大点であると判断することができる。Ｃ１（＋）測定手順２２１はＣ１（＋）として前記第一昇圧時振幅増大点の圧迫圧力５１を圧力計１２に測定させる。
【０１５０】
ｂ（＋）測定手順２３１は圧迫機構１１に被検体９００を圧迫する圧迫圧力５１を５ｍｍＨｇ／秒以上５０ｍｍＨｇ／秒以下の圧力変動速度で昇圧させる。圧迫圧力５１の昇圧中において被検体９００の血流が脈動状態から阻血状態へ移る際に脈波５３の振幅が最大となる時がある。例えば、制御回路１８は脈波検出回路１３に脈波５３の振幅を単位時間毎に監視させておき、単位時間毎の脈波５３の振幅の平均値が続けて２回減少したことをもって、２回減少し始める直前の脈波５３の振幅の測定時を脈波５３の振幅が最大値であったとして昇圧時振幅最大点と判断することができる。ｂ（＋）測定手順２３１は昇圧時最大振幅値（図面及び以下の説明において「昇圧時最大振幅値」を「β（＋）」と略記する。）として前記昇圧時振幅最大点の脈波５３の振幅値を脈波検出回路１３に測定させる。
【０１５１】
Ａ１（＋）測定手順２４１は圧迫機構１１に被検体９００を圧迫する圧迫圧力５１を５ｍｍＨｇ／秒以上５０ｍｍＨｇ／秒以下の圧力変動速度で昇圧させる。圧迫圧力５１が昇圧することで、被検体９００は阻血状態となり、脈波５３の振幅値信号５５は圧迫圧力５１の変化に対して一定となる。例えば、比較演算部１５は脈波検出回路１３に脈波５３の振幅を単位時間毎に監視させておき、単位時間毎の脈波５３の振幅の平均値の変動が続けて２回所定の値以内であったことをもって、被検体９００が阻血状態となる第一昇圧時阻血点になったと判断してもよい。Ａ１（＋）測定手順２４１は圧力計１２に前記第一昇圧時阻血点の圧迫圧力５１をＡ１（＋）として測定させ、脈波検出回路１３に前記第一昇圧時阻血点の脈波５３の振幅値を昇圧時高圧状態振幅値（図面及び以下の説明において「昇圧時高圧状態振幅値」を「α（＋）」と略記する。）として測定させる。
【０１５２】
なお、Ｃ１（＋）測定手順２２１における圧力変動速度、ｂ（＋）測定手順２３１における圧力変動速度及びＡ１（＋）測定手順２４１における圧力変動速度は全て同一の速度であっても互いに異なる速度であってもよい。
【０１５３】
また、事前測定の精度を向上させ、測定時間を短縮させるために事前測定における前記圧力変動速度を１０ｍｍＨｇ／秒以上４０ｍｍＨｇ／秒以下とすることが好ましく、２０ｍｍＨｇ／秒以上３０ｍｍＨｇ／秒以下とすることがより好ましい。
【０１５４】
さらに、事前測定の精度を向上させるために事前測定において圧力計１２は１０ｍ秒以上２００ｍ秒以下、好ましくは２０ｍ秒以上１５０ｍ秒以下、より好ましくは３０ｍ秒以上１００ｍ秒以下の時間毎に圧迫機構１１が被検体９００を圧迫する圧迫圧力５１を測定してもよい。例えば、圧力計１２は前記時間内に測定した圧迫圧力５１の平均値を圧力値信号５６として出力してもよい。
【０１５５】
昇圧時比較手順２５１は比較演算部１５に前記γ（＋）と前記β（＋）との比率及び前記α（＋）と前記β（＋）との比率を計算させる。次いで、昇圧時比較手順２５１は比較演算部１５が計算した結果に基づき、制御回路１８に血圧計１０の装着位置の適否を判断させる。
【０１５６】
前記α（＋）が前記β（＋）の５０％以上又は前記γ（＋）が前記β（＋）の８５％以上の場合、制御回路１８は血圧計１０が装着された位置は血圧測定に不適であると判断する。一方、前記α（＋）が前記β（＋）の５０％未満で且つ前記γ（＋）が前記β（＋）の８５％未満の場合、制御回路１８は血圧計１０が装着された位置は血圧測定に適していると判断する。
【０１５７】
なお、Ａ２（−）測定手順１７１において、圧迫機構１１が降圧する圧迫圧力５１の圧力変動速度はＡ１（＋）測定手順２４１における圧力変動速度の絶対値より小さい。
【０１５８】
なお、Ｃ２（−）測定手順１８１において、圧迫機構１１が降圧する圧迫圧力５１の圧力変動速度はＣ１（＋）測定手順２２１における圧力変動速度の絶対値より小さい。
【０１５９】
血圧計１０は図９のフローチャートに従い血圧測定を行う。血圧計１０は事前測定においてｃ（＋）測定手順２１１、Ｃ１（＋）測定手順２２１、ｂ（＋）測定手順２３１及びＡ１（＋）測定手順２４１を順に行い、昇圧時比較手順２５１において血圧測定に適した位置に装着されていると判断した場合に血圧本測定であるＡ２（−）測定手順１７１及びＣ２（−）測定手順１８１を順に行う。一方、血圧計１０は昇圧時比較手順２５１において血圧測定に不適な位置に装着されていると判断した場合は、圧迫圧力５１を降圧して再度事前測定を行う。
【０１６０】
図９のフローチャートに従い血圧測定を行った血圧計１０の推移Ｒと波形Ｐ及び波形Ｍとのタイミングチャートを図１１に示す。図１１の縦軸及び横軸は図４の縦軸及び横軸と同じである。図１１において、図２、図４及び図９に用いた符号と同じ符号は同じ圧力、手順又は測定点である。図１１の血圧測定においては再度の事前測定はなかったものである。以下、随時、図１、図２、図４及び図９に用いた符号も用いて説明する。
【０１６１】
血圧計１０はｃ（＋）測定手順２１１によって脈動時測定点２１３にてγ（＋）Ｔ２を測定する。次いで、血圧計１０はＣ１（＋）測定手順２２１によって圧迫圧力５１を昇圧させ第一昇圧時振幅増大点２２３にてＣ１（＋）２２７を測定する。次いで、血圧計１０はｂ（＋）測定手順２３１によって圧迫圧力５１をさらに昇圧させ昇圧時振幅最大点２３３にてβ（＋）Ｕ２を測定する。次いで、血圧計１０はＡ１（＋）測定手順２４１によって圧迫圧力をさらに昇圧させ第一昇圧時阻血点２４３にてＡ１（＋）２４７及びα（＋）Ｓ２を測定する。Ａ１（＋）測定手順２４１後、圧迫機構１１はＡ１（＋）２４７より高い、例えば、Ａ１（＋）２４７より１０％高い圧迫圧力５１の待機圧力値２６７で圧迫機構１１は被検体９００の圧迫を続ける。Ａ１（＋）測定手順２４１後、昇圧時比較手順２５１でα（＋）Ｓ２とβ（＋）Ｕ２とを及びγ（＋）Ｔ２とβ（＋）Ｕ２とを比較する。次いで、図４のタイミングチャートで説明したように血圧計１０はＡ２（−）１７７及びＣ２（−）１８７を測定する。
【０１６２】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１６３】
従って、本発明に係る血圧計制御方法は血圧本測定前に短時間で血圧計の装着位置の適否を判断し、精度よく短時間で血圧測定をすることができる。
【０１６４】
さらに、前記事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０１６５】
なお、血圧本測定において、圧迫圧力５１を図５のタイミングチャートの血圧本測定のように推移させてもよい。血圧測定として必要なＡ２（−）１７７とＣ２（−）１８７の付近のみの圧迫圧力５１と脈波５３を正確に測定することで血圧本測定の測定時間を短縮することができる。
【０１６６】
（血圧計制御方法６）
本実施形態に係る血圧計１０の血圧計制御方法は、前記第一昇圧時拡張期血圧値測定手順、前記昇圧時最大振幅値測定手順及び前記第一昇圧時収縮期血圧値測定手順の少なくとも一つの手順において、前記圧迫機構が、０．１ｍｍＨｇ以上１０ｍｍＨｇ以下の第一圧力変動量づつ階段状に圧迫圧力を昇圧してもよい。
【０１６７】
であってもよい。図９のフローチャートにおいて、Ｃ１（＋）測定手順２２１、ｂ（＋）測定手順２３１及びＡ１（＋）測定手順２４１の少なくとも一において前記第一圧力変動量づつ階段状に圧迫圧力５１を昇圧してもよい。
【０１６８】
Ｃ１（＋）測定手順２２１、ｂ（＋）測定手順２３１及びＡ１（＋）測定手順２４１は圧迫機構１１に圧迫圧力５１を連続的に単調昇圧させず、平均して５ｍｍＨｇ／秒以上５０ｍｍＨｇ／秒以下の圧力変動速度を保ちつつ、前記第一変動量づつ階段状に単調昇圧させてもよい。第一変動量は０．１ｍｍＨｇ以上１０ｍｍＨｇ以下、好ましくは０．５ｍｍＨｇ以上５ｍｍＨｇ以下、さらに好ましくは１ｍｍＨｇ以上３ｍｍＨｇ以下である。なお、前記第一変動量はＣ１（＋）測定手順２２１、ｂ（＋）測定手順２３１及びＡ１（＋）測定手順２４１で共通の値としてもよく、互いに異なる値としてもよい。
【０１６９】
図９のフローチャートに従い、Ｃ１（＋）測定手順２２１、ｂ（＋）測定手順２３１及びＡ１（＋）測定手順２４１の全てにおいて圧迫圧力５１を前記第一圧力変動量づつ階段状に昇圧して血圧測定を行った血圧計１０の推移Ｒと波形Ｐ及び波形Ｍとのタイミングチャートを図１２に示す。図１２の血圧測定においては再度の事前測定はなかったものである。図１２の縦軸及び横軸は図４の縦軸及び横軸と同じである。また、図１２において図２、図４、図９及び図１１に用いた符号と同じ符号は同じ圧力、手順又は測定点である。
【０１７０】
血圧計１０は図１１のタイミングチャートと同様に脈動時測定点２１３にてγ（＋）Ｔ２を測定する。次いで、血圧計１０はＣ１（＋）測定手順２２１に従い圧迫圧力５１を階段状に単調昇圧し、第一昇圧時振幅増大点２２３にてＣ１（＋）２２７を測定する。次いで、血圧計１０はｂ（＋）測定手順２３１に従い圧迫圧力５１をさらに階段状に単調昇圧し、昇圧時振幅最大点２３３にてβ（＋）Ｕ２を測定する。次いで、血圧計１０はＡ１（＋）測定手順２４１に従い圧迫圧力５１をさらに階段状に単調昇圧し、第一昇圧時阻血点２４３にてＡ１（＋）２４７及びα（＋）Ｓ２を測定する。次いで昇圧時比較手順２５１を行う。次いで、血圧計１０は図４のタイミングチャートで説明したように血圧本測定においてＡ２（−）１７７及びＣ２（−）１８７を測定する。
【０１７１】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１７２】
従って、本発明に係る血圧計制御方法は事前測定において圧迫圧力を階段状に単調昇圧させることで、血圧測定前に短時間で血圧計の装着位置の適否を判断でき、精度よく血圧測定をすることができる。
【０１７３】
（血圧計制御方法７）
本実施形態に係る血圧計１０の血圧計制御方法は、前記第二降圧時収縮期血圧値測定手順及び前記第二降圧時拡張期血圧値測定手順の少なくとも一つの手順において、前記圧迫機構が、０．１ｍｍＨｇ以上１０ｍｍＨｇ以下の第二圧力変動量づつ階段状に圧迫圧力を降圧してもよい。
【０１７４】
図９のフローチャートにおいて、Ａ２（−）測定手順１７１及びＣ２（−）測定手順１８１の少なくとも一において前記第二圧力変動量づつ階段状に圧迫圧力５１を降圧してもよい。
【０１７５】
階段状に単調降圧するＡ２（−）測定手順１７１は血圧計制御方法３のＡ２（−）測定手順１７１の説明と同じである。なお、血圧計制御方法７のＡ２（−）測定手順１７１において圧迫機構１１が降圧する圧迫圧力５１の圧力変動速度はＡ１（＋）測定手順２４１における圧力変動速度の絶対値より小さい。
【０１７６】
階段状に単調降圧するＣ２（−）測定手順１８１は血圧計制御方法３のＣ２（−）測定手順１８１の説明と同じである。なお、血圧計制御方法７のＣ２（−）測定手順１８１において圧迫機構１１が降圧する圧迫圧力５１の圧力変動速度はＣ１（＋）測定手順２２１における圧力変動速度の絶対値より小さい。
【０１７７】
図９のフローチャートに従い、Ａ２（−）測定手順１７１及びＣ２（−）測定手順１８１において圧迫圧力５１を前記第二圧力変動量づつ階段状に降圧して血圧測定を行った血圧計１０の推移Ｒと波形Ｐ及び波形Ｍとのタイミングチャートを図１３に示す。図１３の血圧測定においては再度の事前測定はなかったものである。図１３の縦軸及び横軸は図４の縦軸及び横軸と同じである。また、図１３において図２、図４、図９及び図１１に用いた符号と同じ符号は同じ圧力、手順又は測定点である。
【０１７８】
血圧計１０は事前測定において図１１のタイミングチャートで説明したようにγ（＋）Ｔ２、β（＋）Ｕ２、α（＋）Ｓ２、Ｃ１（＋）２２７及びＡ１（＋）２４７を測定する。次いで、昇圧時比較手順２５１を行う。Ａ１（＋）測定手順２４１後、圧迫機構１１は待機圧力値２６７で被検体９００の圧迫を続ける。次いで、血圧計１０は血圧本測定において図７のタイミングチャートで説明したようにＡ２（−）１７７及びＣ２（−）１８７を測定する。
【０１７９】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１８０】
従って、本発明に係る血圧計制御方法は血圧本測定前に短時間で血圧計の装着位置の適否を判断することができ、血圧本測定において圧迫圧力を階段状に単調降圧させることで、精度よく短時間で血圧測定をすることができる。
【０１８１】
（血圧計制御方法８）
本実施形態に係る血圧計１０の血圧計制御方法は、前記第二降圧時拡張期血圧値測定手順において、前記圧迫機構が、０．１ｍｍＨｇ以上１０ｍｍＨｇ以下の範囲にあって、前記第一昇圧時拡張期血圧値測定手順における前記第一圧力変動量より小さい圧力変動量づつ階段状に圧迫圧力を降圧又は／及び前記第二降圧時収縮期血圧値測定手順において、前記圧迫機構が、０．１ｍｍＨｇ以上１０ｍｍＨｇ以下の範囲にあって、前記第一昇圧時収縮期血圧値測定手順における前記第一圧力変動量より小さい圧力変動量づつ階段状に圧迫圧力を降圧してもよい。
【０１８２】
図９のフローチャートにおいて、Ｃ１（＋）測定手順２２１、ｂ（＋）測定手順２３１及びＡ１（＋）測定手順２４１の少なくとも一において前記第一圧力変動量づつ階段状に圧迫圧力５１を昇圧してもよい。さらに、Ｃ１（＋）測定手順２２１において前記第一圧力変動量づつ階段状に圧迫圧力５１を昇圧した場合に、Ｃ２（−）測定手順１８１において前記第一圧力変動量より小さい圧力変動量づつ階段状に圧迫圧力５１を降圧してもよく、Ａ１（＋）測定手順２４１において前記第一圧力変動量づつ階段状に圧迫圧力５１を昇圧した場合に、Ａ２（−）測定手順１７１において前記第一圧力変動量より小さい圧力変動量づつ階段状に圧迫圧力５１を降圧してもよい。
【０１８３】
図９のフローチャートに従い、Ｃ１（＋）測定手順２２１、ｂ（＋）測定手順２３１及びＡ１（＋）測定手順２４１において圧迫圧力５１を階段状に昇圧し、Ａ２（−）測定手段１７０及びＣ２（−）測定手段１８０において圧迫圧力５１を階段状に降圧して血圧測定を行った血圧計１０の推移Ｒと波形Ｐ及び波形Ｍとのタイミングチャートを図１４に示す。図１４の血圧測定においては再度の事前測定はなかったものである。図１４の縦軸及び横軸は図４の縦軸及び横軸と同じである。また、図１４において図１、図２、図４、図９及び図１１に用いた符号と同じ符号は同じ圧力、手順又は測定点である。
【０１８４】
血圧計１０は図１２のタイミングチャートで説明したように事前測定でγ（＋）Ｔ２、β（＋）Ｕ２、α（＋）Ｓ２、Ｃ１（＋）２２７及びＡ１（＋）２４７を測定する。次いで、昇圧時比較手順２５１を行い、血圧計１０は図７のタイミングチャートで説明したように血圧本測定でＡ２（−）１７７及びＣ２（−）１８７を測定する。
【０１８５】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１８６】
従って、本発明に係る血圧計制御方法は事前測定において圧迫圧力を階段状に単調昇圧させることで、血圧本測定前に短時間で血圧計の装着位置の適否を判断することができ、血圧本測定において圧迫圧力を階段状に単調降圧させることで、精度よく短時間で血圧測定をすることができる。
【０１８７】
（制御手段５）
本実施形態に係る血圧計１０は、  被検体の血流からの脈波を検出する脈波検出回路によって、脈波の振幅を昇圧時低圧状態振幅値として測定する昇圧時初期測定手段と、圧迫圧力を発生する圧迫機構によって、前記昇圧時初期測定手段における圧迫圧力を５ｍｍＨｇ／秒以上５０ｍｍＨｇ／秒以下の圧力変動速度で昇圧し、前記圧迫機構の圧迫圧力を測定する圧力計によって、前記脈波検出回路の検出する脈波の振幅が増大し始めるときの圧迫圧力を第一昇圧時拡張期血圧値として測定する第一昇圧時拡張期血圧値測定手段と、前記圧迫機構によって、前記第一昇圧時拡張期血圧値測定手段で測定した前記第一昇圧時拡張期血圧値の圧迫圧力を５ｍｍＨｇ／秒以上５０ｍｍＨｇ／秒以下の圧力変動速度で昇圧し、前記脈波検出回路によって、圧迫圧力の昇圧時において検出する脈波の最大振幅値を昇圧時最大振幅値として測定する昇圧時最大振幅値測定手段と、前記圧迫機構によって、前記昇圧時最大振幅値測定手段で前記昇圧時最大振幅値を測定した時に前記圧力計が測定する圧迫圧力を５ｍｍＨｇ／秒以上５０ｍｍＨｇ／秒以下の圧力変動速度で昇圧し、前記圧力計によって、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手段と、前記脈波検出回路が検出する脈波の振幅値を比較する比較演算部によって、前記第一昇圧時収縮期血圧値測定手段で測定した前記昇圧時高圧状態振幅値と前記昇圧時最大振幅値測定手段で測定した前記昇圧時最大振幅値とを、及び前記昇圧時初期測定手段で測定した前記昇圧時低圧状態振幅値と前記昇圧時最大振幅値測定手段で測定した前記昇圧時最大振幅値とを比較する昇圧時比較手段と、前記圧迫機構によって、前記第一昇圧時収縮期血圧値測定手段で測定した前記第一昇圧時収縮期血圧値よりも高い圧迫圧力を前記第一昇圧時収縮期血圧値測定手段における前記圧力変動速度の絶対値よりも遅い圧力変動速度で降圧し、前記圧力計によって、前記脈波検出回路の検出する脈波の振幅が増大し始めるときの圧迫圧力を第二降圧時収縮期血圧値として測定する第二降圧時収縮期血圧値測定手段と、前記圧迫機構によって、前記第二降圧時収縮期血圧値測定手段で測定した前記第二降圧時収縮期血圧値の圧迫圧力を前記第一昇圧時拡張期血圧値測定手段における前記圧力変動速度の絶対値よりも遅い圧力変動速度で降圧し、前記圧力計が、前記脈波検出回路の検出する脈波の振幅が一定となるときの圧迫圧力を第二降圧時拡張期血圧値として測定する第二降圧時拡張期血圧値測定手段と、を有する制御回路を備える血圧計であって、前記昇圧時比較手段において、前記第一昇圧時収縮期血圧値測定手段で測定した前記昇圧時高圧状態振幅値が前記昇圧時最大振幅値測定手段で測定した前記昇圧時最大振幅値の５０％以上又は前記昇圧時初期測定手段で測定した前記昇圧時低圧状態振幅値が前記昇圧時最大振幅値測定手段で測定した前記昇圧時最大振幅値の８５％以上のときに、前記制御回路は前記脈波検出回路の検出する脈波の振幅が所定値以下となるように前記圧迫機構の圧迫���力を降圧させ、前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを測定させ、前記第一昇圧時収縮期血圧値測定手段で測定した前記昇圧時高圧状態振幅値が前記昇圧時最大振幅値測定手段で測定した前記昇圧時最大振幅値の５０％未満で且つ前記昇圧時初期測定手段で測定した前記昇圧時低圧状態振幅値が前記昇圧時最大振幅値測定手段で測定した前記昇圧時最大振幅値の８５％未満のときに、前記制御回路は前記第二降圧時収縮期血圧値測定手段に前記第二降圧時収縮期血圧値を、ならびに前記第二降圧時拡張期血圧値測定手段に第二降圧時拡張期血圧値を測定させることを特徴とする血圧計である。
【０１８８】
本実施形態に係る血圧計１０の制御回路１８が有する血圧測定手段のブロック図を図１０に示す。血圧計１０が血圧測定を行うために、制御回路１８は血圧測定手段としてｃ（＋）測定手段２１０、Ｃ１（＋）測定手段２２０、ｂ（＋）測定手段２３０、Ａ１（＋）測定手段２４０、昇圧時比較手段２５０、Ａ２（−）測定手段１７０及びＣ２（−）測定手段１８０を有する。図１０において図３で用いた符号と同じ符号は同じ手段であり同じ機能及び同じ接続である。図１０のブロック図は図３のブロック図のａ（−）測定手段１１０、Ａ１（−）測定手段１２０、ｂ（−）測定手段１３０、Ｃ１（−）測定手段１４０及び降圧時比較手段１５０の代替としてｃ（＋）測定手段２１０、Ｃ１（＋）測定手段２２０、ｂ（＋）測定手段２３０、Ａ１（＋）測定手段２４０及び昇圧時比較手段２５０がそれぞれ接続されている。以下の説明において、随時、図１、図２、図３及び図９に用いた符号も用いて説明する。
【０１８９】
ｃ（＋）測定手段２１０はｃ（＋）測定手順２１１に従い、圧迫圧力５１を所定値まで降圧させ、被検体９００が脈動状態であるときの脈波５３の振幅値をγ（＋）としてγ（＋）信号２１５を出力する。
【０１９０】
Ｃ１（＋）測定手段２２０はＣ１（＋）測定手順２２１に従い、圧迫圧力５１が昇圧して脈動状態の被検体９００内の血管が閉塞し始め、脈動５３の振幅値信号５５が増大し始めるときの圧迫圧力５１を測定してＣ１（＋）としてＣ１（＋）信号２２５を出力する。
【０１９１】
ｂ（＋）測定手段２３０はｂ（＋）測定手順２３１に従い、圧迫機構１１が被検体９００を圧迫した圧迫圧力５１の降圧中に脈波５３が最大となるときの振幅値をβ（＋）として測定し、β（＋）信号２３５を出力する。
【０１９２】
Ａ１（＋）測定手段２４０はＡ１（＋）測定手順２４１に従い、圧迫圧力５１を昇圧して被検体９００が阻血状態となったときの圧迫圧力５１であるＡ１（＋）と阻血状態となったときの脈波５３の振幅値であるα（＋）とを測定し、Ａ１（＋）とα（＋）との測定信号２４５を出力する。
【０１９３】
昇圧時比較手段２５０は昇圧時比較手順２５１に従い、血圧本測定を行う血圧本測定信号２６５又は血圧事前測定を再度行う再測定指示信号２５５を出力する。
【０１９４】
図１０に示すように血圧計１０において昇圧時比較手段２５０はｃ（＋）測定手段２１０、Ｃ１（＋）測定手段２２０、ｂ（＋）測定手段２３０、Ａ１（＋）測定手段２４０、Ａ２（−）測定手段１７０及びＣ２（−）測定手段１８０を接続する。昇圧時比較手段２５０はｃ（＋）測定手段２１０からγ（＋）信号２１５、Ｃ１（＋）測定手段２２０からＣ１（＋）信号２２５、ｂ（＋）測定手段２３０からβ（＋）信号２３５及びＡ１（＋）測定手段２４０から測定信号２４５を受信する。昇圧時比較手段２５０は血圧測定に不適と判断した場合はｃ（＋）測定手段２１０、Ｃ１（＋）測定手段２２０、ｂ（＋）測定手段２３０及びＡ１（＋）測定手段２４０に再測定指示信号２５５を出力する。従って、血圧計１０は再度事前測定を行う。一方、昇圧時比較手段２５０は血圧測定に適していると判断した場合はＡ２（−）測定手段１７０及びＣ２（−）測定手段１８０に血圧本測定信号２６５を出力する。従って、血圧計１０は血圧本測定を行う。
【０１９５】
血圧計１０は図１１のタイミングチャートで説明したように血圧測定を行う。また、血圧計１０は血圧本測定において図５のタイミングチャートで説明したように血圧測定を行うこともできる。
【０１９６】
例えば、血圧計１０はＡ２（−）１７７を収縮期血圧値、Ｃ２（−）１８７を拡張期血圧値及び脈波検出回路１３が検出した脈波５３の周波数を脈波とすることができる。
【０１９７】
従って、本発明に係る血圧計は血圧測定前に短時間で血圧計の装着位置の適否を判断でき、精度よく血圧測定をすることができる。
【０１９８】
さらに、本発明に係る血圧計制御方法は事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０１９９】
（制御手段６）
本実施形態に係る血圧計１０は、前記第一昇圧時拡張期血圧値測定手段、前記昇圧時最大振幅値測定手段及び前記第一昇圧時収縮期血圧値測定手段の少なくとも一つの手段は、前記圧迫機構によって、０．１ｍｍＨｇ以上１０ｍｍＨｇ以下の第一圧力変動量づつ階段状に圧迫圧力を昇圧してもよい。
であってもよい。
【０２００】
血圧計１０の制御回路１８は図１０のブロック図のＣ１（＋）測定手段２２０、ｂ（＋）測定手段２３０及びＡ１（＋）測定手段２４０の少なくとも一において前記第一圧力変動量づつ階段状に圧迫圧力５１を昇圧してもよい。
【０２０１】
例えば、Ｃ１（＋）測定手段２２０、ｂ（＋）測定手段２３０及びＡ１（＋）測定手段２４０において前記第一圧力変動量づつ階段状に圧迫圧力５１を昇圧することで、血圧計１０は図１２のタイミングチャートで説明したように血圧測定を行う。
【０２０２】
従って、本発明に係る血圧計は事前測定において圧迫圧力を階段状に単調昇圧させることで、血圧測定前に短時間で装着位置の適否を判断でき、精度よく血圧測定をすることができる。
【０２０３】
（制御手段７）
本実施形態に係る血圧計１０は、前記第二降圧時収縮期血圧値測定手段及び前記第二降圧時拡張期血圧値測定手段の少なくとも一つの手段は、前記圧迫機構によって、０．１ｍｍＨｇ以上１０ｍｍＨｇ以下の第二圧力変動量づつ階段状に圧迫圧力を降圧してもよい。
【０２０４】
血圧計１０の制御回路１８は図１０のブロック図のＡ２（−）測定手段１７０及びＣ２（−）測定手段１８０の少なくとも一において前記第二圧力変動量づつ階段状に圧迫圧力５１を降圧してもよい。
【０２０５】
例えば、Ａ２（−）測定手段１７０及びＣ２（−）測定手段１８０において前記第二圧力変動量づつ階段状に圧迫圧力５１を降圧することで、血圧計１０は図１３のタイミングチャートで説明したように血圧測定を行う。
【０２０６】
従って、本発明に係る血圧計は血圧本測定前に短時間で装着位置の適否を判断することができ、血圧本測定において圧迫圧力を階段状に単調降圧させることで、精度よく短時間で血圧測定をすることができる。
【０２０７】
（制御手段８）
本実施形態に係る血圧計１０は、前記第二降圧時拡張期血圧値測定手段は、前記圧迫機構によって、０．１ｍｍＨｇ以上１０ｍｍＨｇ以下の範囲にあって、前記第一昇圧時拡張期血圧値測定手段の前記第一圧力変動量より小さい圧力変動量づつ階段状に圧迫圧力を降圧又は／及び前記第二降圧時収縮期血圧値測定手段は、前記圧迫機構によって、０．１ｍｍＨｇ以上１０ｍｍＨｇ以下の範囲にあって、前記第一昇圧時収縮期血圧値測定手段の前記第一圧力変動量より小さい圧力変動量づつ階段状に圧迫圧力を降圧してもよい。
【０２０８】
血圧計１０の制御回路１８は図１０のブロック図のＣ１（＋）測定手段２２０、ｂ（＋）測定手段２３０及びＡ１（＋）測定手段２４０の少なくとも一において前記第一圧力変動量づつ階段状に圧迫圧力５１を昇圧してもよい。さらに、Ｃ１（＋）測定手段２２０において前記第一圧力変動量づつ階段状に圧迫圧力５１を昇圧した場合に、Ｃ２（−）測定手段１８０において前記第一圧力変動量より小さい圧力変動量づつ階段状に圧迫圧力５１を降圧してもよく、Ａ１（＋）測定手段２４０において前記第一圧力変動量づつ階段状に圧迫圧力５１を昇圧した場合に、Ａ２（−）測定手段１７０において前記第一圧力変動量より小さい圧力変動量づつ階段状に圧迫圧力５１を降圧してもよい。
【０２０９】
例えば、Ｃ１（＋）測定手段２２０、ｂ（＋）測定手段２３０及びＡ１（＋）測定手段２４０において前記第一圧力変動量づつ階段状に圧迫圧力５１を昇圧し、Ａ２（−）測定手段１７０及びＣ２（−）測定手段１８０において前記第一変動量より小さい圧力変動づつ階段状に圧迫圧力５１を降圧することで、血圧計１０は図１４のタイミングチャートで説明したように血圧測定を行う。
【０２１０】
本血圧計は事前測定において圧迫圧力を階段状に単調昇圧させることで、血圧本測定前に短時間で装着位置の適否を判断することができ、血圧本測定において圧迫圧力を階段状に単調降圧させることで、精度よく短時間で血圧測定をすることができる。
【０２１１】
（血圧計制御方法９）
本実施形態に係る血圧計１０の血圧計制御方法は、圧迫圧力を発生する圧迫機構が、被検体の血流からの脈波を検出する脈波検出回路の検出する脈波の振幅が所定値以下となるように圧迫圧力を昇圧し、前記脈波検出回路が、所定値以下の脈波の振幅を降圧時高圧状態振幅値として測定する降圧時初期値測定手順と、前記降圧時初期値測定手順の後、前記圧迫機構が、５ｍｍＨｇ／秒以上５０ｍｍＨｇ／秒以下の圧力変動速度で圧迫圧力を降圧し、前記圧迫機構の圧迫圧力を測定する圧力計が、前記脈波検出回路の検出する脈波の振幅が増大し始めるときの圧迫圧力を第一降圧時収縮期血圧値として測定する第一降圧時収縮期血圧値測定手順と、前記第一降圧時収縮期血圧値測定手順の後、前記圧迫機構が、５ｍｍＨｇ／秒以上５０ｍｍＨｇ／秒以下の圧力変動速度で圧迫圧力を降圧し、前記脈波検出回路が、圧迫圧力の降圧時において検出する脈波の最大振幅値を降圧時最大振幅値として測定する降圧時最大振幅値測定手順と、前記降圧時最大振幅値測定手順の後、前記圧迫機構が、５ｍｍＨｇ／秒以上５０ｍｍＨｇ／秒以下の圧力変動速度で圧迫圧力を降圧し、前記圧力計が、前記脈波検出回路の検出する脈波の振幅が一定となるときの圧迫圧力を第一降圧時拡張期血圧値として測定及び前記脈波検出回路が、圧迫圧力が前記第一降圧時拡張期血圧値である時の脈波の振幅を降圧時低圧状態振幅値として測定する第一降圧時拡張期血圧値測定手順と、前記第一降圧時拡張期血圧値測定手順の後、前記脈波検出回路が検出する脈波の振幅値を比較する比較演算部が、前記降圧時初期値測定手順で測定した前記降圧時高圧状態振幅値と前記降圧時最大振幅値測定手順で測定した前記降圧時最大振幅値とを、及び前記第一降圧時拡張期血圧値測定手順で測定した前記降圧時低圧状態振幅値と前記降圧時最大振幅値測定手順で測定した前記降圧時最大振幅値とを比較する降圧時比較手順と、前記圧迫機構が、前記第一降圧時拡張期血圧値測定手順における圧力変動速度の絶対値よりも遅い圧力変動速度で圧迫圧力を昇圧し、前記圧力計が、前記脈波検出回路の検出する脈波の振幅が増大し始めるときの圧迫圧力を第二昇圧時拡張期血圧値として測定する第二昇圧時拡張期血圧値測定手順と、前記第二昇圧時拡張期血圧値測定手順の後、前記圧迫機構が、前記第一降圧時収縮期血圧値測定手順における圧力変動速度の絶対値よりも遅い圧力変動速度で圧迫圧力を昇圧し、前記圧力計が、前記脈波検出回路の検出する脈波の振幅が一定となるときの圧迫圧力を第二昇圧時収縮期血圧値として測定する第二昇圧時収縮期血圧値測定手順と、を備える血圧計制御方法であって、前記降圧時比較手順において、前記降圧時初期値測定手順で測定した前記降圧時高圧状態振幅値が前記降圧時最大振幅値測定手順で測定した前記降圧時最大振幅値の５０％以上又は前記第一降圧時拡張期血圧値測定手順で測定した前記降圧時低圧状態振幅値が前記降圧時最大振幅値測定手順で測定した前記降圧時最大振幅値の８５％以上のときに、前記降圧時初期値測定手順から前記第一降圧時拡張期血圧値測定手順までを再度行い、前記降圧時初期値測定手順で測定した前記降圧時高圧状態振幅値が前記降圧時最大振幅値測定手順で測定した前記降圧時最大振幅値の５０％未満で且つ前記第一降圧時拡張期血圧値測定手順で測定した前記降圧時低圧状態振幅値が前記降圧時最大振幅値測定手順で測定した前記降圧時最大振幅値の８５％未満のときに、前記第一降圧時拡張期血圧値測定手順で測定した前記第一降圧時拡張期血圧値より低い圧迫圧力から前記第二昇圧時拡張期血圧値測定手順と前記第二昇圧時収縮期血圧値測定手順とを行うことを特徴とする血圧計制御方法である。
【０２１２】
本実施形態に係る血圧計１０の血圧計制御方法のフローチャートを図１５に示す。前記血圧計制御方法は前記事前測定としてａ（−）測定手順１１１、Ａ１（−）測定手順１２１、ｂ（−）測定手順１３１、Ｃ１（−）測定手順１４１及び降圧時比較手順１５１を、血圧本測定として第二昇圧時拡張期血圧値測定手順３７１（図面及び以下の説明において「第二昇圧時拡張期血圧値」を「Ｃ２（＋）」と略記する。）及び第二昇圧時収縮期血圧値測定手順３８１（図面及び以下の説明において「第二昇圧時収縮期血圧値」を「Ａ２（＋）」と略記する。）を備える。図１５において図２で用いた符号と同じ符号は同じ手順である。以下の説明において、随時、図１、図２及び図１５に用いた符号も用いて説明する。
【０２１３】
Ｃ２（＋）測定手順３７１は圧迫機構１１にＣ１（−）測定手順１４１における圧力変動速度の絶対値よりも小さい圧力変動速度で圧迫圧力５１を昇圧させる。前記Ｃ１（−）より低い圧迫圧力５１では被検体９００は脈動状態となっており、圧迫圧力５１が昇圧することで被検体９００内の血管は閉塞して血流が妨げられ、脈波５３の振幅値信号５５が増大し始める。制御回路１８は図９のＣ１（＋）測定手順２２１で説明したように脈波５３の振幅が増大し始めたことを判断することができ、Ｃ２（＋）測定手順３７１において脈波５３の振幅が増大し始めた点を第二昇圧時振幅増大点とすることができる。Ｃ２（＋）測定手順３７１はＣ２（＋）として前記第二昇圧時振幅増大点の圧迫圧力５１を圧力計１２に測定させる。
【０２１４】
Ａ２（＋）測定手順３８１は圧迫機構１１にＣ２（＋）の圧迫圧力５１から被検体９００が阻血状態となるまでＡ１（−）測定手順１２１における圧力変動速度の絶対値よりも小さい圧力変動速度で昇圧させる。圧迫圧力５１が昇圧することで被検体９００は阻血状態となり、脈波５３の振幅値信号５５は圧迫圧力５１の変化に対して一定となる。例えば、制御回路１８は図９のＡ１（＋）測定手順２４１で説明したように脈波５３の振幅が一定となったことを判断することができ、Ａ２（＋）測定手順３８１において脈波５３の振幅が一定になった点を被検体９００が阻血状態である第二昇圧時阻血点とすることができる。Ａ２（＋）測定手順３８１はＡ２（＋）として前記第二昇圧時阻血点の圧迫圧力５１を圧力計１２に測定させる。
【０２１５】
血圧計１０は図１５のフローチャートに従い血圧測定を行う。血圧計１０は事前測定においてａ（−）測定手順１１１、Ａ１（−）測定手順１２１、ｂ（−）測定手順１３１及びＣ１（−）測定手順１４１を順に行い、降圧時比較手順１５１において血圧測定に適した位置に装着されていると判断した場合に血圧本測定であるＣ２（＋）測定手順３７１及びＡ２（＋）測定手順３８１を順に行う。一方、血圧計１０は降圧時比較手順１５１において血圧測定に不適な位置に装着されていると判断した場合は再度事前測定を行う。
【０２１６】
図１５のフローチャートに従い血圧測定を行った血圧計１０の推移Ｒと波形Ｐ及び波形Ｍとのタイミングチャートを図１７に示す。図１７の縦軸及び横軸は図４の縦軸及び横軸と同じである。図１７において、図２、図４及び図１５に用いた符号と同じ符号は同じ圧力、手順又は測定点である。図１７の血圧測定においては再度の事前測定はなかったものである。以下、随時、図２、図４及び図１５に用いた符号も用いて説明する。
【０２１７】
図４のタイミングチャートで説明したように血圧計１０はα（−）Ｓ１、Ａ１（−）１２７、β（−）Ｕ１、Ｃ１（−）１４７及びγ（−）Ｔ１を測定する。Ｃ１（−）測定手順１４１後、降圧時比較手順１５１でα（−）Ｓ１とβ（−）Ｕ１とを及びγ（−）Ｔ１とβ（−）Ｕ１とを比較する。次いで、血圧計１０はＣ２（＋）測定手順３７１によって圧迫圧力５１を昇圧させ第二昇圧時振幅増大点３７３にてＣ２（＋）３７７を測定する。次いで、血圧計１０はＡ２（＋）測定手順３８１によって圧迫圧力５１をさらに昇圧させ第二昇圧時阻血点３８３にてＡ２（＋）３８７を測定する。なお、Ｃ１（−）測定手順１４１終了後からＣ２（＋）測定手順３７１開始までの間はＣ１（−）１４７より低い、例えば、Ｃ１（−）１４７より１０％低い圧迫圧力５１の待機圧力値３６７で圧迫機構１１は被検体９００の圧迫を続けてもよい。
【０２１８】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２１９】
従って、本発明に係る血圧計制御方法は血圧測定前に短時間で血圧計の装着位置の適否を判断でき、精度よく血圧測定をすることができる。
【０２２０】
さらに、前記事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０２２１】
なお、血圧計１０の圧迫圧力５１を図１８のタイミングチャートのように推移させてもよい。すなわち、血圧本測定において、Ａ２（＋）測定手順３８１は圧迫機構１１に圧迫圧力５１を降圧時振幅最大点１３３のときの圧迫圧力５１の圧力値１３７とＡ１（−）１２７との間の圧力値３９７まで急峻に昇圧させ、次いで圧迫圧力５１をＡ１（−）測定手順１２１における圧力変動速度の絶対値よりも小さい圧力変動速度でさらに昇圧させ第二昇圧時阻血点３８３にてＡ２（＋）３８７を測定する。
【０２２２】
血圧測定として必要なＣ２（＋）３７７及びＡ２（＋）３８７の近傍のみの圧迫圧力５１と脈波５３を正確に測定することで血圧本測定の測定時間を短縮することができる。
【０２２３】
（血圧計制御方法１０）
本実施形態に係る血圧計１０の血圧計制御方法は、前記第一降圧時収縮期血圧値測定手順、前記降圧時最大振幅値測定手順及び前記第一降圧時拡張期血圧値測定手順の少なくとも一つの手順において、前記圧迫機構が、０．１ｍｍＨｇ以上１０ｍｍＨｇ以下の第一圧力変動量づつ階段状に圧迫圧力を降圧してもよい。
【０２２４】
図１５のフローチャートにおいて、Ａ１（−）測定手順１２１、ｂ（−）測定手順１３１及びＣ１（−）測定手順１４１の少なくとも一において血圧計制御方法２での説明と同様に前記第一圧力変動量づつ階段状に圧迫圧力５１を降圧してもよい。
【０２２５】
図１５のフローチャートに従い、Ａ１（−）測定手順１２１、ｂ（−）測定手順１３１及びＣ１（−）測定手順１４１において圧迫圧力５１を前記第一圧力変動量づつ階段状に降圧して血圧測定を行った血圧計１０の推移Ｒと波形Ｐ及び波形Ｍとのタイミングチャートを図１９に示す。図１９の血圧測定においては再度の事前測定はなかったものである。図１９の縦軸及び横軸は図４の縦軸及び横軸と同じである。また、図１９において図２、図４、図１５及び図１７に用いた符号と同じ符号は同じ圧力、手順又は測定点である。
【０２２６】
血圧計１０は図６のタイミングチャートで説明したように事前測定においてα（−）Ｓ１、Ａ１（−）１２７、β（−）Ｕ１、Ｃ１（−）１４７及びγ（−）Ｔ１を測定する。次いで、降圧時比較手順１５１を行う。降圧時比較手順１５１後、血圧計１０は図１７のタイミングチャートで説明したように血圧本測定においてＣ２（＋）３７７及びＡ２（＋）３８７を測定する。
【０２２７】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２２８】
従って、本発明に係る血圧計制御方法は事前測定において圧迫圧力を階段状に単調降圧させることで、血圧測定前に短時間で血圧計の装着位置の適否を判断でき、精度よく血圧測定をすることができる。
【０２２９】
（血圧計制御方法１１）
本実施形態に係る血圧計１０の血圧計制御方法は、前記第二昇圧時拡張期血圧値測定手順及び前記第二昇圧時収縮期血圧値測定手順の少なくとも一つの手順において、前記圧迫機構が、０．１ｍｍＨｇ以上１０ｍｍＨｇ以下の第二圧力変動量づつ階段状に圧迫圧力を昇圧してもよい。
【０２３０】
図１５のフローチャートにおいて、Ｃ２（＋）測定手順３７１及びＡ２（＋）測定手順３８１の少なくとも一において前記第二圧力変動量づつ階段状に圧迫圧力５１を昇圧してもよい。
【０２３１】
Ｃ２（＋）測定手順３７１は圧迫機構１１に圧迫圧力５１を連続的に単調昇圧させず、平均してＡ１（−）測定手順１２１の圧力変動速度の絶対値より遅い速度で、前記第二変動量づつ階段状に単調昇圧させてもよい。さらにＡ２（＋）測定手順３８１は圧迫機構１１に圧迫圧力５１を連続的に単調昇圧させず、Ｃ１（−）測定手順１４１の圧力変動速度の絶対値より遅い速度で、前記第二変動量づつ階段状に単調昇圧させてもよい。前記第二変動量の範囲は血圧計制御方法３で説明した第二変動量の範囲と同じである。なお、前記第二変動量はＣ２（＋）測定手順３７１及びＡ２（＋）測定手順３８１で共通の値としてもよく、互いに異なる値としてもよい。
【０２３２】
図１５のフローチャートに従い、Ｃ２（＋）測定手順３７１及びＡ２（＋）測定手順３８１において圧迫圧力５１を前記第二圧力変動量づつ階段状に降圧して血圧測定を行った血圧計１０の推移Ｒと波形Ｐ及び波形Ｍとのタイミングチャートを図２０に示す。図２０の血圧測定においては再度の事前測定はなかったものである。図２０の縦軸及び横軸は図４の縦軸及び横軸と同じである。また、図２０において図２、図４、図１５及び図１７に用いた符号と同じ符号は同じ圧力、手順又は測定点である。
【０２３３】
血圧計１０は事前測定において図４のタイミングチャートで説明したようにα（−）Ｓ１、β（−）Ｕ１、γ（−）Ｔ１、Ａ１（−）１２７及びＣ１（−）１４７を測定する。次いで、降圧時比較手順１５１を行う。次いで、血圧計１０はＣ２（＋）測定手順３７１に従い圧迫圧力５１を階段状に単調昇圧させ、第二昇圧時振幅増大点３７３にてＣ２（＋）３７７を測定する。次いで、血圧計１０はＡ２（＋）測定手順３８１に従い圧迫圧力５１をさらに階段状に単調昇圧させ、第二昇圧時阻血点３８３にてＡ２（＋）３８７を測定する。
【０２３４】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２３５】
従って、本発明に係る血圧計制御方法は血圧本測定前に短時間で血圧計の装着位置の適否を判断することができ、血圧本測定において圧迫圧力を階段状に単調昇圧させることで、精度よく短時間で血圧測定をすることができる。
【０２３６】
（血圧計制御方法１２）
本実施形態に係る血圧計１０の血圧計制御方法は、前記第二昇圧時収縮期血圧値測定手順において、前記圧迫機構が、０．１ｍｍＨｇ以上１０ｍｍＨｇ以下の範囲にあって、前記第一降圧時収縮期血圧値測定手順における前記第一圧力変動量より小さい圧力変動量づつ階段状に圧迫圧力を昇圧又は／及び前記第二昇圧時拡張期血圧値測定手順において、前記圧迫機構が、０．１ｍｍＨｇ以上１０ｍｍＨｇ以下の範囲にあって、前記第一降圧時拡張期血圧値測定手順における前記第一圧力変動量より小さい圧力変動量づつ階段状に圧迫圧力を昇圧してもよい。
【０２３７】
図１５のフローチャートにおいて、Ａ１（−）測定手順１２１、ｂ（−）測定手順１３１及びＣ１（−）測定手順１４１の少なくとも一において前記第一圧力変動量づつ階段状に圧迫圧力５１を降圧してもよい。さらに、Ａ１（−）測定手順１２１において前記第一圧力変動量づつ階段状に圧迫圧力５１を降圧した場合に、Ａ２（＋）測定手順３８１において前記第一圧力変動量より小さい圧力変動量づつ階段状に圧迫圧力５１を昇圧してもよく、Ｃ１（−）測定手順１４１において前記第一圧力変動量づつ階段状に圧迫圧力５１を降圧した場合に、Ｃ２（＋）測定手順３７１において前記第一圧力変動量より小さい圧力変動量づつ階段状に圧迫圧力５１を昇圧してもよい。
【０２３８】
図１５のフローチャートに従い、Ａ１（−）測定手順１２１、ｂ（−）測定手順１３１及びＣ１（−）測定手順１４１において圧迫圧力５１を階段状に降圧ならびにＣ２（＋）測定手順３７１及びＡ２（＋）測定手順３８１において圧迫圧力５１を階段状に昇圧して血圧測定を行った血圧計１０の推移Ｒと波形Ｐ及び波形Ｍとのタイミングチャートを図２１に示す。図２１の血圧測定においては再度の事前測定はなかったものである。図２１の縦軸及び横軸は図４の縦軸及び横軸と同じである。また、図２１において図２、図４、図１５及び図１７に用いた符号と同じ符号は同じ圧力、手順又は測定点である。
【０２３９】
血圧計１０は図６のタイミングチャートで説明したように事前測定でα（−）Ｓ１、β（−）Ｕ１、γ（−）Ｔ１、Ａ１（−）１２７及びＣ１（−）１４７を測定する。次いで、降圧時比較手順１５１を行い、血圧計１０は図２０のタイミングチャートで説明したように血圧本測定でＣ２（＋）３７７及びＡ２（＋）３８７を測定する。
【０２４０】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２４１】
従って、本発明に係る血圧計制御方法は事前測定において圧迫圧力を階段状に単調降圧させることで、血圧本測定前に短時間で血圧計の装着位置の適否を判断することができ、血圧本測定において圧迫圧力を階段状に単調昇圧させることで、精度よく短時間で血圧測定をすることができる。
【０２４２】
（制御手段９）
本実施形態に係る血圧計１０は、圧迫圧力を発生する圧迫機構によって、被検体の血流からの脈波を検出する脈波検出回路の検出する脈波の振幅が所定値以下となるように圧迫圧力を昇圧し、前記脈波検出回路によって、所定値以下の脈波の振幅を降圧時高圧状態振幅値として測定する降圧時初期測定手段と、前記圧迫機構によって、前記降圧時初期測定手段における圧迫圧力を５ｍｍＨｇ／秒以上５０ｍｍＨｇ／秒以下の圧力変動速度で降圧し、前記圧迫機構の圧迫圧力を測定する圧力計によって、前記脈波検出回路の検出する脈波の振幅が増大し始めるときの圧迫圧力を第一降圧時収縮期血圧値として測定する第一降圧時収縮期血圧値測定手段と、前記圧迫機構によって、前記第一降圧時収縮期血圧値測定手段で測定した前記第一降圧時収縮期血圧値の圧迫圧力を５ｍｍＨｇ／秒以上５０ｍｍＨｇ／秒以下の圧力変動速度で降圧し、前記脈波検出回路によって、圧迫圧力の降圧時において検出する脈波の最大振幅値を降圧時最大振幅値として測定する降圧時最大振幅値測定手段と、前記圧迫機構によって、前記降圧時最大振幅値測定手段で前記降圧時最大振幅値を測定した時に前記圧力計が測定する圧迫圧力を５ｍｍＨｇ／秒以上５０ｍｍＨｇ／秒以下の圧力変動速度で降圧し、前記圧力計によって、前記脈波検出回路の検出する脈波の振幅が一定となるときの圧迫圧力を第一降圧時拡張期血圧値として測定及び前記脈波検出回路によって、圧迫圧力が前記第一降圧時拡張期血圧値である時の脈波の振幅を降圧時低圧状態振幅値として測定する第一降圧時拡張期血圧値測定手段と、前記脈波検出回路が検出する脈波の振幅値を比較する比較演算部によって、前記降圧時初期測定手段で測定した前記降圧時高圧状態振幅値と前記降圧時最大振幅値測定手段で測定した前記降圧時最大振幅値とを、及び前記第一降圧時拡張期血圧値測定手段で測定した前記降圧時低圧状態振幅値と前記降圧時最大振幅値測定手段で測定した前記降圧時最大振幅値とを比較する降圧時比較手段と、前記圧迫機構によって、前記第一降圧時拡張期血圧値測定手段で測定した前記第一降圧時拡張期血圧値より低い圧迫圧力を前記第一降圧時拡張期血圧値測定手段における圧力変動速度の絶対値よりも遅い圧力変動速度で昇圧し、前記圧力計によって、前記脈波検出回路の検出する脈波の振幅が増大し始めるときの圧迫圧力を第二昇圧時拡張期血圧値として測定する第二昇圧時拡張期血圧値測定手段と、前記圧迫機構によって、前記第二昇圧時拡張期血圧値測定手段で測定した前記第二昇圧時拡張期血圧値の圧迫圧力を前記第一降圧時収縮期血圧値測定手段における圧力変動速度の絶対値よりも遅い圧力変動速度で昇圧し、前記圧力計によって、前記脈波検出回路の検出する脈波の振幅が一定となるときの圧迫圧力を第二昇圧時収縮期血圧値として測定する第二昇圧時収縮期血圧値測定手段と、を有する制御回路を備える血圧計であって、前記降圧時比較手段において、前記降圧時初期測定手段で測定した前記降圧時高圧状態振幅値が前記降圧時最大振幅値測定手段で測定した前記降圧時最大振幅値の５０％以上又は前記第一降圧時拡張期血圧値測定手段で測定した前記降圧時低圧状態振幅値が前記降圧時最大振幅値測定手段で測定した前記降圧時最大振幅値の８５％以上のときに、前記制御回路は前記降圧時初期測定手段に降圧時高圧状態振幅値を、前記第一降圧時収縮期血圧値測定手段に第一降圧時収縮期血圧値を、前記降圧時最大振幅値測定手段に降圧時最大振幅値を、ならびに前記第一降圧時拡張期血圧値測定手段に第一降圧時拡張期血圧値と降圧時低圧状態振幅値とを測定させ、前記降圧時初期測定手段で測定した前記降圧時高圧状態振幅値が前記降圧時最大振幅値測定手段で測定した前記降圧時最大振幅値の５０％未満で且つ前記第一降圧時拡張期血圧値測定手段で測定した前記降圧時低圧状態振幅値が前記降圧時最大振幅値測定手段で測定した前記降圧時最大振幅値の８５％未満のときに、前記制御回路は前記第二昇圧時拡張期血圧値測定手段に第二昇圧時拡張期血圧値を、ならびに前記第二昇圧時収縮期血圧値測定手段に第二昇圧時収縮期血圧値を測定させることを特徴とする血圧計である。
【０２４３】
本実施形態に係る血圧計１０の制御回路１８が有する血圧測定手段のブロック図を図１６に示す。血圧計１０が血圧測定を行うため、制御回路１８は血圧測定手段としてａ（−）測定手段１１０、Ａ１（−）測定手段１２０、ｂ（−）測定手段１３０、Ｃ１（−）測定手段１４０、降圧時比較手段１５０、Ｃ２（＋）測定手段３７０及びＡ２（＋）測定手段３８０を有する。図１６において図３で用いた符号と同じ符号は同じ手段であり同じ機能及び同じ接続である。図１６のブロック図は図３のブロック図のＡ２（−）測定手段１７０及びＣ２（−）測定手段１８０の代替としてＣ２（＋）測定手段３７０及びＡ２（＋）測定手段３８０がそれぞれ接続されている。以下の説明において、随時、図１、図２、図３及び図１５に用いた符号も用いて説明する。
【０２４４】
Ｃ２（＋）測定手段３７０はＣ２（＋）測定手順３７１に従い、圧迫圧力５１が昇圧して脈動状態の被検体９００内の血管が閉塞し始め、脈動５３の振幅値信号５５が増大し始めるときの圧迫圧力５１を測定してＣ２（＋）を測定する。
【０２４５】
Ａ２（＋）測定手段３８０はＡ２（＋）測定手順３８１に従い、圧迫圧力５１を昇圧して被検体９００が阻血状態となったときの圧迫圧力５１であるＡ２（＋）を測定する。
【０２４６】
図１６に示すように血圧計１０において降圧時比較手段１５０はａ（−）測定手段１１０、Ａ１（−）測定手段１２０、ｂ（−）測定手段１３０、Ｃ１（−）測定手段１４０、Ｃ２（＋）測定手段３７０及びＡ２（＋）測定手段３８０を接続する。降圧時比較手段１５０はａ（−）測定手段１１０からα（−）信号１１５、Ａ１（−）測定手段１２０からＡ１（−）信号１２５、ｂ（−）測定手段１３０からβ（−）信号１３５及びＣ１（−）測定手段１４０から測定信号１４５を受信する。降圧時比較手段１５０は血圧測定に不適と判断した場合はａ（−）測定手段１１０、Ａ１（−）測定手段１２０、ｂ（−）測定手段１３０及びＣ１（−）測定手段１４０に再測定指示信号１５５を出力する。従って、血圧計１０は再度事前測定を行う。一方、降圧時比較手段１５０は血圧測定に適していると判断した場合はＣ２（＋）測定手段３７０及びＡ２（＋）測定手段３８０に血圧本測定信号１６５を出力する。従って、血圧計１０は血圧本測定を行う。
【０２４７】
血圧計１０は図１７のタイミングチャートで説明したように血圧測定を行う。また、血圧計１０は血圧本測定において図１８のタイミングチャートで説明したように血圧測定を行うこともできる。
【０２４８】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２４９】
従って、本発明に係る血圧計は血圧測定前に短時間で血圧計の装着位置の適否を判断でき、精度よく血圧測定をすることができる。
【０２５０】
さらに、本発明に係る血圧計制御方法は事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０２５１】
（制御手段１０）
本実施形態に係る血圧計１０は、前記第一降圧時収縮期血圧値測定手段、前記降圧時最大振幅値測定手段及び前記第一降圧時拡張期血圧値測定手段の少なくとも一つの手段は、前記圧迫機構によって、０．１ｍｍＨｇ以上１０ｍｍＨｇ以下の第一圧力変動量づつ階段状に圧迫圧力を降圧してもよい。
【０２５２】
血圧計１０の制御回路１８は図１６のブロック図のＡ１（−）測定手段１２０、ｂ（−）測定手段１３０及びＣ１（−）測定手段１４０の少なくとも一において前記第一圧力変動量づつ階段状に圧迫圧力５１を降圧してもよい。
【０２５３】
例えば、Ａ１（−）測定手段１２０、ｂ（−）測定手段１３０及びＣ１（−）測定手段１４０において前記第一圧力変動量づつ階段状に圧迫圧力５１を降圧することで、血圧計１０は図１９のタイミングチャートで説明したように血圧測定を行う。
【０２５４】
従って、本発明に係る血圧計は事前測定において圧迫圧力を階段状に単調降圧させることで、血圧測定前に短時間で装着位置の適否を判断でき、精度よく血圧測定をすることができる。
【０２５５】
（制御手段１１）
本実施形態に係る血圧計１０は、前記第二昇圧時拡張期血圧値測定手段及び前記第二昇圧時収縮期血圧値測定手段の少なくとも一つの手段は、前記圧迫機構によって、０．１ｍｍＨｇ以上１０ｍｍＨｇ以下の第二圧力変動量づつ階段状に圧迫圧力を昇圧してもよい。
【０２５６】
血圧計１０の制御回路１８は図１６のブロック図のＣ２（＋）測定手段３７０及びＡ２（＋）測定手段３８０の少なくとも一において前記第二圧力変動量づつ階段状に圧迫圧力５１を昇圧してもよい。
【０２５７】
例えば、Ｃ２（＋）測定手段３７０及びＡ２（＋）測定手段３８０において前記第二圧力変動量づつ階段状に圧迫圧力５１を昇圧することで、血圧計１０は図２０のタイミングチャートで説明したように血圧測定を行う。
【０２５８】
従って、本発明に係る血圧計は血圧本測定前に短時間で装着位置の適否を判断することができ、血圧本測定において圧迫圧力を階段状に単調昇圧させることで、精度よく短時間で血圧測定をすることができる。
【０２５９】
（制御手段１２）
本実施形態に係る血圧計１０は、前記第二昇圧時収縮期血圧値測定手段は、前記圧迫機構によって、０．１ｍｍＨｇ以上１０ｍｍＨｇ以下の範囲にあって、前記第一降圧時収縮期血圧値測定手段の前記第一圧力変動量より小さい圧力変動量づつ階段状に圧迫圧力を昇圧又は／及び前記第二昇圧時拡張期血圧値測定手段は、前記圧迫機構によって、０．１ｍｍＨｇ以上１０ｍｍＨｇ以下の範囲にあって、前記第一降圧時拡張期血圧値測定手段の前記第一圧力変動量より小さい圧力変動量づつ階段状に圧迫圧力を昇圧してもよい。
【０２６０】
血圧計１０の制御回路１８は図１６のブロック図のＡ１（−）測定手段１２０、ｂ（−）測定手段１３０及びＣ１（−）測定手段１４０の少なくとも一において前記第一圧力変動量づつ階段状に圧迫圧力５１を降圧してもよい。さらに、Ａ１（−）測定手段１２０において前記第一圧力変動量づつ階段状に圧迫圧力５１を降圧した場合に、Ａ２（＋）測定手段３８０において前記第一圧力変動量より小さい圧力変動量づつ階段状に圧迫圧力５１を昇圧してもよく、Ｃ１（−）測定手段１４０において前記第一圧力変動量づつ階段状に圧迫圧力５１を降圧した場合に、Ｃ２（＋）測定手段３７０において前記第一圧力変動量より小さい圧力変動量づつ階段状に圧迫圧力５１を昇圧してもよい。
【０２６１】
例えば、Ａ１（−）測定手段１２０、ｂ（−）測定手段１３０及びＣ１（−）測定手段１４０において前記第一圧力変動量づつ階段状に圧迫圧力５１を降圧し、Ｃ２（＋）測定手段３７０及びＡ２（＋）測定手段３８０において前記第一変動量より小さい圧力変動づつ階段状に圧迫圧力５１を昇圧することで、血圧計１０は図２１のタイミングチャートで説明したように血圧測定を行う。
【０２６２】
本血圧計は事前測定において圧迫圧力を階段状に単調降圧させることで、血圧本測定前に短時間で装着位置の適否を判断することができ、血圧本測定において圧迫圧力を階段状に単調昇圧させることで、精度よく短時間で血圧測定をすることができる。
【０２６３】
（血圧計制御方法１３）
本実施形態に係る血圧計１０の血圧計制御方法は、被検体の血流からの脈波を検出する脈波検出回路が脈波の振幅を昇圧時低圧状態振幅値として測定する昇圧時初期値測定手順と、前記昇圧時初期値測定手順の後、圧迫圧力を発生する圧迫機構が、５ｍｍＨｇ／秒以上５０ｍｍＨｇ／秒以下の圧力変動速度で圧迫圧力を昇圧し、前記圧迫機構の圧迫圧力を測定する圧力計が、前記脈波検出回路の検出する脈波の振幅が増大し始めるときの圧迫圧力を第一昇圧時拡張期血圧値として測定する第一昇圧時拡張期血圧値測定手順と、前記第一昇圧時拡張期血圧値測定手順の後、前記圧迫機構が、５ｍｍＨｇ／秒以上５０ｍｍＨｇ／秒以下の圧力変動速度で圧迫圧力を昇圧し、前記脈波検出回路が、圧迫圧力の昇圧時において検出する脈波の最大振幅値を昇圧時最大振幅値として測定する昇圧時最大振幅値測定手順と、前記昇圧時最大振幅値測定手順の後、前記圧迫機構が、５ｍｍＨｇ／秒以上５０ｍｍＨｇ／秒以下の圧力変動速度で圧迫圧力を昇圧し、前記圧力計が、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手順と、前記第一昇圧時収縮期血圧値測定手順の後、前記脈波検出回路が検出する脈波の振幅値を比較する比較演算部が、前記第一昇圧時収縮期血圧値測定手順で測定した前記昇圧時高圧状態振幅値と前記昇圧時最大振幅値測定手順で測定した前記昇圧時最大振幅値とを、及び前記昇圧時初期値測定手順で測定した前記昇圧時低圧状態振幅値と前記昇圧時最大振幅値測定手順で測定した前記昇圧時最大振幅値とを比較する昇圧時比較手順と、前記圧迫機構が、前記第一昇圧時拡張期血圧値測定手順における圧力変動速度の絶対値よりも遅い圧力変動速度で圧迫圧力を昇圧し、前記圧力計が、前記脈波検出回路の検出する脈波の振幅が増大し始めるときの圧迫圧力を第二昇圧時拡張期血圧値として測定する第二昇圧時拡張期血圧値測定手順と、前記第二昇圧時拡張期血圧値測定手順の後、前記圧迫機構が、前記第一昇圧時収縮期血圧値測定手順における圧力変動速度の絶対値よりも遅い圧力変動速度で圧迫圧力を昇圧し、前記圧力計が、前記脈波検出回路の検出する振幅が一定となるときの圧迫圧力を第二昇圧時収縮期血圧値として測定する第二昇圧時収縮期血圧値測定手順と、を備える血圧計制御方法であって、前記昇圧時比較手順において、前記第一昇圧時収縮期血圧値測定手順で測定した前記昇圧時高圧状態振幅値が前記昇圧時最大振幅値測定手順で測定した前記昇圧時最大振幅値の５０％以上又は前記昇圧時初期値測定手順で測定した前記昇圧時低圧状態振幅値が前記昇圧時最大振幅値測定手順で測定した前記昇圧時最大振幅値の８５％以上のときに、前記脈波検出回路の検出する脈波の振幅が所定値以下となるように前記圧迫機構の圧迫圧力を降圧し、前記昇圧時初期値測定手順から前記第一昇圧時収縮期血圧値測定手順までを再度行い、前記第一昇圧時収縮期血圧値測定手順で測定した前記昇圧時高圧状態振幅値が前記昇圧時最大振幅値測定手順で測定した前記昇圧時最大振幅値の５０％未満で且つ前記昇圧時初期値測定手順で測定した前記昇圧時低圧状態振幅値が前記昇圧時最大振幅値測定手順で測定した前記昇圧時最大振幅値の８５％未満のときに、前記圧迫機構が、前記第一昇圧時拡張期血圧値よりも低い圧迫圧力まで降圧した後に前記第二昇圧時拡張期血圧値測定手順から前記第二昇圧時収縮期血圧値測定手順までを行うことを特徴とする血圧計制御方法である。
【０２６４】
本実施形態に係る血圧計１０の血圧計制御方法を図２２に示す。前記血圧計制御方法は前記事前測定としてｃ（＋）測定手順２１１、Ｃ１（＋）測定手順２２１、ｂ（＋）測定手順２３１、Ａ１（＋）測定手順２４１及び昇圧時比較手順２５１を、血圧本測定として降圧手順４６１、Ｃ２（＋）測定手順３７１及びＡ２（＋）測定手順３８１を備える。図２２において図９及び図１５で用いた符号と同じ符号は同じ手順である。以下の説明において、随時、図１、図２、図９及び図１５に用いた符号も用いて説明する。
【０２６５】
降圧手順４６１は圧迫機構１１に前記Ｃ１（＋）よりも低い圧力まで圧迫圧力５１を降圧させ、被検体９００を脈動状態とする。
【０２６６】
血圧計１０は図２２のフローチャートに従い血圧測定を行う。血圧計１０は事前測定においてｃ（＋）測定手順２１１、Ｃ１（＋）測定手順２２１、ｂ（＋）測定手順２３１及びＡ１（＋）測定手順２４１を順に行い、昇圧時比較手順２５１において血圧測定に適した位置に装着されていると判断した場合に血圧本測定である降圧手順４６１、Ｃ２（＋）測定手順３７１及びＡ２（＋）測定手順３８１を順に行う。一方、血圧計１０は昇圧時比較手順２５１において血圧測定に不適な位置に装着されていると判断した場合は、圧迫圧力５１を降圧して再度事前測定を行う。
【０２６７】
図２２のフローチャートに従い血圧測定を行った血圧計１０の推移Ｒと波形Ｐ及び波形Ｍとのタイミングチャートを図２４に示す。図２４の縦軸及び横軸は図４の縦軸及び横軸と同じである。図２４において、図２、図４、図９、図１１、図１５及び図１７に用いた符号と同じ符号は同じ圧力、手順又は測定点である。図２４の血圧測定においては再度の事前測定はなかったものである。以下、随時、図２、図４、図９、図１１、図１５及び図１７に用いた符号も用いて説明する。
【０２６８】
血圧計１０は図１１のタイミングチャートで説明したようにγ（＋）Ｔ２、Ｃ１（＋）２２７、β（＋）Ｕ２、Ａ１（＋）２４７及びα（＋）Ｓ２を測定する。次いで、昇圧時比較手順２５１でα（＋）Ｓ２とβ（＋）Ｕ２とを及びγ（＋）Ｔ２とβ（＋）Ｕ２とを比較する。次いで、血圧計１０は降圧手順４６１によってＣ１（＋）２２７より低い圧迫圧力５１となるように降圧させる。例えば、降圧した圧迫圧力５１はＣ１（＋）２２７の９０％の圧力とすることができる。次いで、図１７のタイミングチャートで説明したように血圧計１０はＣ２（＋）３７７及びＡ２（＋）３８７を測定する。
【０２６９】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２７０】
従って、本発明に係る血圧計制御方法は血圧測定前に短時間で血圧計の装着位置の適否を判断でき、精度よく血圧測定をすることができる。
【０２７１】
さらに、前記事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０２７２】
なお、血圧計制御方法１３による血圧計１０の血圧本測定において、圧迫圧力５１を図１８のタイミングチャートの血圧本測定のように推移させてもよい。血圧測定として必要なＡ２（＋）３８７とＣ２（＋）３７７の近傍のみの圧迫圧力５１と脈波５３を正確に測定することで血圧本測定の測定時間を短縮することができる。
【０２７３】
（血圧計制御方法１４）
本実施形態に係る血圧計１０の血圧計制御方法は、前記第一昇圧時拡張期血圧値測定手順、前記昇圧時最大振幅値測定手順及び前記第一昇圧時収縮期血圧値測定手順の少なくとも一つの手順において、前記圧迫機構が、０．１ｍｍＨｇ以上１０ｍｍＨｇ以下の第一圧力変動量づつ階段状に圧迫圧力を昇圧してもよい。
【０２７４】
図２２のフローチャートにおいて、Ｃ１（＋）測定手順２２１、ｂ（＋）測定手順２３１及びＡ１（＋）測定手順２４１の少なくとも一において血圧計制御方法６での説明と同様に前記第一圧力変動量づつ階段状に圧迫圧力５１を昇圧してもよい。
【０２７５】
図２２のフローチャートに従い、Ｃ１（＋）測定手順２２１、ｂ（＋）測定手順２３１及びＡ１（＋）測定手順２４１において圧迫圧力５１を前記第一圧力変動量づつ階段状に昇圧して血圧測定を行った血圧計１０の推移Ｒと波形Ｐ及び波形Ｍとのタイミングチャートを図２５に示す。図２５の血圧測定においては再度の事前測定はなかったものである。図２５の縦軸及び横軸は図４の縦軸及び横軸と同じである。また、図２５において図２、図４、図９、図１１、図１５、図１７、図２２及び図２４に用いた符号と同じ符号は同じ圧力、手順又は測定点である。
【０２７６】
血圧計１０は図１２のタイミングチャートで説明したように事前測定においてγ（＋）Ｔ２、β（＋）Ｕ２、α（＋）Ｓ２、Ｃ１（＋）２２７及びＡ１（＋）２４７を測定する。次いで、昇圧時比較手順２５１を行う。昇圧時比較手順２５１後、血圧計１０は図１７のタイミングチャートで説明したように血圧本測定においてＣ２（＋）３７７及びＡ２（＋）３８７を測定する。
【０２７７】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２７８】
従って、本発明に係る血圧計制御方法は事前測定において圧迫圧力を階段状に単調昇圧させることで、血圧測定前に短時間で血圧計の装着位置の適否を判断でき、精度よく血圧測定をすることができる。
【０２７９】
（血圧計制御方法１５）
本実施形態に係る血圧計１０の血圧計制御方法は、前記第二昇圧時拡張期血圧値測定手順及び前記第二昇圧時収縮期血圧値測定手順の少なくとも一つの手順において、前記圧迫機構が、０．１ｍｍＨｇ以上１０ｍｍＨｇ以下の第二圧力変動量づつ階段状に圧迫圧力を昇圧してもよい。
【０２８０】
図２２のフローチャートにおいて、Ｃ２（＋）測定手順３７１及びＡ２（＋）測定手順３８１の少なくとも一において血圧計制御方法１１での説明と同様に前記第二圧力変動量づつ階段状に圧迫圧力５１を昇圧してもよい。
【０２８１】
図２２のフローチャートに従い、Ｃ２（＋）測定手順３７１及びＡ２（＋）測定手順３８１において圧迫圧力５１を前記第二圧力変動量づつ階段状に昇圧して血圧測定を行った血圧計１０の推移Ｒと波形Ｐ及び波形Ｍとのタイミングチャートを図２６に示す。図２６の血圧測定においては再度の事前測定はなかったものである。図２６の縦軸及び横軸は図４の縦軸及び横軸と同じである。また、図２６において図２、図４、図９、図１１、図１５、図１７、図２２及び図２４に用いた符号と同じ符号は同じ圧力、手順又は測定点である。
【０２８２】
血圧計１０は図１１のタイミングチャートで説明したように事前測定においてγ（＋）、β（＋）、α（＋）、Ｃ１（＋）２２７及びＡ１（＋）２４７を測定する。次いで、昇圧時比較手順２５１を行う。昇圧時比較手順２５１後、血圧計１０は図２０のタイミングチャートで説明したように血圧本測定においてＣ２（＋）３７７及びＡ２（＋）３８７を測定する。
【０２８３】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２８４】
従って、本発明に係る血圧計制御方法は血圧本測定前に短時間で血圧計の装着位置の適否を判断することができ、血圧本測定において圧迫圧力を階段状に単調昇圧させることで、精度よく短時間で血圧測定をすることができる。
【０２８５】
（血圧計制御方法１６）
本実施形態に係る血圧計１０の血圧計制御方法は、前記第二昇圧時拡張期血圧値測定手順において、前記圧迫機構が、０．１ｍｍＨｇ以上１０ｍｍＨｇ以下の範囲にあって、前記第一昇圧時拡張期血圧値測定手順における前記第一圧力変動量より小さい圧力変動量づつ階段状に圧迫圧力を昇圧又は／及び前記第二昇圧時収縮期血圧値測定手順において、前記圧迫機構が、０．１ｍｍＨｇ以上１０ｍｍＨｇ以下の範囲にあって、前記第一昇圧時収縮期血圧値測定手順における前記第一圧力変動量より小さい圧力変動量づつ階段状に圧迫圧力を昇圧してもよい。
【０２８６】
図２２のフローチャートにおいて、Ｃ１（＋）測定手順２２１、ｂ（＋）測定手順２３１及びＡ１（＋）測定手順２４１の少なくとも一において血圧計制御方法６での説明と同様に前記第一圧力変動量づつ階段状に圧迫圧力５１を昇圧してもよい。さらに、さらに、Ｃ１（＋）測定手順２２１において前記第一圧力変動量づつ階段状に圧迫圧力５１を降圧した場合に、Ｃ２（＋）測定手順３７１において前記第一圧力変動量より小さい圧力変動量づつ階段状に圧迫圧力５１を昇圧してもよく、Ａ１（＋）測定手順２４１において前記第一圧力変動量づつ階段状に圧迫圧力５１を降圧した場合に、Ａ２（＋）測定手順３８１において前記第一圧力変動量より小さい圧力変動量づつ階段状に圧迫圧力５１を昇圧してもよい。
【０２８７】
図２２のフローチャートに従い、Ｃ１（＋）測定手順２２１、ｂ（＋）測定手順２３１、Ａ１（＋）測定手順２４１、Ｃ２（＋）測定手順３７１及びＡ２（＋）測定手順３８１において圧迫圧力５１を階段状に昇圧して血圧測定を行った血圧計１０の推移Ｒと波形Ｐ及び波形Ｍとのタイミングチャートを図２７に示す。図２７の血圧測定においては再度の事前測定はなかったものである。図２７の縦軸及び横軸は図４の縦軸及び横軸と同じである。また、図２７において図２、図４、図９、図１１、図１５、図１７、図２２及び図２４に用いた符号と同じ符号は同じ圧力、手順又は測定点である。
【０２８８】
血圧計１０は図１２のタイミングチャートで説明したように事前測定でα（＋）Ｓ２、β（＋）Ｕ２、γ（＋）Ｔ２、Ｃ１（＋）２２７及びＡ１（＋）２４７を測定する。次いで、昇圧時比較手順２５１を行い、血圧計１０は図２０のタイミングチャートで説明したように血圧本測定でＣ２（＋）３７７及びＡ２（＋）３８７を測定する。
【０２８９】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２９０】
従って、本発明に係る血圧計制御方法は事前測定において圧迫圧力を階段状に単調昇圧させることで、血圧本測定前に短時間で血圧計の装着位置の適否を判断することができ、血圧本測定において圧迫圧力を階段状に単調昇圧させることで、精度よく短時間で血圧測定をすることができる。
【０２９１】
（制御手段１３）
本実施形態に係る血圧計１０は、被検体の血流からの脈波を検出する脈波検出回路によって、脈波の振幅を昇圧時低圧状態振幅値として測定する昇圧時初期測定手段と、圧迫圧力を発生する圧迫機構によって、前記昇圧時初期測定手段における圧迫圧力を５ｍｍＨｇ／秒以上５０ｍｍＨｇ／秒以下の圧力変動速度で昇圧し、前記圧迫機構の圧迫圧力を測定する圧力計によって、前記脈波検出回路の検出する脈波の振幅が増大し始めるときの圧迫圧力を第一昇圧時拡張期血圧値として測定する第一昇圧時拡張期血圧値測定手段と、前記圧迫機構によって、前記第一昇圧時拡張期血圧値測定手段で測定した前記第一昇圧時拡張期血圧値の圧迫圧力を５ｍｍＨｇ／秒以上５０ｍｍＨｇ／秒以下の圧力変動速度で昇圧し、前記脈波検出回路によって、圧迫圧力の昇圧時において検出する脈波の最大振幅値を昇圧時最大振幅値として測定する昇圧時最大振幅値測定手段と、前記圧迫機構によって、前記昇圧時最大振幅値測定手段で前記昇圧時最大振幅値を測定した時に前記圧力計が測定する圧迫圧力を５ｍｍＨｇ／秒以上５０ｍｍＨｇ／秒以下の圧力変動速度で昇圧し、前記圧力計によって、前記脈波検出回路の検出する脈波の振幅が一定となるときの圧迫圧力を第一昇圧時収縮期血圧値として測定及び前記脈波検出回路が、圧迫圧力が前記第一昇圧時収縮期血圧値である時の脈波の振幅を昇圧時高圧状態振幅値として測定する第一昇圧時収縮期血圧値測定手段と、前記脈波検出回路が検出する脈波の振幅値を比較する比較演算部によって、前記第一昇圧時収縮期血圧値測定手段で測定した前記昇圧時高圧状態振幅値と前記昇圧時最大振幅値測定手段で測定した前記昇圧時最大振幅値とを、及び前記昇圧時初期測定手段で測定した前記昇圧時低圧状態振幅値と前記昇圧時最大振幅値測定手段で測定した前記昇圧時最大振幅値とを比較する昇圧時比較手段と、前記圧迫機構によって、前記第一昇圧時拡張期血圧値測定手段で測定した第一昇圧時拡張期血圧値より低い圧迫圧力を前記第一昇圧時拡張期血圧値測定手段における圧力変動速度の絶対値よりも遅い圧力変動速度で昇圧し、前記圧力計によって、前記脈波検出回路の検出する脈波の振幅が増大し始めるときの圧迫圧力を第二昇圧時拡張期血圧値として測定する第二昇圧時拡張期血圧値測定手段と、前記圧迫機構によって、前記第二昇圧時拡張期血圧値測定手段で測定した前記第二昇圧時拡張期血圧値の圧迫圧力を前記第一昇圧時収縮期血圧値測定手段における圧力変動速度の絶対値よりも遅い圧力変動速度で昇圧し、前記圧力計によって、前記脈波検出回路の検出する脈波の振幅が一定となるときの圧迫圧力を第二昇圧時収縮期血圧値として測定する第二昇圧時収縮期血圧値測定手段と、を有する制御回路を備える血圧計であって、前記昇圧時比較手段において、前記第一昇圧時収縮期血圧値測定手段で測定した前記昇圧時高圧状態振幅値が前記昇圧時最大振幅値測定手段で測定した前記昇圧時最大振幅値の５０％以上又は前記昇圧時初期測定手段で測定した前記昇圧時低圧状態振幅値が前記昇圧時最大振幅値測定手段で測定した前記昇圧時最大振幅値の８５％以上のときに、前記制御回路は前記脈波検出回路の検出する脈波の振幅が所定値以下となるように前記圧迫機構の圧迫圧力を降圧させ、前記昇圧時初期測定手段に昇圧時低圧状態振幅値を、前記第一昇圧時拡張期血圧値測定手段に第一昇圧時拡張期血圧値を、前記昇圧時最大振幅値測定手段に昇圧時最大振幅値を、ならびに前記第一昇圧時収縮期血圧値測定手段に第一昇圧時収縮期血圧値と昇圧時高圧状態振幅値とを測定させ、前記第一昇圧時収縮期血圧値測定手段で測定した前記昇圧時高圧状態振幅値が前記昇圧時最大振幅値測定手段で測定した前記昇圧時最大振幅値の５０％未満で且つ前記昇圧時初期測定手段で測定した前記昇圧時低圧状態振幅値が前記昇圧時最大振幅値測定手段で測定した前記昇圧時最大振幅値の８５％未満のときに、前記制御回路は前記第二昇圧時拡張期血圧値測定手段に第二昇圧時拡張期血圧値を、ならびに前記第二昇圧時収縮期血圧値測定手段に第二昇圧時収縮期血圧値を測定させることを特徴とする血圧計である。
【０２９２】
本実施形態に係る血圧計１０の制御回路１８が有する血圧測定手段のブロック図を図２３に示す。血圧計１０が血圧測定を行うため、制御回路１８は血圧測定手段としてｃ（＋）測定手段２１０、Ｃ１（＋）測定手段２２０、ｂ（＋）測定手段２３０、Ａ１（＋）測定手段２４０、昇圧時比較手段２５０、Ｃ２（＋）測定手段３７０及びＡ２（＋）測定手段３８０を有する。図２３において図１０及び図１６で用いた符号と同じ符号は同じ手段であり同じ機能及び同じ接続である。図２３のブロック図は図１０のブロック図のＡ２（−）測定手段１７０及びＣ２（−）測定手段１８０の代替としてＣ２（＋）測定手段３７０及びＡ２（＋）測定手段３８０がそれぞれ接続されている。以下の説明において、随時、図１、図２、図３、図９、図１０、図１５、図１６及び図２２において用いた符号も用いて説明する。
【０２９３】
図２３に示すように血圧計１０において昇圧時比較手段２５０はｃ（＋）測定手段２１０、Ｃ１（＋）測定手段２２０、ｂ（＋）測定手段２３０、Ａ１（＋）測定手段２４０、Ｃ２（＋）測定手段３７０及びＡ２（＋）測定手段３８０を接続する。昇圧時比較手段２５０は図１０で説明したようにγ（＋）信号２１５、Ｃ１（＋）信号２２５、β（＋）信号２３５及び測定信号２４５を受信する。昇圧時比較手段２５０は受信した信号から血圧測定の適否を判断し、再測定指示信号２５５又は血圧本測定信号２６５を出力する。従って、血圧計１０は再度事前測定又は血圧本測定を行う。
【０２９４】
血圧計１０は図２４のタイミングチャートで説明したように血圧測定を行う。また、血圧計１０は血圧本測定において図１８のタイミングチャートで説明したように血圧測定を行うこともできる。
【０２９５】
例えば、血圧計１０はＡ２（＋）３８７を収縮期血圧値、Ｃ２（＋）３７７を拡張期血圧値及び脈波検出回路１３が検出した脈波５３の周波数を脈波とすることができる。
【０２９６】
従って、本発明に係る血圧計は血圧測定前に短時間で血圧計の装着位置の適否を判断でき、精度よく血圧測定をすることができる。
【０２９７】
さらに、本発明に係る血圧計制御方法は事前測定において、被検体の拡張期血圧値と収縮期血圧値の大まかな値を知ることができるため、収縮期血圧値を測定するために無用な高圧の圧迫圧力及び拡張期血圧値を測定するために無用な低圧の圧迫圧力を被検体に印加することを不要とし、血圧測定時間を短縮することができる。
【０２９８】
（制御手段１４）
本実施形態に係る血圧計１０は、前記第一昇圧時拡張期血圧値測定手段、前記昇圧時最大振幅値測定手段及び前記第一昇圧時収縮期血圧値測定手段の少なくとも一つの手段は、前記圧迫機構によって、０．１ｍｍＨｇ以上１０ｍｍＨｇ以下の第一圧力変動量づつ階段状に圧迫圧力を昇圧してもよい。
【０２９９】
血圧計１０の制御回路１８は図２３のブロック図のＣ１（＋）測定手段２２０、ｂ（＋）測定手段２３０及びＡ１（＋）測定手段２４０の少なくとも一において前記第一圧力変動量づつ階段状に圧迫圧力５１を昇圧してもよい。
【０３００】
例えば、Ｃ１（＋）測定手段２２０、ｂ（＋）測定手段２３０及びＡ１（＋）測定手段２４０において前記第一圧力変動量づつ階段状に圧迫圧力５１を昇圧することで、血圧計１０は図２５のタイミングチャートで説明したように血圧測定を行う。
【０３０１】
本発明に係る血圧計は事前測定において圧迫圧力を階段状に単調昇圧させることで、血圧測定前に短時間で装着位置の適否を判断でき、精度よく血圧測定をすることができる。
【０３０２】
（制御手段１５）
本実施形態に係る血圧計１０は、前記第二昇圧時拡張期血圧値測定手段及び前記第二昇圧時収縮期血圧値測定手段の少なくとも一つの手段は、前記圧迫機構によって、０．１ｍｍＨｇ以上１０ｍｍＨｇ以下の第二圧力変動量づつ階段状に圧迫圧力を昇圧してもよい。
【０３０３】
血圧計１０の制御回路１８は図２３のブロック図のＣ２（＋）測定手段３７０及びＡ２（＋）測定手段３８０の少なくとも一において前記第二圧力変動量づつ階段状に圧迫圧力５１を昇圧してもよい。
【０３０４】
例えば、Ｃ２（＋）測定手段３７０及びＡ２（＋）測定手段３８０において前記第二圧力変動量づつ階段状に圧迫圧力５１を昇圧することで、血圧計１０は図２６のタイミングチャートで説明したように血圧測定を行う。
【０３０５】
本発明に係る血圧計は血圧本測定前に短時間で装着位置の適否を判断することができ、血圧本測定において圧迫圧力を階段状に単調昇圧させることで、精度よく短時間で血圧測定をすることができる。
【０３０６】
（制御手段１６）
本実施形態に係る血圧計１０は、前記第二昇圧時拡張期血圧値測定手段は、前記圧迫機構によって、０．１ｍｍＨｇ以上１０ｍｍＨｇ以下の範囲にあって、前記第一昇圧時拡張期血圧値測定手段の前記第一圧力変動量より小さい圧力変動量づつ階段状に圧迫圧力を昇圧又は／及び前記第二昇圧時収縮期血圧値測定手段は、前記圧迫機構によって、０．１ｍｍＨｇ以上１０ｍｍＨｇ以下の範囲にあって、前記第一昇圧時収縮期血圧値測定手段の前記第一圧力変動量より小さい圧力変動量づつ階段状に圧迫圧力を昇圧してもよい。
【０３０７】
血圧計１０の制御回路１８は図２３のブロック図のＣ１（＋）測定手段２２０、ｂ（＋）測定手段２３０及びＡ１（＋）測定手段２４０の少なくとも一において前記第一圧力変動量づつ階段状に圧迫圧力５１を昇圧してもよい。さらに、Ｃ１（＋）測定手段２２０において前記第一圧力変動量づつ階段状に圧迫圧力５１を昇圧した場合に、Ｃ２（＋）測定手段３７０において前記第一圧力変動量より小さい圧力変動量づつ階段状に圧迫圧力５１を昇圧してもよく、Ａ１（＋）測定手段２４０において前記第一圧力変動量づつ階段状に圧迫圧力５１を昇圧した場合に、Ａ２（＋）測定手段３８０において前記第一圧力変動量より小さい圧力変動量づつ階段状に圧迫圧力５１を昇圧してもよい。
【０３０８】
例えば、Ｃ１（＋）測定手段２２０、ｂ（＋）測定手段２３０及びＡ１（＋）測定手段２４０において前記第一圧力変動量づつ階段状に圧迫圧力５１を昇圧し、Ｃ２（＋）測定手段３７０及びＡ２（＋）測定手段３８０において前記第一変動量より小さい圧力変動づつ階段状に圧迫圧力５１を昇圧することで、血圧計１０は図２７のタイミングチャートで説明したように血圧測定を行う。
【０３０９】
本血圧計は事前測定において圧迫圧力を階段状に単調昇圧させることで、血圧本測定前に短時間で装着位置の適否を判断することができ、血圧本測定において圧迫圧力を階段状に単調昇圧させることで、精度よく短時間で血圧測定をすることができる。
【０３１０】
なお、本発明において事前測定を再度行う場合に、音、音声、光及び／又は振動を発生させ、被検体９００の被検者に血圧計１０の装着位置が血圧測定に不適であることを通知してもよい。被検者が血圧計１０の装着位置を変えることで精度よく血圧測定をすることができる。
【産業上の利用可能性】
【０３１１】
本発明に係る血圧計制御方法及び制御回路を備えた血圧計は、健康保持や健康診断のための生体情報を検出する健康器具に適用することができる。
【図面の簡単な説明】
【０３１２】
【図１】本実施形態に係る血圧計１０の構成を示したブロック図である。
【図２】本実施形態に係る血圧計制御方法１から血圧計制御方法４までのフローチャートである。
【図３】本実施形態に係る制御手段１から制御手段４までのブロック図である。
【図４】血圧計制御方法１により制御された血圧計１０の圧力計１２が測定した圧迫圧力５１と脈波検出回路１３が検出した脈波のタイミングチャートの一の例である。
【図５】血圧計制御方法１により制御された血圧計１０の圧力計１２が測定した圧迫圧力５１と脈波検出回路１３が検出した脈波のタイミングチャートの他の例である。
【図６】血圧計制御方法２により制御された血圧計１０の圧力計１２が測定した圧迫圧力５１と脈波検出回路１３が検出した脈波のタイミングチャートの一の例である。
【図７】血圧計制御方法３により制御された血圧計１０の圧力計１２が測定した圧迫圧力５１と脈波検出回路１３が検出した脈波のタイミングチャートの一の例である。
【図８】血圧計制御方法４により制御された血圧計１０の圧力計１２が測定した圧迫圧力５１と脈波検出回路１３が検出した脈波のタイミングチャートの一の例である。
【図９】本実施形態に係る血圧計制御方法５から血圧計制御方法８までのフローチャートである。
【図１０】本実施形態に係る制御手段５から制御手段８までのブロック図である。
【図１１】血圧計制御方法５により制御された血圧計１０の圧力計１２が測定した圧迫圧力５１と脈波検出回路１３が検出した脈波のタイミングチャートの一の例である。
【図１２】血圧計制御方法６により制御された血圧計１０の圧力計１２が測定した圧迫圧力５１と脈波検出回路１３が検出した脈波のタイミングチャートの一の例である。
【図１３】血圧計制御方法７により制御された血圧計１０の圧力計１２が測定した圧迫圧力５１と脈波検出回路１３が検出した脈波のタイミングチャートの一の例である。
【図１４】血圧計制御方法８により制御された血圧計１０の圧力計１２が測定した圧迫圧力５１と脈波検出回路１３が検出した脈波のタイミングチャートの一の例である。
【図１５】本実施形態に係る血圧計制御方法９から血圧計制御方法１２までのフローチャートである。
【図１６】本実施形態に係る制御手段９から制御手段１２までのブロック図である。
【図１７】血圧計制御方法９により制御された血圧計１０の圧力計１２が測定した圧迫圧力５１と脈波検出回路１３が検出した脈波のタイミングチャートの一の例である。
【図１８】血圧計制御方法９により制御された血圧計１０の圧力計１２が測定した圧迫圧力５１と脈波検出回路１３が検出した脈波のタイミングチャートの他の例である。
【図１９】血圧計制御方法１０により制御された血圧計１０の圧力計１２が測定した圧迫圧力５１と脈波検出回路１３が検出した脈波のタイミングチャートの一の例である。
【図２０】血圧計制御方法１１により制御された血圧計１０の圧力計１２が測定した圧迫圧力５１と脈波検出回路１３が検出した脈波のタイミングチャートの一の例である。
【図２１】血圧計制御方法１２により制御された血圧計１０の圧力計１２が測定した圧迫圧力５１と脈波検出回路１３が検出した脈波のタイミングチャートの一の例である。
【図２２】本実施形態に係る血圧計制御方法１３から血圧計制御方法１６までのフローチャートである。
【図２３】本実施形態に係る制御手段１３から制御手段１６までのブロック図である。
【図２４】血圧計制御方法１３により制御された血圧計１０の圧力計１２が測定した圧迫圧力５１と脈波検出回路１３が検出した脈波のタイミングチャートの一の例である。
【図２５】血圧計制御方法１４により制御された血圧計１０の圧力計１２が測定した圧迫圧力５１と脈波検出回路１３が検出した脈波のタイミングチャートの一の例である。
【図２６】血圧計制御方法１５により制御された血圧計１０の圧力計１２が測定した圧迫圧力５１と脈波検出回路１３が検出した脈波のタイミングチャートの一の例である。
【図２７】血圧計制御方法１６により制御された血圧計１０の圧力計１２が測定した圧迫圧力５１と脈波検出回路１３が検出した脈波のタイミングチャートの一の例である。
【符号の説明】
【０３１３】
１０  血圧計
１１  圧迫機構
１２  圧力計
１３  脈波検出回路
１５  比較演算部
１８  制御回路
５１  圧迫圧力
５３  脈波
５５  振幅値信号
５６  圧力値信号
５７  圧力制御信号
５８  比較信号
５９  応答信号
１１０  ａ（−）測定手段
１１１  ａ（−）測定手順
１１３  阻血時測定点
１１５  α（−）信号
１１７  １６７  圧力値
１２０  Ａ１（−）測定手段
１２１  Ａ１（−）測定手順
１２３  第一降圧時振幅増大点
１２５  Ａ１（−）信号
１２７  Ａ１（−）
１３０  ｂ（−）測定手段
１３１  ｂ（−）測定手順
１３３  降圧時振幅最大点
１３５  β（−）信号
１３７  圧力値
１４０  Ｃ１（−）測定手段
１４１  Ｃ１（−）測定手順
１４３  第一降圧時脈動点
１４５  測定信号
１４７  Ｃ１（−）
１５０  降圧時比較手段
１５１  降圧時比較手順
１５５、２５５  再測定指示信号
１６１  昇圧手順
１６５、２６５  血圧本測定信号
１７０  Ａ２（−）測定手段
１７１  Ａ２（−）測定手順
１７３  第二降圧時振幅増大点
１７７  Ａ２（−）
１８０  Ｃ２（−）測定手段
１８１  Ｃ２（−）測定手順
１８３  第二降圧時脈動点
１８７  Ｃ２（−）
１９７  圧力値
２１０  ｃ（＋）測定手段
２１１  ｃ（＋）測定手順
２１３  脈動時測定点
２１５  γ（＋）信号
２２０  Ｃ１（＋）測定手段
２２１  Ｃ１（＋）測定手順
２２３  第一昇圧時振幅増大点
２２５  Ｃ１（＋）信号
２２７  Ｃ１（＋）
２３０  ｂ（＋）測定手段
２３１  ｂ（＋）測定手順
２３３  昇圧時振幅最大点
２３５  β（＋）信号
２４０  Ａ１（＋）測定手段
２４１  Ａ１（＋）測定手順
２４３  第一昇圧時阻血点
２４５  測定信号
２４７  Ａ１（＋）
２５０  昇圧時比較手段
２５１  昇圧時比較手順
２６７、３６７  待機圧力値
３７０  Ｃ２（＋）測定手段
３７１  Ｃ２（＋）測定手順
３７３  第二昇圧時振幅増大点
３７７  Ｃ２（＋）
３８０  Ａ２（＋）測定手段
３８１  Ａ２（＋）測定手順
３８３  第二昇圧時阻血点
３８７  Ａ２（＋）
４６１  降圧手順
９００  被検体
Ｒ  推移
Ｍ、Ｐ  波形
Ｓ１  α（−）
Ｓ２  α（＋）
Ｔ１  γ（−）
Ｔ２  γ（＋）
Ｕ１  β（−）
Ｕ２  β（＋）
【図１】
0004611140.tif 000002
【図２】
0004611140.tif 000003
【図３】
0004611140.tif 000004
【図４】
0004611140.tif 000005
【図５】
0004611140.tif 000006
【図６】
0004611140.tif 000007
【図７】
0004611140.tif 000008
【図８】
0004611140.tif 000009
【図９】
0004611140.tif 000010
【図１０】
0004611140.tif 000011
【図１１】
0004611140.tif 000012
【図１２】
0004611140.tif 000013
【図１３】
0004611140.tif 000014
【図１４】
0004611140.tif 000015
【図１５】
0004611140.tif 000016
【図１６】
0004611140.tif 000017
【図１７】
0004611140.tif 000018
【図１８】
0004611140.tif 000019
【図１９】
0004611140.tif 000020
【図２０】
0004611140.tif 000021
【図２１】
0004611140.tif 000022
【図２２】
0004611140.tif 000023
【図２３】
0004611140.tif 000024
【図２４】
0004611140.tif 000025
【図２５】
0004611140.tif 000026
【図２６】
0004611140.tif 000027
【図２７】
0004611140.tif 000028